(57)【要約】  ＨＡＲＱ−ＡＣＫ送信方法、受信方法、端末及び基地局を提供し、ＨＡＲＱ−ＡＣＫ送信方法において、ＳＰＳ  ＰＤＳＣＨのＨＡＲＱ−ＡＣＫを伝送するための少なくとも１つのＰＵＣＣＨリソースであって、２ビットを超える情報を搬送するＰＵＣＣＨリソースである第１タイプのＰＵＣＣＨリソースを少なくとも１つ含む少なくとも１つのＰＵＣＣＨリソースの中から、ＳＰＳ  ＰＤＳＣＨのＨＡＲＱ−ＡＣＫを伝送するための１つのＰＵＣＣＨリソースを決定することと、決定されたＰＵＣＣＨリソースでＳＰＳ  ＰＤＳＣＨのＨＡＲＱ−ＡＣＫを送信することとを含む。【選択図】  図２
2021534695.tif 000002
【特許請求の範囲】
【請求項１】
端末に応用されるハイブリッド自動再送要求確認ＨＡＲＱ−ＡＣＫ送信方法であって、
半持続スケジューリング物理下り共有チャネルＳＰＳ  ＰＤＳＣＨのＨＡＲＱ−ＡＣＫを伝送するための少なくとも１つの物理上り制御チャネルＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することと、
決定された前記ＰＵＣＣＨリソースで前記ＳＰＳ  ＰＤＳＣＨのＨＡＲＱ−ＡＣＫを送信することと、
を含む、ハイブリッド自動再送要求確認ＨＡＲＱ−ＡＣＫ送信方法。
【請求項２】
前記ＳＰＳ  ＰＤＳＣＨのＨＡＲＱ−ＡＣＫと第１タイプの上り制御情報ＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中の所定ＰＵＣＣＨリソースと、前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定することを含む、請求項１に記載の送信方法。
【請求項３】
前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含み、
前記決定された前記ＰＵＣＣＨリソースで前記ＳＰＳ  ＰＤＳＣＨのＨＡＲＱ−ＡＣＫを送信することは、
前記ＳＰＳ  ＰＤＳＣＨのＨＡＲＱ−ＡＣＫと前記第１タイプのＵＣＩを、決定された前記第１タイプのＰＵＣＣＨリソースで送信することを含む、請求項１に記載の送信方法。
【請求項４】
前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む、請求項１に記載の送信方法。
【請求項５】
前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定することを含み、
前記決定された前記ＰＵＣＣＨリソースで前記ＳＰＳ  ＰＤＳＣＨのＨＡＲＱ−ＡＣＫを送信することは、
前記ＳＰＳ  ＰＤＳＣＨのＨＡＲＱ−ＡＣＫと前記第１タイプのＵＣＩを、決定された前記第１タイプのＰＵＣＣＨリソースで送信することを含む、請求項１に記載の送信方法。
【請求項６】
前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含み、
前記決定された前記ＰＵＣＣＨリソースで前記ＳＰＳ  ＰＤＳＣＨのＨＡＲＱ−ＡＣＫを送信することは、
前記ＳＰＳ  ＰＤＳＣＨのＨＡＲＱ−ＡＣＫと前記第１タイプのＵＣＩを、決定された前記第１タイプのＰＵＣＣＨリソースで送信することを含む、請求項１に記載の送信方法。
【請求項７】
前記ＳＰＳ  ＰＤＳＣＨのＨＡＲＱ−ＡＣＫ伝送が存在する時間単位に第１タイプのＵＣＩが存在しない場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に第２タイプのＰＵＣＣＨリソースを更に含む場合、１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む、請求項１に記載の送信方法。
【請求項８】
前記ＳＰＳ  ＰＤＳＣＨのＨＡＲＱ−ＡＣＫ伝送が存在する時間単位に第１タイプのＵＣＩが存在しない場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫを伝送するためのＰＵＣＣＨリソースに決定することを含む、請求項１に記載の送信方法。
【請求項９】
前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することは、
前記少なくとも１つのＰＵＣＣＨリソースの中に少なくとも２つの第１タイプのＰＵＣＣＨリソースを含む場合、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩによって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含む、請求項３又は５又は６又は８に記載の送信方法。
【請求項１０】
前記１つの第２タイプのＰＵＣＣＨリソースを、前記ＳＰＳ  ＰＤＳＣＨのＨＡＲＱ−ＡＣＫを伝送するためのＰＵＣＣＨリソースに決定することは、
前記少なくとも１つのＰＵＣＣＨリソースの中に少なくとも２つの前記第２タイプのＰＵＣＣＨリソースを含む場合、前記少なくとも２つの第２タイプのＰＵＣＣＨリソースの中から、
ＳＰＳ  ＰＤＳＣＨ活性化を指示するＰＤＣＣＨの中のＰＲＩによって指示される１つの第２タイプのＰＵＣＣＨリソース、
最も番号の小さい第２タイプのＰＵＣＣＨリソース、
最初の第２タイプのＰＵＣＣＨリソース、
のうちのいずれか１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む、請求項４又は７に記載の送信方法。
【請求項１１】
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、
前記ＳＰＳ  ＰＤＳＣＨのＨＡＲＱ−ＡＣＫの伝送機会が第１タイプのＵＣＩの伝送機会と重複するかを判断することを更に含み、
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
前記ＳＰＳ  ＰＤＳＣＨのＨＡＲＱ−ＡＣＫの伝送機会が第１タイプのＵＣＩの伝送機会と重複する場合、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む、請求項１〜６のいずれか１項に記載の送信方法。
【請求項１２】
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、
ＳＰＳ  ＰＤＳＣＨのＨＡＲＱ−ＡＣＫと第１タイプのＵＣＩの同時伝送をサポートするか否かを判断することを更に含み、
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
ＳＰＳ  ＰＤＳＣＨのＨＡＲＱ−ＡＣＫと第１タイプのＵＣＩの同時伝送がサポートされる場合、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む、請求項１〜６のいずれか１項に記載の送信方法。
【請求項１３】
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、
前記少なくとも１つのＰＵＣＣＨリソースを設定シグナリングに基づいて決定することを更に含む、請求項１に記載の送信方法。
【請求項１４】
前記少なくとも１つのＰＵＣＣＨリソースの中の所定ＰＵＣＣＨリソースは、
前記少なくとも１つのＰＵＣＣＨリソースの中の最も小さい番号のＰＵＣＣＨリソース、
前記少なくとも１つのＰＵＣＣＨリソースの中の最初のＰＵＣＣＨリソース、
ＳＰＳ  ＰＤＳＣＨ活性化を指示するＰＤＣＣＨの中のＰＲＩに基づいて決定されるＰＵＣＣＨリソース、
前記少なくとも１つのＰＵＣＣＨリソースの中に第２タイプのＰＵＣＣＨリソースを更に含む場合の第２タイプのＰＵＣＣＨリソース、
前記少なくとも１つのＰＵＣＣＨリソースの中に少なくとも２つの第２タイプのＰＵＣＣＨリソースを更に含む場合の最も小さい番号の第２タイプのＰＵＣＣＨリソース、
前記少なくとも１つのＰＵＣＣＨリソースの中に少なくとも２つの第２タイプのＰＵＣＣＨリソースを更に含む場合の最初の第２タイプのＰＵＣＣＨリソース、
のうちのいずれか１つである、請求項２又は３に記載の送信方法。
【請求項１５】
前記第１タイプのＵＣＩは、
チャネル状態情報ＣＳＩ及びスケジューリング要求ＳＲのいずれか１つ又は複数を含む、請求項２〜８のいずれか１項に記載の送信方法。
【請求項１６】
前記第１タイプのＰＵＣＣＨリソースは、
ＰＵＣＣＨフォーマット２リソース、ＰＵＣＣＨフォーマット３リソース、ＰＵＣＣＨフォーマット４リソースのいずれか１つである、請求項１〜８のいずれか１項に記載の送信方法。
【請求項１７】
前記第２タイプのＰＵＣＣＨリソースは、
ＰＵＣＣＨフォーマット０リソース及びＰＵＣＣＨフォーマット１リソースのいずれか１つである、請求項４又は５又は７に記載の送信方法。
【請求項１８】
前記１つの時間単位は、
１つのサブフレーム、１つのスロット、１つのミニスロットのいずれか１つである、請求項２〜８のいずれか１項に記載の送信方法。
【請求項１９】
基地局に応用されるハイブリッド自動再送要求確認ＨＡＲＱ−ＡＣＫ受信方法であって、
半持続スケジューリング物理下り共有チャネルＳＰＳ  ＰＤＳＣＨのＨＡＲＱ−ＡＣＫを伝送するための少なくとも１つの物理上り制御チャネルＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することと、
決定された前記ＰＵＣＣＨリソースで前記ＳＰＳ  ＰＤＳＣＨのＨＡＲＱ−ＡＣＫを受信することと、
を含む、ハイブリッド自動再送要求確認ＨＡＲＱ−ＡＣＫ受信方法。
【請求項２０】
前記ＳＰＳ  ＰＤＳＣＨのＨＡＲＱ−ＡＣＫと第１タイプの上り制御情報ＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中の所定ＰＵＣＣＨリソースと、前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定することを含む、請求項１９に記載の受信方法。
【請求項２１】
前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含み、
前記決定された前記ＰＵＣＣＨリソースで前記ＳＰＳ  ＰＤＳＣＨのＨＡＲＱ−ＡＣＫを受信することは、
前記ＳＰＳ  ＰＤＳＣＨのＨＡＲＱ−ＡＣＫと前記第１タイプのＵＣＩを、決定された前記第１タイプのＰＵＣＣＨリソースで受信することを含む、請求項１９に記載の受信方法。
【請求項２２】
前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む、請求項１９に記載の受信方法。
【請求項２３】
前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定することを含み、
前記決定された前記ＰＵＣＣＨリソースで前記ＳＰＳ  ＰＤＳＣＨのＨＡＲＱ−ＡＣＫを受信することは、
前記ＳＰＳ  ＰＤＳＣＨのＨＡＲＱ−ＡＣＫと前記第１タイプのＵＣＩを、決定された前記第１タイプのＰＵＣＣＨリソースで受信することを含む、請求項１９に記載の受信方法。
【請求項２４】
前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含み、
前記決定された前記ＰＵＣＣＨリソースで前記ＳＰＳ  ＰＤＳＣＨのＨＡＲＱ−ＡＣＫを受信することは、
前記ＳＰＳ  ＰＤＳＣＨのＨＡＲＱ−ＡＣＫと前記第１タイプのＵＣＩを、決定された前記第１タイプのＰＵＣＣＨリソースで受信することを含む、請求項１９に記載の受信方法。
【請求項２５】
前記ＳＰＳ  ＰＤＳＣＨのＨＡＲＱ−ＡＣＫ伝送が存在する時間単位に第１タイプのＵＣＩが存在しない場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に第２タイプのＰＵＣＣＨリソースを更に含む場合、１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む、請求項１９に記載の受信方法。
【請求項２６】
前記ＳＰＳ  ＰＤＳＣＨのＨＡＲＱ−ＡＣＫ伝送が存在する時間単位に第１タイプのＵＣＩが存在しない場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫを伝送するためのＰＵＣＣＨリソースに決定することを含む、請求項１９に記載の受信方法。
【請求項２７】
前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することは、
前記少なくとも１つのＰＵＣＣＨリソースの中に少なくとも２つの第１タイプのＰＵＣＣＨリソースを含む場合、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩによって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含む、請求項２１又は２３又は２４又は２６に記載の受信方法。
【請求項２８】
前記１つの第２タイプのＰＵＣＣＨリソースを、前記ＳＰＳ  ＰＤＳＣＨのＨＡＲＱ−ＡＣＫを伝送するためのＰＵＣＣＨリソースに決定することは、
前記少なくとも１つのＰＵＣＣＨリソースの中に少なくとも２つの前記第２タイプのＰＵＣＣＨリソースを含む場合、前記少なくとも２つの第２タイプのＰＵＣＣＨリソースの中から、
ＳＰＳ  ＰＤＳＣＨ活性化を指示するＰＤＣＣＨの中のＰＲＩによって指示される１つの第２タイプのＰＵＣＣＨリソース、
最も番号の小さい第２タイプのＰＵＣＣＨリソース、
最初の第２タイプのＰＵＣＣＨリソース、
のうちのいずれか１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む、請求項２２又は２５に記載の受信方法。
【請求項２９】
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、
前記ＳＰＳ  ＰＤＳＣＨのＨＡＲＱ−ＡＣＫの伝送機会が第１タイプのＵＣＩの伝送機会と重複するかを判断することを更に含み、
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
前記ＳＰＳ  ＰＤＳＣＨのＨＡＲＱ−ＡＣＫの伝送機会が第１タイプのＵＣＩの伝送機会と重複する場合、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む、請求項１９〜２４のいずれか１項に記載の受信方法。
【請求項３０】
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、
ＳＰＳ  ＰＤＳＣＨのＨＡＲＱ−ＡＣＫと第１タイプのＵＣＩの同時伝送をサポートするか否かを判断することを更に含み、
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
ＳＰＳ  ＰＤＳＣＨのＨＡＲＱ−ＡＣＫと第１タイプのＵＣＩの同時伝送がサポートされる場合、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む、請求項１９〜２４のいずれか１項に記載の受信方法。
【請求項３１】
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、
前記少なくとも１つのＰＵＣＣＨリソースを設定シグナリングに基づいて決定することを更に含む、請求項１９に記載の受信方法。
【請求項３２】
前記少なくとも１つのＰＵＣＣＨリソースの中の所定ＰＵＣＣＨリソースは、
前記少なくとも１つのＰＵＣＣＨリソースの中の最も小さい番号のＰＵＣＣＨリソース、
前記少なくとも１つのＰＵＣＣＨリソースの中の最初のＰＵＣＣＨリソース、
ＳＰＳ  ＰＤＳＣＨ活性化を指示するＰＤＣＣＨの中のＰＲＩに基づいて決定されるＰＵＣＣＨリソース、
前記少なくとも１つのＰＵＣＣＨリソースの中に第２タイプのＰＵＣＣＨリソースを更に含む場合の第２タイプのＰＵＣＣＨリソース、
前記少なくとも１つのＰＵＣＣＨリソースの中に少なくとも２つの第２タイプのＰＵＣＣＨリソースを更に含む場合の最も小さい番号の第２タイプのＰＵＣＣＨリソース、
前記少なくとも１つのＰＵＣＣＨリソースの中に少なくとも２つの第２タイプのＰＵＣＣＨリソースを更に含む場合の最初の第２タイプのＰＵＣＣＨリソース、
のうちのいずれか１つである、請求項２０又は２１に記載の受信方法。
【請求項３３】
前記第１タイプのＵＣＩは、
チャネル状態情報ＣＳＩ及びスケジューリング要求ＳＲのいずれか１つ又は複数を含む、請求項２０〜２６のいずれか１項に記載の受信方法。
【請求項３４】
前記第１タイプのＰＵＣＣＨリソースは、
ＰＵＣＣＨフォーマット２リソース、ＰＵＣＣＨフォーマット３リソース、ＰＵＣＣＨフォーマット４リソースのいずれか１つである、請求項１９〜２６のいずれか１項に記載の受信方法。
【請求項３５】
前記第２タイプのＰＵＣＣＨリソースは、
ＰＵＣＣＨフォーマット０リソース及びＰＵＣＣＨフォーマット１リソースのいずれか１つである、請求項２２又は２３又は２５に記載の受信方法。
【請求項３６】
前記１つの時間単位は、
１つのサブフレーム、１つのスロット、１つのミニスロットのいずれか１つである、請求項２０〜２６のいずれか１項に記載の受信方法。
【請求項３７】
半持続スケジューリング物理下り共有チャネルＳＰＳ  ＰＤＳＣＨのハイブリッド自動再送要求確認ＨＡＲＱ−ＡＣＫを伝送するための少なくとも１つの物理上り制御チャネルＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定する決定モジュールと、
決定された前記ＰＵＣＣＨリソースで前記ＳＰＳ  ＰＤＳＣＨのＨＡＲＱ−ＡＣＫを送信する送信モジュールと、
を含む、端末。
【請求項３８】
前記ＳＰＳ  ＰＤＳＣＨのＨＡＲＱ−ＡＣＫと第１タイプの上り制御情報ＵＣＩとが同一の時間単位で伝送される場合、前記時間単位で、前記決定モジュールは、具体的に、
前記少なくとも１つのＰＵＣＣＨリソースの中の所定ＰＵＣＣＨリソースと、前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定する、請求項３７に記載の端末。
【請求項３９】
前記ＳＰＳ  ＰＤＳＣＨのＨＡＲＱ−ＡＣＫと第１タイプのＵＣＩとが同一の時間単位で伝送される場合、前記時間単位で、前記決定モジュールは、具体的に、
前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定し、
前記送信モジュールは、具体的に、
前記ＳＰＳ  ＰＤＳＣＨのＨＡＲＱ−ＡＣＫと前記第１タイプのＵＣＩを、決定された前記第１タイプのＰＵＣＣＨリソースで送信する、請求項３７に記載の端末。
【請求項４０】
前記ＳＰＳ  ＰＤＳＣＨのＨＡＲＱ−ＡＣＫと第１タイプのＵＣＩとが同一の時間単位で伝送される場合、前記時間単位で、前記決定モジュールは、具体的に、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定する、請求項３７に記載の端末。
【請求項４１】
前記ＳＰＳ  ＰＤＳＣＨのＨＡＲＱ−ＡＣＫと第１タイプのＵＣＩとが同一の時間単位で伝送される場合、前記時間単位で、前記決定モジュールは、具体的に、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定し、
前記送信モジュールは、具体的に、
前記ＳＰＳ  ＰＤＳＣＨのＨＡＲＱ−ＡＣＫと前記第１タイプのＵＣＩを、決定された前記第１タイプのＰＵＣＣＨリソースで送信する、請求項３７に記載の端末。
【請求項４２】
前記ＳＰＳ  ＰＤＳＣＨのＨＡＲＱ−ＡＣＫと第１タイプのＵＣＩとが同一の時間単位で伝送される場合、前記時間単位で、前記決定モジュールは、具体的に、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定し、
前記送信モジュールは、具体的に、
前記ＳＰＳ  ＰＤＳＣＨのＨＡＲＱ−ＡＣＫと前記第１タイプのＵＣＩを、決定された前記第１タイプのＰＵＣＣＨリソースで送信する、請求項３７に記載の端末。
【請求項４３】
前記ＳＰＳ  ＰＤＳＣＨのＨＡＲＱ−ＡＣＫ伝送が存在する時間単位に第１タイプのＵＣＩが存在しない場合、前記時間単位で、前記決定モジュールは、具体的に、
前記少なくとも１つのＰＵＣＣＨリソースの中に第２タイプのＰＵＣＣＨリソースを更に含む場合、１つの第２タイプのＰＵＣＣＨリソースを、前記ＳＰＳ  ＰＤＳＣＨのＨＡＲＱ−ＡＣＫを伝送するためのＰＵＣＣＨリソースに決定する、請求項３７に記載の端末。
【請求項４４】
前記ＳＰＳ  ＰＤＳＣＨのＨＡＲＱ−ＡＣＫ伝送が存在する時間単位に第１タイプのＵＣＩが存在しない場合、前記時間単位で、前記決定モジュールは、具体的に、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫを伝送するためのＰＵＣＣＨリソースに決定する、請求項３７に記載の端末。
【請求項４５】
前記決定モジュールが、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することは、
前記少なくとも１つのＰＵＣＣＨリソースの中に少なくとも２つの第１タイプのＰＵＣＣＨリソースを含む場合、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩによって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含む、請求項３９又は４１又は４２又は４４に記載の端末。
【請求項４６】
前記決定モジュールが、１つの第２タイプのＰＵＣＣＨリソースを、前記ＳＰＳ  ＰＤＳＣＨのＨＡＲＱ−ＡＣＫを伝送するためのＰＵＣＣＨリソースに決定することは、
前記少なくとも１つのＰＵＣＣＨリソースの中に少なくとも２つの前記第２タイプのＰＵＣＣＨリソースを含む場合、前記少なくとも２つの第２タイプのＰＵＣＣＨリソースの中から、
ＳＰＳ  ＰＤＳＣＨ活性化を指示するＰＤＣＣＨの中のＰＲＩによって指示される１つの第２タイプのＰＵＣＣＨリソース、
最も番号の小さい第２タイプのＰＵＣＣＨリソース、
最初の第２タイプのＰＵＣＣＨリソース、
のうちのいずれか１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む、請求項４０又は４３に記載の端末。
【請求項４７】
前記決定モジュールは、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前には、更に、
前記ＳＰＳ  ＰＤＳＣＨのＨＡＲＱ−ＡＣＫの伝送機会が第１タイプのＵＣＩの伝送機会と重複するかを判断し、
前記決定モジュールは、具体的に、
前記ＳＰＳ  ＰＤＳＣＨのＨＡＲＱ−ＡＣＫの伝送機会が第１タイプのＵＣＩの伝送機会と重複する場合、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定する、請求項３７〜４２のいずれか１項に記載の端末。
【請求項４８】
前記決定モジュールは、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前には、更に、
ＳＰＳ  ＰＤＳＣＨのＨＡＲＱ−ＡＣＫと第１タイプのＵＣＩの同時伝送をサポートするか否かを判断し、
前記決定モジュールは、具体的に、
ＳＰＳ  ＰＤＳＣＨのＨＡＲＱ−ＡＣＫと第１タイプのＵＣＩの同時伝送がサポートされる場合、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する、請求項３７〜４２のいずれか１項に記載の端末。
【請求項４９】
前記決定モジュールは、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前には、更に、
前記少なくとも１つのＰＵＣＣＨリソースを設定シグナリングに基づいて決定する、請求項３７に記載の端末。
【請求項５０】
前記少なくとも１つのＰＵＣＣＨリソースの中の所定ＰＵＣＣＨリソースは、
前記少なくとも１つのＰＵＣＣＨリソースの中の最も小さい番号のＰＵＣＣＨリソース、
前記少なくとも１つのＰＵＣＣＨリソースの中の最初のＰＵＣＣＨリソース、
ＳＰＳ  ＰＤＳＣＨ活性化を指示するＰＤＣＣＨの中のＰＲＩに基づいて決定されるＰＵＣＣＨリソース、
前記少なくとも１つのＰＵＣＣＨリソースの中に第２タイプのＰＵＣＣＨリソースを更に含む場合の第２タイプのＰＵＣＣＨリソース、
前記少なくとも１つのＰＵＣＣＨリソースの中に少なくとも２つの第２タイプのＰＵＣＣＨリソースを更に含む場合の最も小さい番号の第２タイプのＰＵＣＣＨリソース、
前記少なくとも１つのＰＵＣＣＨリソースの中に少なくとも２つの第２タイプのＰＵＣＣＨリソースを更に含む場合の最初の第２タイプのＰＵＣＣＨリソース、
のうちのいずれか１つである、請求項３８又は３９に記載の端末。
【請求項５１】
前記第１タイプのＵＣＩは、
チャネル状態情報ＣＳＩ及びスケジューリング要求ＳＲのいずれか１つ又は複数を含む、請求項３８〜４４のいずれか１項に記載の端末。
【請求項５２】
前記第１タイプのＰＵＣＣＨリソースは、
ＰＵＣＣＨフォーマット２リソース、ＰＵＣＣＨフォーマット３リソース、ＰＵＣＣＨフォーマット４リソースのいずれか１つである、請求項３７〜４４のいずれか１項に記載の端末。
【請求項５３】
前記第２タイプのＰＵＣＣＨリソースは、
ＰＵＣＣＨフォーマット０リソース及びＰＵＣＣＨフォーマット１リソースのいずれか１つである、請求項４０又は４１又は４３に記載の端末。
【請求項５４】
前記１つの時間単位は、
１つのサブフレーム、１つのスロット、１つのミニスロットのいずれか１つである、請求項３８〜４４のいずれか１項に記載の端末。
【請求項５５】
半持続スケジューリング物理下り共有チャネルＳＰＳ  ＰＤＳＣＨのハイブリッド自動再送要求確認ＨＡＲＱ−ＡＣＫを伝送するための少なくとも１つの物理上り制御チャネルＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定する決定モジュールと、
決定された前記ＰＵＣＣＨリソースで前記ＳＰＳ  ＰＤＳＣＨのＨＡＲＱ−ＡＣＫを受信する受信モジュールと、
を含む、基地局。
【請求項５６】
前記ＳＰＳ  ＰＤＳＣＨのＨＡＲＱ−ＡＣＫと第１タイプの上り制御情報ＵＣＩとが同一の時間単位で伝送される場合、前記時間単位で、前記決定モジュールは、具体的に、
前記少なくとも１つのＰＵＣＣＨリソースの中の所定ＰＵＣＣＨリソースと、前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定する、請求項５５に記載の基地局。
【請求項５７】
前記ＳＰＳ  ＰＤＳＣＨのＨＡＲＱ−ＡＣＫと第１タイプのＵＣＩとが同一の時間単位で伝送される場合、前記時間単位で、前記決定モジュールは、具体的に、
前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定し、
前記受信モジュールは、具体的に、
前記ＳＰＳ  ＰＤＳＣＨのＨＡＲＱ−ＡＣＫと前記第１タイプのＵＣＩを、決定された前記第１タイプのＰＵＣＣＨリソースで受信する、請求項５５に記載の基地局。
【請求項５８】
前記ＳＰＳ  ＰＤＳＣＨのＨＡＲＱ−ＡＣＫと第１タイプのＵＣＩとが同一の時間単位で伝送される場合、前記時間単位で、前記決定モジュールは、具体的に、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定する、請求項５５に記載の基地局。
【請求項５９】
前記ＳＰＳ  ＰＤＳＣＨのＨＡＲＱ−ＡＣＫと第１タイプのＵＣＩとが同一の時間単位で伝送される場合、前記時間単位で、前記決定モジュールは、具体的に、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定し、
前記受信モジュールは、具体的に、
前記ＳＰＳ  ＰＤＳＣＨのＨＡＲＱ−ＡＣＫと前記第１タイプのＵＣＩを、決定された前記第１タイプのＰＵＣＣＨリソースで受信する、請求項５５に記載の基地局。
【請求項６０】
前記ＳＰＳ  ＰＤＳＣＨのＨＡＲＱ−ＡＣＫと第１タイプのＵＣＩとが同一の時間単位で伝送される場合、前記時間単位で、前記決定モジュールは、具体的に、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定し、
前記受信モジュールは、具体的に、
前記ＳＰＳ  ＰＤＳＣＨのＨＡＲＱ−ＡＣＫと前記第１タイプのＵＣＩを、決定された前記第１タイプのＰＵＣＣＨリソースで受信する、請求項５５に記載の基地局。
【請求項６１】
前記ＳＰＳ  ＰＤＳＣＨのＨＡＲＱ−ＡＣＫ伝送が存在する時間単位に第１タイプのＵＣＩが存在しない場合、前記時間単位で、前記決定モジュールは、具体的に、
前記少なくとも１つのＰＵＣＣＨリソースの中に第２タイプのＰＵＣＣＨリソースを更に含む場合、１つの第２タイプのＰＵＣＣＨリソースを、前記ＳＰＳ  ＰＤＳＣＨのＨＡＲＱ−ＡＣＫを伝送するためのＰＵＣＣＨリソースに決定する、請求項５５に記載の基地局。
【請求項６２】
前記ＳＰＳ  ＰＤＳＣＨのＨＡＲＱ−ＡＣＫ伝送が存在する時間単位に第１タイプのＵＣＩが存在しない場合、前記時間単位で、前記決定モジュールは、具体的に、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫを伝送するためのＰＵＣＣＨリソースに決定する、請求項５５に記載の基地局。
【請求項６３】
前記決定モジュールが、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することは、
前記少なくとも１つのＰＵＣＣＨリソースの中に少なくとも２つの第１タイプのＰＵＣＣＨリソースを含む場合、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩによって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含む、請求項５７又は５９又は６０又は６２に記載の基地局。
【請求項６４】
前記決定モジュールが、１つの第２タイプのＰＵＣＣＨリソースを、前記ＳＰＳ  ＰＤＳＣＨのＨＡＲＱ−ＡＣＫを伝送するためのＰＵＣＣＨリソースに決定することは、
前記少なくとも１つのＰＵＣＣＨリソースの中に少なくとも２つの前記第２タイプのＰＵＣＣＨリソースを含む場合、前記少なくとも２つの第２タイプのＰＵＣＣＨリソースの中から、
ＳＰＳ  ＰＤＳＣＨ活性化を指示するＰＤＣＣＨの中のＰＲＩによって指示される１つの第２タイプのＰＵＣＣＨリソース、
最も番号の小さい第２タイプのＰＵＣＣＨリソース、
最初の第２タイプのＰＵＣＣＨリソース、
のうちのいずれか１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む、請求項５８又は６１に記載の基地局。
【請求項６５】
前記決定モジュールは、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前には、更に、
前記ＳＰＳ  ＰＤＳＣＨのＨＡＲＱ−ＡＣＫの伝送機会が第１タイプのＵＣＩの伝送機会と重複するかを判断し、
前記決定モジュールが、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
前記ＳＰＳ  ＰＤＳＣＨのＨＡＲＱ−ＡＣＫの伝送機会が第１タイプのＵＣＩの伝送機会と重複する場合、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む、請求項５５〜６０のいずれか１項に記載の基地局。
【請求項６６】
前記決定モジュールは、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前には、更に、
ＳＰＳ  ＰＤＳＣＨのＨＡＲＱ−ＡＣＫと第１タイプのＵＣＩの同時伝送をサポートするか否かを判断し、
前記決定モジュールが、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
ＳＰＳ  ＰＤＳＣＨのＨＡＲＱ−ＡＣＫと第１タイプのＵＣＩの同時伝送がサポートされる場合、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む、請求項５５〜６０のいずれか１項に記載の基地局。
【請求項６７】
前記決定モジュールは、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前には、更に、
前記少なくとも１つのＰＵＣＣＨリソースを設定シグナリングに基づいて決定する、請求項５５に記載の基地局。
【請求項６８】
前記少なくとも１つのＰＵＣＣＨリソースの中の所定ＰＵＣＣＨリソースは、
前記少なくとも１つのＰＵＣＣＨリソースの中の最も小さい番号のＰＵＣＣＨリソース、
前記少なくとも１つのＰＵＣＣＨリソースの中の最初のＰＵＣＣＨリソース、
ＳＰＳ  ＰＤＳＣＨ活性化を指示するＰＤＣＣＨの中のＰＲＩに基づいて決定されるＰＵＣＣＨリソース、
前記少なくとも１つのＰＵＣＣＨリソースの中に第２タイプのＰＵＣＣＨリソースを更に含む場合の第２タイプのＰＵＣＣＨリソース、
前記少なくとも１つのＰＵＣＣＨリソースの中に少なくとも２つの第２タイプのＰＵＣＣＨリソースを更に含む場合の最も小さい番号の第２タイプのＰＵＣＣＨリソース、
前記少なくとも１つのＰＵＣＣＨリソースの中に少なくとも２つの第２タイプのＰＵＣＣＨリソースを更に含む場合の最初の第２タイプのＰＵＣＣＨリソース、
のうちのいずれか１つである、請求項５６又は５７に記載の基地局。
【請求項６９】
前記第１タイプのＵＣＩは、
チャネル状態情報ＣＳＩ及びスケジューリング要求ＳＲのいずれか１つ又は複数を含む、請求項５６〜６２のいずれか１項に記載の基地局。
【請求項７０】
前記第１タイプのＰＵＣＣＨリソースは、
ＰＵＣＣＨフォーマット２リソース、ＰＵＣＣＨフォーマット３リソース、ＰＵＣＣＨフォーマット４リソースのいずれか１つである、請求項５５〜６２のいずれか１項に記載の基地局。
【請求項７１】
前記第２タイプのＰＵＣＣＨリソースは、
ＰＵＣＣＨフォーマット０リソース及びＰＵＣＣＨフォーマット１リソースのいずれか１つである、請求項５８又は５９又は６１に記載の基地局。
【請求項７２】
前記１つの時間単位は、
１つのサブフレーム、１つのスロット、１つのミニスロットのいずれか１つである、請求項５６〜６２のいずれか１項に記載の基地局。
【請求項７３】
プロセッサと、メモリと、前記メモリに格納されて前記プロセッサで実行可能なプログラムとを含む端末であって、
前記プログラムが前記プロセッサによって実行されると、請求項１〜１８のいずれか１項に記載のハイブリッド自動再送要求確認ＨＡＲＱ−ＡＣＫ送信方法が実現される、端末。
【請求項７４】
プロセッサと、メモリと、前記メモリに格納されて前記プロセッサで実行可能なプログラムとを含む基地局であって、
前記プログラムが前記プロセッサによって実行されると、請求項１９〜３６のいずれか１項に記載のハイブリッド自動再送要求確認ＨＡＲＱ−ＡＣＫ受信方法が実現される、基地局。
【請求項７５】
コンピュータプログラムが格納されているコンピュータ読み取り可能な記憶媒体であって、
前記コンピュータプログラムがプロセッサによって実行されると、請求項１〜１８のいずれか１項に記載のハイブリッド自動再送要求確認ＨＡＲＱ−ＡＣＫ送信方法が実現され、
又は、前記コンピュータプログラムがプロセッサによって実行されると、請求項１９〜３６のいずれか１項に記載のハイブリッド自動再送要求確認ＨＡＲＱ−ＡＣＫ受信方法が実現される、コンピュータ読み取り可能な記憶媒体。
【発明の詳細な説明】
【技術分野】
【０００１】
関連出願の相互参照
本願は、２０１８年８月１０日に中国特許庁に提出された中国特許出願２０１８１０９１２２１０．６の優先権を主張し、その全ての内容が援用によりここに取り込まれる。
本開示は、通信技術分野に係り、特にハイブリッド自動再送要求確認ＨＡＲＱ−ＡＣＫ（Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ）送信方法、受信方法、端末及び基地局に係る。
【背景技術】
【０００２】
移動通信のトラフィックニーズの発展及び変化に伴い、国際電気通信連合ＩＴＵ（Ｉｎｔｅｒｎａｔｉｏｎａｌ  Ｔｅｌｅｃｏｍｍｕｎｉｃａｔｉｏｎ  Ｕｎｉｏｎ）等の複数の団体は、例えば第５世代無線通信システム５Ｇ  ＮＲ（５ｔｈ  Ｇｅｎｅｒａｔｉｏｎ  Ｎｅｗ  ＲＡＴ）等の新しい無線通信システムＮＲ（Ｎｅｗ  ＲＡＴ）の研究を開始している。半持続スケジューリングＳＰＳ（Ｓｅｍｉ−ｐｅｒｓｉｓｔｅｎｔ  Ｓｃｈｅｄｕｌｉｎｇ）物理下り共有チャネルＰＤＳＣＨ（Ｐｈｙｓｉｃａｌ  Ｄｏｗｎｌｉｎｋ  Ｓｈａｒｅｄ  ＣＨａｎｎｅｌ）伝送がサポートされるＮＲでは、基地局は、対応する時間領域位置及び周波数領域リソースでＳＰＳ  ＰＤＳＣＨを送信し、端末は、対応する時間領域位置及び周波数領域リソースでＳＰＳ  ＰＤＳＣＨを受信する。
【０００３】
端末は、ＳＰＳ  ＰＤＳＣＨを受信すると、このＳＰＳ  ＰＤＳＣＨ伝送が正しく受信されたか否かを基地局に通知するために、物理上り制御チャネルＰＵＣＣＨ（Ｐｈｙｓｉｃａｌ  Ｕｐｌｉｎｋ  Ｃｏｎｔｒｏｌ  ＣＨａｎｎｅｌ）又は物理上り共有チャネルＰＵＳＣＨ（Ｐｈｙｓｉｃａｌ  Ｕｐｌｉｎｋ  Ｓｈａｒｅｄ  Ｃｈａｎｎｅｌ）でＳＰＳ  ＰＤＳＣＨのＨＡＲＱ−ＡＣＫフィードバック情報を送信する。
【０００４】
新しい無線通信システムでは、例えばチャネル状態情報ＣＳＩ（Ｃｈａｎｎｅｌ  Ｓｔａｔｅ  Ｉｎｆｏｒｍａｔｉｏｎ）、スケジューリング要求ＳＲ（Ｓｃｈｅｄｕｌｉｎｇ  Ｒｅｑｕｅｓｔ）などの他の上り制御情報ＵＣＩ（Ｕｐｌｉｎｋ  Ｃｏｎｔｒｏｌ  Ｉｎｆｏｒｍａｔｉｏｎ）伝送も設定可能である。ＳＰＳ  ＰＤＳＣＨのＨＡＲＱ−ＡＣＫフィードバックの伝送時間領域位置とＵＣＩ伝送の時間領域位置とが重複する場合、ＳＰＳ  ＰＤＳＣＨのＨＡＲＱ−ＡＣＫを伝送するＰＵＣＣＨリソースは、上位層シグナリングによって予め設定されたＰＵＣＣＨフォーマット（ｆｏｒｍａｔ）０又は１リソースであり、２ビットを超える情報を搬送する伝送には使用できないため、ＳＰＳ  ＰＤＳＣＨのＨＡＲＱ−ＡＣＫを伝送するためのＰＵＣＣＨリソース上に他のＵＣＩとＳＰＳ  ＰＤＳＣＨのＨＡＲＱ−ＡＣＫを同時に伝送することがサポートされない。
【発明の概要】
【解決しようとする技術課題】
【０００５】
これに鑑みて、本開示は、ＳＰＳ  ＰＤＳＣＨのＨＡＲＱ−ＡＣＫを伝送するためのＰＵＣＣＨリソース上に他のＵＣＩとＳＰＳ  ＰＤＳＣＨのＨＡＲＱ−ＡＣＫを同時に伝送することがサポートされないという関連技術の問題を解決するために、ＨＡＲＱ−ＡＣＫ送信方法、受信方法、端末及び基地局を提供する。
【課題を解決するための手段】
【０００６】
上記の技術問題を解決するために、本開示に係る、端末に応用されるハイブリッド自動再送要求確認ＨＡＲＱ−ＡＣＫ送信方法は、
半持続スケジューリング物理下り共有チャネルＳＰＳ  ＰＤＳＣＨのＨＡＲＱ−ＡＣＫを伝送するための少なくとも１つの物理上り制御チャネルＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することと、
決定された前記ＰＵＣＣＨリソースで前記ＳＰＳ  ＰＤＳＣＨのＨＡＲＱ−ＡＣＫを送信することと、
を含む。
【０００７】
任意選択で、前記ＳＰＳ  ＰＤＳＣＨのＨＡＲＱ−ＡＣＫと第１タイプの上り制御情報ＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中の所定ＰＵＣＣＨリソースと、前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定することを含む。
【０００８】
任意選択で、前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含み、
前記決定された前記ＰＵＣＣＨリソースで前記ＳＰＳ  ＰＤＳＣＨのＨＡＲＱ−ＡＣＫを送信することは、
前記ＳＰＳ  ＰＤＳＣＨのＨＡＲＱ−ＡＣＫと前記第１タイプのＵＣＩを、決定された前記第１タイプのＰＵＣＣＨリソースで送信することを含む。
【０００９】
任意選択で、前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む。
【００１０】
任意選択で、前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定することを含み、
前記決定された前記ＰＵＣＣＨリソースで前記ＳＰＳ  ＰＤＳＣＨのＨＡＲＱ−ＡＣＫを送信することは、
前記ＳＰＳ  ＰＤＳＣＨのＨＡＲＱ−ＡＣＫと前記第１タイプのＵＣＩを、決定された前記第１タイプのＰＵＣＣＨリソースで送信することを含む。
【００１１】
任意選択で、前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含み、
前記決定された前記ＰＵＣＣＨリソースで前記ＳＰＳ  ＰＤＳＣＨのＨＡＲＱ−ＡＣＫを送信することは、
前記ＳＰＳ  ＰＤＳＣＨのＨＡＲＱ−ＡＣＫと前記第１タイプのＵＣＩを、決定された前記第１タイプのＰＵＣＣＨリソースで送信することを含む。
【００１２】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に第２タイプのＰＵＣＣＨリソースを更に含む場合、１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む。
【００１３】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫを伝送するためのＰＵＣＣＨリソースに決定することを含む。
【００１４】
任意選択で、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することは、
前記少なくとも１つのＰＵＣＣＨリソースの中に少なくとも２つの第１タイプのＰＵＣＣＨリソースを含む場合、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩによって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含む。
【００１５】
任意選択で、前記１つの第２タイプのＰＵＣＣＨリソースを、前記ＳＰＳ  ＰＤＳＣＨのＨＡＲＱ−ＡＣＫを伝送するためのＰＵＣＣＨリソースに決定することは、
前記少なくとも１つのＰＵＣＣＨリソースの中に少なくとも２つの前記第２タイプのＰＵＣＣＨリソースを含む場合、前記少なくとも２つの第２タイプのＰＵＣＣＨリソースの中から、
ＳＰＳ  ＰＤＳＣＨ活性化を指示するＰＤＣＣＨの中のＰＲＩによって指示される１つの第２タイプのＰＵＣＣＨリソース、
最も番号の小さい第２タイプのＰＵＣＣＨリソース、
最初の第２タイプのＰＵＣＣＨリソース、
のうちのいずれか１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む。
【００１６】
任意選択で、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、
前記ＳＰＳ  ＰＤＳＣＨのＨＡＲＱ−ＡＣＫの伝送機会が第１タイプのＵＣＩの伝送機会と重複するかを判断することを更に含み、
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
前記ＳＰＳ  ＰＤＳＣＨのＨＡＲＱ−ＡＣＫの伝送機会が第１タイプのＵＣＩの伝送機会と重複する場合、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む。
【００１７】
任意選択で、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、
ＳＰＳ  ＰＤＳＣＨのＨＡＲＱ−ＡＣＫと第１タイプのＵＣＩの同時伝送をサポートするか否かを判断することを更に含み、
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
ＳＰＳ  ＰＤＳＣＨのＨＡＲＱ−ＡＣＫと第１タイプのＵＣＩの同時伝送がサポートされる場合、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む。
【００１８】
任意選択で、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、
前記少なくとも１つのＰＵＣＣＨリソースを設定シグナリングに基づいて決定することを更に含む。
【００１９】
任意選択で、前記少なくとも１つのＰＵＣＣＨリソースの中の所定ＰＵＣＣＨリソースは、
前記少なくとも１つのＰＵＣＣＨリソースの中の最も小さい番号のＰＵＣＣＨリソース、
前記少なくとも１つのＰＵＣＣＨリソースの中の最初のＰＵＣＣＨリソース、
ＳＰＳ  ＰＤＳＣＨ活性化を指示するＰＤＣＣＨの中のＰＲＩに基づいて決定されるＰＵＣＣＨリソース、
前記少なくとも１つのＰＵＣＣＨリソースの中に第２タイプのＰＵＣＣＨリソースを更に含む場合の第２タイプのＰＵＣＣＨリソース、
前記少なくとも１つのＰＵＣＣＨリソースの中に少なくとも２つの第２タイプのＰＵＣＣＨリソースを更に含む場合の最も小さい番号の第２タイプのＰＵＣＣＨリソース、
前記少なくとも１つのＰＵＣＣＨリソースの中に少なくとも２つの第２タイプのＰＵＣＣＨリソースを更に含む場合の最初の第２タイプのＰＵＣＣＨリソース、
のうちのいずれか１つである。
【００２０】
任意選択で、前記第１タイプのＵＣＩは、
チャネル状態情報ＣＳＩ及びスケジューリング要求ＳＲのいずれか１つ又は複数を含む。
【００２１】
任意選択で、前記第１タイプのＰＵＣＣＨリソースは、
ＰＵＣＣＨフォーマット２リソース、ＰＵＣＣＨフォーマット３リソース、ＰＵＣＣＨフォーマット４リソースのいずれか１つである。
【００２２】
任意選択で、前記第２タイプのＰＵＣＣＨリソースは、
ＰＵＣＣＨフォーマット０リソース及びＰＵＣＣＨフォーマット１リソースのいずれか１つである。
【００２３】
任意選択で、前記１つの時間単位は、
１つのサブフレーム、１つのスロット、１つのミニスロットのいずれか１つである。
【００２４】
第２態様に係る、基地局に応用されるハイブリッド自動再送要求確認ＨＡＲＱ−ＡＣＫ受信方法、
半持続スケジューリング物理下り共有チャネルＳＰＳ  ＰＤＳＣＨのＨＡＲＱ−ＡＣＫを伝送するための少なくとも１つの物理上り制御チャネルＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することと、
決定された前記ＰＵＣＣＨリソースで前記ＳＰＳ  ＰＤＳＣＨのＨＡＲＱ−ＡＣＫを受信することと、
を含む。
【００２５】
任意選択で、前記ＳＰＳ  ＰＤＳＣＨのＨＡＲＱ−ＡＣＫと第１タイプの上り制御情報ＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中の所定ＰＵＣＣＨリソースと、前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定することを含む。
【００２６】
任意選択で、前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含み、
前記決定された前記ＰＵＣＣＨリソースで前記ＳＰＳ  ＰＤＳＣＨのＨＡＲＱ−ＡＣＫを受信することは、
前記ＳＰＳ  ＰＤＳＣＨのＨＡＲＱ−ＡＣＫと前記第１タイプのＵＣＩを、決定された前記第１タイプのＰＵＣＣＨリソースで受信することを含む。
【００２７】
任意選択で、前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む。
【００２８】
任意選択で、前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定することを含み、
前記決定された前記ＰＵＣＣＨリソースで前記ＳＰＳ  ＰＤＳＣＨのＨＡＲＱ−ＡＣＫを受信することは、
前記ＳＰＳ  ＰＤＳＣＨのＨＡＲＱ−ＡＣＫと前記第１タイプのＵＣＩを、決定された前記第１タイプのＰＵＣＣＨリソースで受信することを含む。
【００２９】
任意選択で、前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含み、
前記決定された前記ＰＵＣＣＨリソースで前記ＳＰＳ  ＰＤＳＣＨのＨＡＲＱ−ＡＣＫを受信することは、
前記ＳＰＳ  ＰＤＳＣＨのＨＡＲＱ−ＡＣＫと前記第１タイプのＵＣＩを、決定された前記第１タイプのＰＵＣＣＨリソースで受信することを含む。
【００３０】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に第２タイプのＰＵＣＣＨリソースを更に含む場合、１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む。
【００３１】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫを伝送するためのＰＵＣＣＨリソースに決定することを含む。
【００３２】
任意選択で、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することは、
前記少なくとも１つのＰＵＣＣＨリソースの中に少なくとも２つの第１タイプのＰＵＣＣＨリソースを含む場合、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩによって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含む。
【００３３】
任意選択で、前記１つの第２タイプのＰＵＣＣＨリソースを、前記ＳＰＳ  ＰＤＳＣＨのＨＡＲＱ−ＡＣＫを伝送するためのＰＵＣＣＨリソースに決定することは、
前記少なくとも１つのＰＵＣＣＨリソースの中に少なくとも２つの前記第２タイプのＰＵＣＣＨリソースを含む場合、前記少なくとも２つの第２タイプのＰＵＣＣＨリソースの中から、
ＳＰＳ  ＰＤＳＣＨ活性化を指示するＰＤＣＣＨの中のＰＲＩによって指示される１つの第２タイプのＰＵＣＣＨリソース、
最も番号の小さい第２タイプのＰＵＣＣＨリソース、
最初の第２タイプのＰＵＣＣＨリソース、
のうちのいずれか１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む。
【００３４】
任意選択で、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、
前記ＳＰＳ  ＰＤＳＣＨのＨＡＲＱ−ＡＣＫの伝送機会が第１タイプのＵＣＩの伝送機会と重複するかを判断することを更に含み、
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
前記ＳＰＳ  ＰＤＳＣＨのＨＡＲＱ−ＡＣＫの伝送機会が第１タイプのＵＣＩの伝送機会と重複する場合、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む。
【００３５】
任意選択で、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、
ＳＰＳ  ＰＤＳＣＨのＨＡＲＱ−ＡＣＫと第１タイプのＵＣＩの同時伝送をサポートするか否かを判断することを更に含み、
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
ＳＰＳ  ＰＤＳＣＨのＨＡＲＱ−ＡＣＫと第１タイプのＵＣＩの同時伝送がサポートされる場合、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む。
【００３６】
任意選択で、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、
前記少なくとも１つのＰＵＣＣＨリソースを設定シグナリングに基づいて決定することを更に含む。
【００３７】
任意選択で、前記少なくとも１つのＰＵＣＣＨリソースの中の所定ＰＵＣＣＨリソースは、
前記少なくとも１つのＰＵＣＣＨリソースの中の最も小さい番号のＰＵＣＣＨリソース、
前記少なくとも１つのＰＵＣＣＨリソースの中の最初のＰＵＣＣＨリソース、
ＳＰＳ  ＰＤＳＣＨ活性化を指示するＰＤＣＣＨの中のＰＲＩに基づいて決定されるＰＵＣＣＨリソース、
前記少なくとも１つのＰＵＣＣＨリソースの中に第２タイプのＰＵＣＣＨリソースを更に含む場合の第２タイプのＰＵＣＣＨリソース、
前記少なくとも１つのＰＵＣＣＨリソースの中に少なくとも２つの第２タイプのＰＵＣＣＨリソースを更に含む場合の最も小さい番号の第２タイプのＰＵＣＣＨリソース、
前記少なくとも１つのＰＵＣＣＨリソースの中に少なくとも２つの第２タイプのＰＵＣＣＨリソースを更に含む場合の最初の第２タイプのＰＵＣＣＨリソース、
のうちのいずれか１つである。
【００３８】
任意選択で、前記第１タイプのＵＣＩは、
チャネル状態情報ＣＳＩ及びスケジューリング要求ＳＲのいずれか１つ又は複数を含む。
【００３９】
任意選択で、前記第１タイプのＰＵＣＣＨリソースは、
ＰＵＣＣＨフォーマット２リソース、ＰＵＣＣＨフォーマット３リソース、ＰＵＣＣＨフォーマット４リソースのいずれか１つである。
【００４０】
任意選択で、前記第２タイプのＰＵＣＣＨリソースは、
ＰＵＣＣＨフォーマット０リソース及びＰＵＣＣＨフォーマット１リソースのいずれか１つである。
【００４１】
任意選択で、前記１つの時間単位は、
１つのサブフレーム、１つのスロット、１つのミニスロットのいずれか１つである。
【００４２】
第３態様に係る端末は、
半持続スケジューリング物理下り共有チャネルＳＰＳ  ＰＤＳＣＨのハイブリッド自動再送要求確認ＨＡＲＱ−ＡＣＫを伝送するための少なくとも１つの物理上り制御チャネルＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定する決定モジュールと、
決定された前記ＰＵＣＣＨリソースで前記ＳＰＳ  ＰＤＳＣＨのＨＡＲＱ−ＡＣＫを送信する送信モジュールと、
を含む。
【００４３】
任意選択で、前記ＳＰＳ  ＰＤＳＣＨのＨＡＲＱ−ＡＣＫと第１タイプの上り制御情報ＵＣＩとが同一の時間単位で伝送される場合、前記時間単位で、前記決定モジュールは、具体的に、
前記少なくとも１つのＰＵＣＣＨリソースの中の所定ＰＵＣＣＨリソースと、前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定する。
【００４４】
任意選択で、前記ＳＰＳ  ＰＤＳＣＨのＨＡＲＱ−ＡＣＫと第１タイプのＵＣＩとが同一の時間単位で伝送される場合、前記時間単位で、前記決定モジュールは、具体的に、
前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定し、
前記送信モジュールは、具体的に、
前記ＳＰＳ  ＰＤＳＣＨのＨＡＲＱ−ＡＣＫと前記第１タイプのＵＣＩを、決定された前記第１タイプのＰＵＣＣＨリソースで送信する。
【００４５】
任意選択で、前記ＳＰＳ  ＰＤＳＣＨのＨＡＲＱ−ＡＣＫと第１タイプのＵＣＩとが同一の時間単位で伝送される場合、前記時間単位で、前記決定モジュールは、具体的に、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定する。
【００４６】
任意選択で、前記ＳＰＳ  ＰＤＳＣＨのＨＡＲＱ−ＡＣＫと第１タイプのＵＣＩとが同一の時間単位で伝送される場合、前記時間単位で、前記決定モジュールは、具体的に、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定し、
前記送信モジュールは、具体的に、
前記ＳＰＳ  ＰＤＳＣＨのＨＡＲＱ−ＡＣＫと前記第１タイプのＵＣＩを、決定された前記第１タイプのＰＵＣＣＨリソースで送信する。
【００４７】
任意選択で、前記ＳＰＳ  ＰＤＳＣＨのＨＡＲＱ−ＡＣＫと第１タイプのＵＣＩとが同一の時間単位で伝送される場合、前記時間単位で、前記決定モジュールは、具体的に、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定し、
前記送信モジュールは、具体的に、
前記ＳＰＳ  ＰＤＳＣＨのＨＡＲＱ−ＡＣＫと前記第１タイプのＵＣＩを、決定された前記第１タイプのＰＵＣＣＨリソースで送信する。
【００４８】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記決定モジュールは、具体的に、
前記少なくとも１つのＰＵＣＣＨリソースの中に第２タイプのＰＵＣＣＨリソースを更に含む場合、１つの第２タイプのＰＵＣＣＨリソースを、前記ＳＰＳ  ＰＤＳＣＨのＨＡＲＱ−ＡＣＫを伝送するためのＰＵＣＣＨリソースに決定する。
【００４９】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記決定モジュールは、具体的に、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫを伝送するためのＰＵＣＣＨリソースに決定する。
【００５０】
任意選択で、前記決定モジュールが、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することは、
前記少なくとも１つのＰＵＣＣＨリソースの中に少なくとも２つの第１タイプのＰＵＣＣＨリソースを含む場合、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩによって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含む。
【００５１】
任意選択で、前記決定モジュールが、１つの第２タイプのＰＵＣＣＨリソースを、前記ＳＰＳ  ＰＤＳＣＨのＨＡＲＱ−ＡＣＫを伝送するためのＰＵＣＣＨリソースに決定することは、
前記少なくとも１つのＰＵＣＣＨリソースの中に少なくとも２つの前記第２タイプのＰＵＣＣＨリソースを含む場合、前記少なくとも２つの第２タイプのＰＵＣＣＨリソースの中から、
ＳＰＳ  ＰＤＳＣＨ活性化を指示するＰＤＣＣＨの中のＰＲＩによって指示される１つの第２タイプのＰＵＣＣＨリソース、
最も番号の小さい第２タイプのＰＵＣＣＨリソース、
最初の第２タイプのＰＵＣＣＨリソース、
のうちのいずれか１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む。
【００５２】
任意選択で、前記決定モジュールは、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前には、更に、
前記ＳＰＳ  ＰＤＳＣＨのＨＡＲＱ−ＡＣＫの伝送機会が第１タイプのＵＣＩの伝送機会と重複するかを判断し、
前記決定モジュールは、具体的に、
前記ＳＰＳ  ＰＤＳＣＨのＨＡＲＱ−ＡＣＫの伝送機会が第１タイプのＵＣＩの伝送機会と重複する場合、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定する。
【００５３】
任意選択で、前記決定モジュールは、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前には、更に、
ＳＰＳ  ＰＤＳＣＨのＨＡＲＱ−ＡＣＫと第１タイプのＵＣＩの同時伝送をサポートするか否かを判断し、
前記決定モジュールは、具体的に、
ＳＰＳ  ＰＤＳＣＨのＨＡＲＱ−ＡＣＫと第１タイプのＵＣＩの同時伝送がサポートされる場合、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する。
【００５４】
任意選択で、前記決定モジュールは、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前には、更に、
前記少なくとも１つのＰＵＣＣＨリソースを設定シグナリングに基づいて決定する。
【００５５】
任意選択で、前記少なくとも１つのＰＵＣＣＨリソースの中の所定ＰＵＣＣＨリソースは、
前記少なくとも１つのＰＵＣＣＨリソースの中の最も小さい番号のＰＵＣＣＨリソース、
前記少なくとも１つのＰＵＣＣＨリソースの中の最初のＰＵＣＣＨリソース、
ＳＰＳ  ＰＤＳＣＨ活性化を指示するＰＤＣＣＨの中のＰＲＩに基づいて決定されるＰＵＣＣＨリソース、
前記少なくとも１つのＰＵＣＣＨリソースの中に第２タイプのＰＵＣＣＨリソースを更に含む場合の第２タイプのＰＵＣＣＨリソース、
前記少なくとも１つのＰＵＣＣＨリソースの中に少なくとも２つの第２タイプのＰＵＣＣＨリソースを更に含む場合の最も小さい番号の第２タイプのＰＵＣＣＨリソース、
前記少なくとも１つのＰＵＣＣＨリソースの中に少なくとも２つの第２タイプのＰＵＣＣＨリソースを更に含む場合の最初の第２タイプのＰＵＣＣＨリソース、
のうちのいずれか１つである。
【００５６】
任意選択で、前記第１タイプのＵＣＩは、
チャネル状態情報ＣＳＩ及びスケジューリング要求ＳＲのいずれか１つ又は複数を含む。
【００５７】
任意選択で、前記第１タイプのＰＵＣＣＨリソースは、
ＰＵＣＣＨフォーマット２リソース、ＰＵＣＣＨフォーマット３リソース、ＰＵＣＣＨフォーマット４リソースのいずれか１つである。
【００５８】
任意選択で、前記第２タイプのＰＵＣＣＨリソースは、
ＰＵＣＣＨフォーマット０リソース及びＰＵＣＣＨフォーマット１リソースのいずれか１つである。
【００５９】
任意選択で、前記１つの時間単位は、
１つのサブフレーム、１つのスロット、１つのミニスロットのいずれか１つである。
【００６０】
第４態様に係る基地局は、
半持続スケジューリング物理下り共有チャネルＳＰＳ  ＰＤＳＣＨのハイブリッド自動再送要求確認ＨＡＲＱ−ＡＣＫを伝送するための少なくとも１つの物理上り制御チャネルＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定する決定モジュールと、
決定された前記ＰＵＣＣＨリソースで前記ＳＰＳ  ＰＤＳＣＨのＨＡＲＱ−ＡＣＫを受信する受信モジュールと、
を含む。
【００６１】
任意選択で、前記ＳＰＳ  ＰＤＳＣＨのＨＡＲＱ−ＡＣＫと第１タイプの上り制御情報ＵＣＩとが同一の時間単位で伝送される場合、前記時間単位で、前記決定モジュールは、具体的に、
前記少なくとも１つのＰＵＣＣＨリソースの中の所定ＰＵＣＣＨリソースと、前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定する。
【００６２】
任意選択で、前記ＳＰＳ  ＰＤＳＣＨのＨＡＲＱ−ＡＣＫと第１タイプのＵＣＩとが同一の時間単位で伝送される場合、前記時間単位で、前記決定モジュールは、具体的に、
前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定し、
前記受信モジュールは、具体的に、
前記ＳＰＳ  ＰＤＳＣＨのＨＡＲＱ−ＡＣＫと前記第１タイプのＵＣＩを、決定された前記第１タイプのＰＵＣＣＨリソースで受信する。
【００６３】
任意選択で、前記ＳＰＳ  ＰＤＳＣＨのＨＡＲＱ−ＡＣＫと第１タイプのＵＣＩとが同一の時間単位で伝送される場合、前記時間単位で、前記決定モジュールは、具体的に、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定する。
【００６４】
任意選択で、前記ＳＰＳ  ＰＤＳＣＨのＨＡＲＱ−ＡＣＫと第１タイプのＵＣＩとが同一の時間単位で伝送される場合、前記時間単位で、前記決定モジュールは、具体的に、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定し、
前記受信モジュールは、具体的に、
前記ＳＰＳ  ＰＤＳＣＨのＨＡＲＱ−ＡＣＫと前記第１タイプのＵＣＩを、決定された前記第１タイプのＰＵＣＣＨリソースで受信する。
【００６５】
任意選択で、前記ＳＰＳ  ＰＤＳＣＨのＨＡＲＱ−ＡＣＫと第１タイプのＵＣＩとが同一の時間単位で伝送される場合、前記時間単位で、前記決定モジュールは、具体的に、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定し、
前記受信モジュールは、具体的に、
前記ＳＰＳ  ＰＤＳＣＨのＨＡＲＱ−ＡＣＫと前記第１タイプのＵＣＩを、決定された前記第１タイプのＰＵＣＣＨリソースで受信する。
【００６６】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記決定モジュールは、具体的に、
前記少なくとも１つのＰＵＣＣＨリソースの中に第２タイプのＰＵＣＣＨリソースを更に含む場合、１つの第２タイプのＰＵＣＣＨリソースを、前記ＳＰＳ  ＰＤＳＣＨのＨＡＲＱ−ＡＣＫを伝送するためのＰＵＣＣＨリソースに決定する。
【００６７】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記決定モジュールは、具体的に、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫを伝送するためのＰＵＣＣＨリソースに決定する。
【００６８】
任意選択で、前記決定モジュールが、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することは、
前記少なくとも１つのＰＵＣＣＨリソースの中に少なくとも２つの第１タイプのＰＵＣＣＨリソースを含む場合、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩによって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含む。
【００６９】
任意選択で、前記決定モジュールが、１つの第２タイプのＰＵＣＣＨリソースを、前記ＳＰＳ  ＰＤＳＣＨのＨＡＲＱ−ＡＣＫを伝送するためのＰＵＣＣＨリソースに決定することは、
前記少なくとも１つのＰＵＣＣＨリソースの中に少なくとも２つの前記第２タイプのＰＵＣＣＨリソースを含む場合、前記少なくとも２つの第２タイプのＰＵＣＣＨリソースの中から、
ＳＰＳ  ＰＤＳＣＨ活性化を指示するＰＤＣＣＨの中のＰＲＩによって指示される１つの第２タイプのＰＵＣＣＨリソース、
最も番号の小さい第２タイプのＰＵＣＣＨリソース、
最初の第２タイプのＰＵＣＣＨリソース、
のうちのいずれか１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む。
【００７０】
任意選択で、前記決定モジュールは、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前には、更に、
前記ＳＰＳ  ＰＤＳＣＨのＨＡＲＱ−ＡＣＫの伝送機会が第１タイプのＵＣＩの伝送機会と重複するかを判断し、
前記決定モジュールが、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
前記ＳＰＳ  ＰＤＳＣＨのＨＡＲＱ−ＡＣＫの伝送機会が第１タイプのＵＣＩの伝送機会と重複する場合、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む。
【００７１】
任意選択で、前記決定モジュールは、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前には、更に、
ＳＰＳ  ＰＤＳＣＨのＨＡＲＱ−ＡＣＫと第１タイプのＵＣＩの同時伝送をサポートするか否かを判断し、
前記決定モジュールが、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
ＳＰＳ  ＰＤＳＣＨのＨＡＲＱ−ＡＣＫと第１タイプのＵＣＩの同時伝送がサポートされる場合、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む。
【００７２】
任意選択で、前記決定モジュールは、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前には、更に、
前記少なくとも１つのＰＵＣＣＨリソースを設定シグナリングに基づいて決定する。
【００７３】
任意選択で、前記少なくとも１つのＰＵＣＣＨリソースの中の所定ＰＵＣＣＨリソースは、
前記少なくとも１つのＰＵＣＣＨリソースの中の最も小さい番号のＰＵＣＣＨリソース、
前記少なくとも１つのＰＵＣＣＨリソースの中の最初のＰＵＣＣＨリソース、
ＳＰＳ  ＰＤＳＣＨ活性化を指示するＰＤＣＣＨの中のＰＲＩに基づいて決定されるＰＵＣＣＨリソース、
前記少なくとも１つのＰＵＣＣＨリソースの中に第２タイプのＰＵＣＣＨリソースを更に含む場合の第２タイプのＰＵＣＣＨリソース、
前記少なくとも１つのＰＵＣＣＨリソースの中に少なくとも２つの第２タイプのＰＵＣＣＨリソースを更に含む場合の最も小さい番号の第２タイプのＰＵＣＣＨリソース、
前記少なくとも１つのＰＵＣＣＨリソースの中に少なくとも２つの第２タイプのＰＵＣＣＨリソースを更に含む場合の最初の第２タイプのＰＵＣＣＨリソース、
のうちのいずれか１つである。
【００７４】
任意選択で、前記第１タイプのＵＣＩは、
チャネル状態情報ＣＳＩ及びスケジューリング要求ＳＲのいずれか１つ又は複数を含む。
【００７５】
任意選択で、前記第１タイプのＰＵＣＣＨリソースは、
ＰＵＣＣＨフォーマット２リソース、ＰＵＣＣＨフォーマット３リソース、ＰＵＣＣＨフォーマット４リソースのいずれか１つである。
【００７６】
任意選択で、前記第２タイプのＰＵＣＣＨリソースは、
ＰＵＣＣＨフォーマット０リソース及びＰＵＣＣＨフォーマット１リソースのいずれか１つである。
【００７７】
任意選択で、前記１つの時間単位は、
１つのサブフレーム、１つのスロット、１つのミニスロットのいずれか１つである。
【００７８】
第５態様に係る、プロセッサと、メモリと、前記メモリに格納されて前記プロセッサで実行可能なプログラムとを含む端末は、
前記プログラムが前記プロセッサによって実行されると、上記ＨＡＲＱ−ＡＣＫ送信方法が実現される。
【００７９】
第６態様に係る、プロセッサと、メモリと、前記メモリに格納されて前記プロセッサで実行可能なプログラムとを含む基地局は、
前記プログラムが前記プロセッサによって実行されると、上記ＨＡＲＱ−ＡＣＫ受信方法が実現される。
【００８０】
第７態様に係る、コンピュータプログラムが格納されているコンピュータ読み取り可能な記憶媒体は、
前記コンピュータプログラムがプロセッサによって実行されると、上記ＨＡＲＱ−ＡＣＫ送信方法が実現され、又は、前記コンピュータプログラムがプロセッサによって実行されると、上記ＨＡＲＱ−ＡＣＫ受信方法が実現される。
【発明の効果】
【００８１】
本開示の実施例において、ＳＰＳ  ＰＤＳＣＨのＨＡＲＱ−ＡＣＫを伝送するための少なくとも１つのＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定し、決定された前記ＰＵＣＣＨリソースで前記ＳＰＳ  ＰＤＳＣＨのＨＡＲＱ−ＡＣＫを送信することによって、伝送リソースを柔軟に選択することができ、複数のＰＵＣＣＨリソースが衝突する際に、いかなるＵＣＩもドロップすることなく、適切なＰＵＣＣＨリソースを選択して同時伝送を行うことができるので、複数種類のＵＣＩを基地局がタイムリーに取得することを保証し、ＵＣＩ伝送効率を向上させ、システム性能を向上させる。
【図面の簡単な説明】
【００８２】
【図１】本開示の実施例に係る無線通信システムのアーキテクチャ―図である。
【図２】本開示の実施例に係るＨＡＲＱ−ＡＣＫ送信方法のフローチャートである。
【図３】本開示の実施例に係るＨＡＲＱ−ＡＣＫ伝送図その１である。
【図４】本開示の実施例に係るＨＡＲＱ−ＡＣＫ伝送図その２である。
【図５】本開示の実施例に係るＨＡＲＱ−ＡＣＫ伝送図その３である。
【図６】本開示の実施例に係るＨＡＲＱ−ＡＣＫ伝送図その４である。
【図７】本開示の実施例に係るＨＡＲＱ−ＡＣＫ伝送図その５である。
【図８】本開示の実施例に係るＨＡＲＱ−ＡＣＫ伝送図その６である。
【図９】本開示の実施例に係るＨＡＲＱ−ＡＣＫ伝送図その７である。
【図１０】本開示の実施例に係るＨＡＲＱ−ＡＣＫ受信方法のフローチャートである。
【図１１】本開示の実施例に係る端末の模式図その１である。
【図１２】本開示の実施例に係る基地局の模式図その１である。
【図１３】本開示の実施例に係る端末の模式図その２である。
【図１４】本開示の実施例に係る基地局の模式図その２である。
【図１５】本開示の実施例に係る端末の模式図その３である。
【図１６】本開示の実施例に係る基地局の模式図その３である。
【発明を実施するための形態】
【００８３】
以下、図面及び実施例を参照しながら、本開示の具体的な実施形態を更に詳細に記載する。以下の実施例は、本開示を説明するためのものであり、本開示の範囲を制限するためのものではない。
【００８４】
本願の明細書及び特許請求の範囲における「含む」及びそのあらゆる変形は、非排他的に含むことを意味する。例えば、一連のステップ又はユニットを含むプロセス、方法、システム、製品又は機器は、明確に列挙されているステップ又はユニットに限定されず、明確に列挙されていないものや、これらのプロセス、方法、製品又は機器に固有の他のステップ又はユニットを含んでもよい。また、明細書及び請求項に使用される「及び／又は」は、連結対象のうちの少なくとも１つを示す。例えばＡ及び／又はＢは、Ａのみ、Ｂのみ、及び、ＡとＢの両方の３種類のケースを示す。
【００８５】
本開示の実施例において、「例示的」又は「例えば」などの用語は、例、例証又は説明を示すことに用いられる。本開示の実施例において、「例示的」又は「例えば」で記載されるあらゆる実施例や設計手段は、ほかの実施例や設計手段より好適であり又は優位に立つというふうに解釈されてはならない。適切に言えば、「例示的」又は「例えば」などの用語は、具体的な方式で関連概念を示すという目的で使用される。
【００８６】
本明細書で説明される技術は、ロングタームエボリューションＬＴＥ（登録商標）（Ｌｏｎｇ  Ｔｉｍｅ  Ｅｖｏｌｕｔｉｏｎ）／ＬＴＥ−Ａ（ＬＴＥ−Ａｄｖａｎｃｅｄ）システムに限定されず、符号分割多元接続ＣＤＭＡ（Ｃｏｄｅ  Ｄｉｖｉｓｉｏｎ  Ｍｕｌｔｉｐｌｅ  Ａｃｃｅｓｓ）、時分割多元接続ＴＤＭＡ（Ｔｉｍｅ  Ｄｉｖｉｓｉｏｎ  Ｍｕｌｔｉｐｌｅ  Ａｃｃｅｓｓ）、周波数分割多元接続ＦＤＭＡ（Ｆｒｅｑｕｅｎｃｙ  Ｄｉｖｉｓｉｏｎ  Ｍｕｌｔｉｐｌｅ  Ａｃｃｅｓｓ）、直交周波数分割多元接続ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、シングルキャリア周波数分割多元接続ＳＣ−ＦＤＭＡ（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ）及び他のシステムなどの様々な無線通信システムに使用される。用語「システム」及び「ネットワーク」は、しばしば交換可能に使用される。ＣＤＭＡシステムは、ＣＤＭＡ２０００、ユニバーサル地上無線アクセスＵＴＲＡ（Ｕｎｉｖｅｒｓａｌ  Ｔｅｒｒｅｓｔｒｉａｌ  Ｒａｄｉｏ  Ａｃｃｅｓｓ）などの無線技術を実現できる。ＵＴＲＡは、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）及び他のＣＤＭＡ変形形態を含む。ＴＤＭＡシステムは、グローバル移動通信システムＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）などの無線技術を実現できる。ＯＦＤＭＡシステムは、ＵＭＢ（Ｕｌｔｒａ  Ｍｏｂｉｌｅ  Ｂｒｏａｄｂａｎｄ）、Ｅ−ＵＴＲＡ（Ｅｖｏｌｕｔｉｏｎ−ＵＴＲＡ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、Ｆｌａｓｈ−ＯＦＤＭなどの無線技術を実現できる。ＵＴＲＡ及びＥ−ＵＴＲＡは、ユニバーサル移動体通信システムＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の部分である。ＬＴＥ及びＬＴＥ−Ａなどのより高レベルのＬＴＥは、Ｅ−ＵＴＲＡを使用する新しいＵＭＴＳリリースである。ＵＴＲＡ、Ｅ−ＵＴＲＡ、ＵＭＴＳ、ＬＴＥ、ＬＴＥ−Ａ及びＧＳＭは、「第３世代パートナーシッププロジェクト」（３ｒｄ  Ｇｅｎｅｒａｔｉｏｎ  Ｐａｒｔｎｅｒｓｈｉｐ  Ｐｒｏｊｅｃｔ：３  ＧＰＰ）という名称の組織からの文書に記載されている。ＣＤＭＡ２０００及びＵＭＢは、「第３世代パートナーシッププロジェクト２」（３ＧＰＰ２）という名称の組織からの文書に記載されている。本明細書で説明される技術は、以上で言及されたシステム及び無線技術に使用されるのみならず、他のシステム及び無線技術にも使用される。
【００８７】
移動通信のトラフィックニーズの発展及び変化に伴い、国際電気通信連合ＩＴＵ（Ｉｎｔｅｒｎａｔｉｏｎａｌ  Ｔｅｌｅｃｏｍｍｕｎｉｃａｔｉｏｎ  Ｕｎｉｏｎ）等の複数の団体は、例えば第５世代無線通信システム５Ｇ  ＮＲ（５ｔｈ  Ｇｅｎｅｒａｔｉｏｎ  Ｎｅｗ  ＲＡＴ）等の新しい無線通信システムＮＲ（Ｎｅｗ  ＲＡＴ）の研究を開始している。ＮＲでは、５種類のＰＵＣＣＨフォーマット（ｆｏｒｍａｔ）が定義されている。そのうち、ＰＵＣＣＨ  ｆｏｒｍａｔ０及び２は、時間領域で１〜２シンボルしか占有しないので、ショートＰＵＣＣＨフォーマットと呼ばれ、遅延に比較的敏感なトラフィックのＨＡＲＱ−ＡＣＫフィードバックに使用され、フィードバック遅延を低減させる。ＰＵＣＣＨ  ｆｏｒｍａｔ１／３／４は、時間領域で４〜１４シンボルを占有するため、ロングＰＵＣＣＨフォーマットと呼ばれ、遅延と上りカバレッジのトレードオフを実現することができる。上記シンボルは、直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル又はシングルキャリア周波数分割多重ＳＣ−ＦＤＭＡ（Ｓｉｎｇｌｅ−ｃａｒｒｉｅｒ  Ｆｒｅｑｕｅｎｃｙ−Ｄｉｖｉｓｉｏｎ  Ｍｕｌｔｉｐｌｅ  Ａｃｃｅｓｓ）シンボル又は離散フーリエ変換拡散の直交周波数分割多重ＤＦＴ−ｓ−ＯＦＤＭ（Ｄｉｓｃｒｅｔｅ  Ｆｏｕｒｉｅｒ  Ｔｒａｎｓｆｏｒｍ−ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルである。
【００８８】
１つの端末に対してＳＰＳ  ＰＤＳＣＨを設定した場合、ＳＰＳ  ＰＤＳＣＨに対して伝送間隔と設定スケジューリングＣＳ（ｃｏｎｆｉｇｕｒｅｄ  ｓｃｈｅｄｕｌｉｎｇ）−無線ネットワーク一時識別子ＲＮＴＩ（ＲａｄｉｏＮｅｔｗｏｒｋＴｅｍｐｏｒａｒｙＩｄｅｎｔｉｆｉｅｒ）とを設定する必要がある。該ＣＳ−ＲＮＴＩは、ＳＰＳトラフィックに対応する物理下り制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）、例えば、下りＳＰＳリソース活性化を指示するＰＤＣＣＨ、ＳＰＳ  ＰＤＳＣＨ伝送設定を更新するＰＤＣＣＨ、ＳＰＳ  ＰＤＳＣＨ再送をスケジューリングするＰＤＣＣＨなどを識別する。下りＳＰＳリソース活性化を指示するＰＤＣＣＨを受信すると、対応するＳＰＳ  ＰＤＳＣＨ伝送は、トリガーされる。即ち、予め設定された伝送間隔、下りＳＰＳリソース活性化を指示するＰＤＣＣＨの伝送位置、及びＰＤＣＣＨとＰＤＳＣＨとの間のスケジューリングタイミングに基づいて、後続ＳＰＳ  ＰＤＳＣＨの伝送位置を決定し、ＳＰＳ  ＰＤＳＣＨの伝送設定情報（例えば、変調符号化スキームＭＣＳ（Ｍｏｄｕｌａｔｉｏｎ  ａｎｄ  Ｃｏｄｉｎｇ  Ｓｃｈｅｍｅ）、周波数領域リソース等の情報）は、下りＳＰＳリソース活性化を指示するＰＤＣＣＨにおいて通知される。
【００８９】
端末は、ＳＰＳ  ＰＤＳＣＨを受信すると、ＰＵＣＣＨ又はＰＵＳＣＨでＳＰＳ  ＰＤＳＣＨのＨＡＲＱ−ＡＣＫフィードバック情報を送信し、このＳＰＳ  ＰＤＳＣＨ伝送が正しく受信されたか否かを基地局に通知する。端末は、ＨＡＲＱ−ＡＣＫフィードバックタイミングに基づいて、ＨＡＲＱ−ＡＣＫを伝送するための上り伝送位置を決定する。ＨＡＲＱ−ＡＣＫフィードバックタイミングは、ＰＤＳＣＨに対応する基準スロットとＨＡＲＱ−ＡＣＫが搬送されるＰＵＣＣＨのスロットとの間の間隔として定義され、ＨＡＲＱ−ＡＣＫタイミング値によって決定される。該ＨＡＲＱ−ＡＣＫタイミング値は、Ｋ１値として表され、下りＳＰＳリソース活性化を指示するＰＤＣＣＨの中のＨＡＲＱ−ＡＣＫタイミング指示フィールドによって指示されるか、上位層シグナリングによって予め設定される。ＳＰＳ  ＰＤＳＣＨは、設定に従って、対応する位置で伝送され、ＨＡＲＱ−ＡＣＫフィードバックタイミングに応じて決定した位置でＨＡＲＱ−ＡＣＫフィードバックに使用される。なお、ＨＡＲＱ−ＡＣＫフィードバックタイミングの定義は、ＨＡＲＱ−ＡＣＫを搬送する上り伝送とＰＤＳＣＨのベースバンドパラメータ（ｎｕｍｅｒｏｌｏｇｙ）が異なる場合があり、例えば、サブキャリア間隔が異なることを考慮し、基準スロットを定義することによって、ＨＡＲＱ−ＡＣＫを搬送する上り伝送のｎｕｍｅｒｏｌｏｇｙに対応する１つのスロット境界を、ＨＡＲＱ−ＡＣＫ伝送スロットを決定するための基準点として見つける必要がある。
【００９０】
ＮＲシステムでは、ＣＳＩ伝送も設定可能であり、予め設定された伝送周期とオフセット位置に基づいてＣＳＩの時間領域伝送位置を決定し、固定の位置で伝送する。ＰＵＣＣＨ上で伝送されるＣＳＩは、周期的ＣＳＩのＰ−ＣＳＩ（Ｐｅｒｉｏｄｉｃ−ＣＳＩ）又は半持続的ＣＳＩのＳＰ−ＣＳＩ（Ｓｅｍｉ  Ｐｅｒｓｉｓｔｅｎｔ  ＣＳＩ）である。ここで、ＳＰ−ＣＳＩは、設定された伝送位置に従って周期的伝送を開始するために、活性化が必要である。以上のような背景に基づいて、以下、図面を参照しながら本開示の実施例を紹介する。
【００９１】
図１を参照する。図１は、本開示の実施例に係る無線通信システムのアーキテクチャ―図である。図１に示すように、該無線通信システムは、基地局１０と、基地局１０と通信（シグナリング又はデータの伝送）可能な端末１１を含む。実際の応用では、基地局１０と端末１１と間の接続は、無線接続であってもよい。各機器間の接続関係を直観に示すために、図１では実線で示されている。なお、上記通信システムは、複数の端末を含むことが可能であり、基地局１０は、複数の端末１１と通信可能である。
【００９２】
なお、上記通信システムにおける基地局１０は、通常使用される基地局、ｅＮＢ（ｅｖｏｌｖｅｄ  ｎｏｄｅ  ｂａｓｅ  ｓｔａｔｉｏｎ）、５Ｇシステムにおけるネットワーク機器（例えばｇＮＢ（ｎｅｘｔ  ｇｅｎｅｒａｔｉｏｎ  ｎｏｄｅ  ｂａｓｅ  ｓｔａｔｉｏｎ）又はＴＲＰ（ｔｒａｎｓｍｉｓｓｉｏｎ  ａｎｄ  ｒｅｃｅｐｔｉｏｎ  ｐｏｉｎｔ））などの機器である。
【００９３】
本開示の実施例に係る端末１１は、携帯電話、タブレットパソコン、ノートパソコン、ＵＭＰＣ（Ｕｌｔｒａ−Ｍｏｂｉｌｅ  Ｐｅｒｓｏｎａｌ  Ｃｏｍｐｕｔｅｒ）、ネットブック又はＰＤＡ（Ｐｅｒｓｏｎａｌ  Ｄｉｇｉｔａｌ  Ａｓｓｉｓｔａｎｔ）等である。
【００９４】
図２は、本開示の実施例に係るＨＡＲＱ−ＡＣＫ送信方法のフローチャートである。図２を参照し、該ＨＡＲＱ−ＡＣＫ送信方法は、実行エンティティが端末であり、具体的に以下のステップを含む。
ステップ２０１において、ＳＰＳ  ＰＤＳＣＨのＨＡＲＱ−ＡＣＫを伝送するための少なくとも１つのＰＵＣＣＨリソースの中から、ＳＰＳ  ＰＤＳＣＨのＨＡＲＱ−ＡＣＫを伝送するための１つのＰＵＣＣＨリソースを決定し、ここで、前記少なくとも１つのＰＵＣＣＨリソースは、第１タイプのＰＵＣＣＨリソースを少なくとも１つ含み、前記第１タイプのＰＵＣＣＨリソースは、２ビットを超える情報を搬送するＰＵＣＣＨリソースである。
ステップ２０２において、決定された前記ＰＵＣＣＨリソースで前記ＳＰＳ  ＰＤＳＣＨのＨＡＲＱ−ＡＣＫを送信する。
【００９５】
本開示の実施例において、端末は、ＳＰＳ  ＰＤＳＣＨのＨＡＲＱ−ＡＣＫの伝送を必要とする場合、ＳＰＳ  ＰＤＳＣＨのＨＡＲＱ−ＡＣＫを伝送するための少なくとも１つのＰＵＣＣＨリソースの中から、ＳＰＳ  ＰＤＳＣＨのＨＡＲＱ−ＡＣＫを伝送するための１つのＰＵＣＣＨリソースを決定し、その後、前記決定されたＰＵＣＣＨリソースで前記ＳＰＳ  ＰＤＳＣＨのＨＡＲＱ−ＡＣＫを送信する。前記少なくとも１つのＰＵＣＣＨリソースは、第１タイプのＰＵＣＣＨリソースを少なくとも１つ含み、前記第１タイプのＰＵＣＣＨリソースは、２ビットを超える情報を搬送するＰＵＣＣＨリソースである。例えば、前記第１タイプのＰＵＣＣＨリソースは、ＰＵＣＣＨフォーマット２リソース又はＰＵＣＣＨフォーマット３リソース又はＰＵＣＣＨフォーマット４リソースである。
【００９６】
端末は、前記少なくとも１つのＰＵＣＣＨリソースに含まれるＰＵＣＣＨリソースの状況、前記ＳＰＳ  ＰＤＳＣＨのＨＡＲＱ−ＡＣＫと第１タイプのＵＣＩとが同一の時間単位で伝送されるか否かの１つ又は複数に応じて、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定する。前記少なくとも１つのＰＵＣＣＨリソースに含まれるＰＵＣＣＨリソースの状況として、前記少なくとも１つのＰＵＣＣＨリソースに含まれるＰＵＣＣＨリソースのタイプ、前記少なくとも１つのＰＵＣＣＨリソースに含まれるＰＵＣＣＨリソースと、第１タイプのＵＣＩを搬送するＰＵＣＣＨリソースとの重複状況、前記少なくとも１つのＰＵＣＣＨリソースに含まれるＰＵＣＣＨリソースのベアラ容量の１つ又は複数を含む。前記第１タイプのＵＣＩは、ＣＳＩ及び／又はＳＲを含む。
【００９７】
本開示の実施例において、前記少なくとも１つのＰＵＣＣＨリソースは、ＳＰＳ  ＰＤＳＣＨのＨＡＲＱ−ＡＣＫを伝送するために、端末に対して予め設定された少なくとも１つのＰＵＣＣＨリソースであり、例えば、設定シグナリング（例えば、上位層シグナリング又は下り制御情報ＤＣＩ（Ｄｏｗｎｌｉｎｋ  Ｃｏｎｔｒｏｌ  Ｉｎｆｏｒｍａｔｉｏｎ）シグナリング）によって設定される。
【００９８】
任意選択で、前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中の所定ＰＵＣＣＨリソースと、前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定することを含む。
【００９９】
前記ＳＰＳ  ＰＤＳＣＨのＨＡＲＱ−ＡＣＫと第１タイプの上り制御情報ＵＣＩとが同一の時間単位で伝送される場合、端末は、前記少なくとも１つのＰＵＣＣＨリソースの中の所定ＰＵＣＣＨリソースと前記第１タイプのＵＣＩのリソースとが時間領域で重複するかを判断し、前記少なくとも１つのＰＵＣＣＨリソースの中の所定ＰＵＣＣＨリソースと前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定する。
【０１００】
前記所定ＰＵＣＣＨリソースは、前記ＳＰＳ  ＰＤＳＣＨのＨＡＲＱ−ＡＣＫを伝送するためのデフォルトのＰＵＣＣＨリソースであり、即ち、他のいかなる規定又は設定もない場合、該所定ＰＵＣＣＨリソースで前記ＳＰＳ  ＰＤＳＣＨのＨＡＲＱ−ＡＣＫを伝送する。
【０１０１】
前記少なくとも１つのＰＵＣＣＨリソースの中に、２ビットを超えない情報を搬送するＰＵＣＣＨリソースである第２タイプのＰＵＣＣＨリソース（例えばＰＵＣＣＨフォーマット０又は１リソース）を少なくとも１つ更に含む場合、前記所定ＰＵＣＣＨリソースは、前記少なくとも１つのＰＵＣＣＨリソースの中の最初のＰＵＣＣＨリソース又は最も番号の小さいＰＵＣＣＨリソースであり、又は、ＳＰＳ  ＰＤＳＣＨ活性化を指示するＰＤＣＣＨの中のＰＲＩに基づいて決定されるＰＵＣＣＨリソースであり、又は、第２タイプのＰＵＣＣＨリソースである。なお、前記少なくとも１つのＰＵＣＣＨリソースの中に、第２タイプのＰＵＣＣＨリソースを少なくとも２つ更に含む場合、前記所定ＰＵＣＣＨリソースは、最初の第２タイプのＰＵＣＣＨリソース又は最も番号の小さい第２タイプのＰＵＣＣＨリソースである。
【０１０２】
前記少なくとも１つのＰＵＣＣＨリソースの中に第１タイプのＰＵＣＣＨリソースのみを含む場合、前記所定ＰＵＣＣＨリソースは、前記少なくとも１つのＰＵＣＣＨリソースの中の最初のＰＵＣＣＨリソース又は最も番号の小さいＰＵＣＣＨリソースであり、又は、ＳＰＳ  ＰＤＳＣＨ活性化を指示するＰＤＣＣＨの中のＰＲＩに基づいて決定されるＰＵＣＣＨリソースである。なお、前記少なくとも１つのＰＵＣＣＨリソースの中に１つの第１タイプのＰＵＣＣＨリソースのみを含む場合、前記所定ＰＵＣＣＨリソースは、該１つの第１タイプのＰＵＣＣＨリソースである。
【０１０３】
任意選択で、前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含む。
前記決定された前記ＰＵＣＣＨリソースで前記ＳＰＳ  ＰＤＳＣＨのＨＡＲＱ−ＡＣＫを送信することは、
前記ＳＰＳ  ＰＤＳＣＨのＨＡＲＱ−ＡＣＫと前記第１タイプのＵＣＩを、決定された前記第１タイプのＰＵＣＣＨリソースで送信することを含む。
【０１０４】
なお、前記少なくとも１つのＰＵＣＣＨリソースの中の所定ＰＵＣＣＨリソースと、前記第１タイプのＵＣＩのリソースとが時間領域で重複する場合、前記端末は、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定する。前記ＳＰＳ  ＰＤＳＣＨのＨＡＲＱ−ＡＣＫと前記第１タイプのＵＣＩを、決定された前記第１タイプのＰＵＣＣＨリソースで送信する。
【０１０５】
具体的には、前記少なくとも１つのＰＵＣＣＨリソースの中に第２タイプのＰＵＣＣＨリソースを少なくとも１つ更に含む場合、前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中の第１タイプのＰＵＣＣＨリソースを選択して前記ＳＰＳ  ＰＤＳＣＨのＨＡＲＱ−ＡＣＫと前記第１タイプのＵＣＩを伝送する。
【０１０６】
前記少なくとも１つのＰＵＣＣＨリソースに第１タイプのＰＵＣＣＨリソースのみを含む場合、前記少なくとも１つのＰＵＣＣＨリソースが１つの第１タイプのＰＵＣＣＨリソースであり、且つ該１つの第１タイプのＰＵＣＣＨリソースと前記第１タイプのＵＣＩのリソースとが時間領域で重複しない場合、該１つの第１タイプのＰＵＣＣＨリソースを、前記ＳＰＳ  ＰＤＳＣＨのＨＡＲＱ−ＡＣＫを伝送するためのＰＵＣＣＨリソースに決定し、該１つの第１タイプのＰＵＣＣＨリソースで符号化方式で前記ＳＰＳ  ＰＤＳＣＨのＨＡＲＱ−ＡＣＫを伝送する。前記少なくとも１つのＰＵＣＣＨリソースが１つの第１タイプのＰＵＣＣＨリソースであり、且つ該１つの第１タイプのＰＵＣＣＨリソースと前記第１タイプのＵＣＩのリソースとが時間領域で重複する場合、該１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定し、該１つの第１タイプのＰＵＣＣＨリソースで符号化方式で前記ＳＰＳ  ＰＤＳＣＨのＨＡＲＱ−ＡＣＫと前記第１タイプのＵＣＩを伝送する。なお、１つの第１タイプのＰＵＣＣＨリソースのみを設定する方式は、ＳＰＳ  ＰＤＳＣＨのＨＡＲＱ−ＡＣＫの伝送機会と第１タイプのＵＣＩの伝送機器とは常に重複すると判断される場合に適用し、即ち、ＳＰＳ  ＰＤＳＣＨのＨＡＲＱ−ＡＣＫ伝送機会毎に、それに重複する第１タイプのＵＣＩが存在し、即ち、ＳＰＳ  ＰＤＳＣＨのＨＡＲＱ−ＡＣＫ伝送機会毎に、常にＳＰＳ  ＰＤＳＣＨのＨＡＲＱ−ＡＣＫと第１タイプのＵＣＩの同時伝送が必要な場合、直接１つの第１タイプのＰＵＣＣＨリソースを設定してＳＰＳ  ＰＤＳＣＨのＨＡＲＱ−ＡＣＫと第１タイプのＵＣＩの同時伝送に用いる。
【０１０７】
前記少なくとも１つのＰＵＣＣＨリソースに第１タイプのＰＵＣＣＨリソースのみを含み、且つ少なくとも２つの第１タイプのＰＵＣＣＨリソースを含む場合、前記少なくとも１つのＰＵＣＣＨリソースの中の所定ＰＵＣＣＨリソースと前記第１タイプのＵＣＩのリソースとが時間領域で重複すると、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩ（ＰＵＣＣＨ  Ｒｅｓｏｕｒｃｅ  Ｉｎｄｉｃａｔｉｏｎ）によって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定する。
【０１０８】
任意選択で、前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む。
【０１０９】
本実施例において、前記少なくとも１つのＰＵＣＣＨリソースに第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定する。
【０１１０】
任意選択で、前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定することを含む。
前記決定された前記ＰＵＣＣＨリソースで前記ＳＰＳ  ＰＤＳＣＨのＨＡＲＱ−ＡＣＫを送信することは、
前記ＳＰＳ  ＰＤＳＣＨのＨＡＲＱ−ＡＣＫと前記第１タイプのＵＣＩを、決定された前記第１タイプのＰＵＣＣＨリソースで送信する。
【０１１１】
本実施例において、前記少なくとも１つのＰＵＣＣＨリソースに第２タイプのＰＵＣＣＨリソースを少なくとも１つ更に含み、且つ前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定する。
【０１１２】
任意選択で、前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースに第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含む。
前記決定された前記ＰＵＣＣＨリソースで前記ＳＰＳ  ＰＤＳＣＨのＨＡＲＱ−ＡＣＫを送信することは、
前記ＳＰＳ  ＰＤＳＣＨのＨＡＲＱ−ＡＣＫと前記第１タイプのＵＣＩを、決定された前記第１タイプのＰＵＣＣＨリソースで送信することを含む。
【０１１３】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースに第２タイプのＰＵＣＣＨリソースを更に含む場合、１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む。
【０１１４】
本実施例において、前記ＳＰＳ  ＰＤＳＣＨのＨＡＲＱ−ＡＣＫ伝送が存在する時間単位に第１タイプのＵＣＩが存在しない場合、前記少なくとも１つのＰＵＣＣＨリソースの中から１つの第２タイプのＰＵＣＣＨリソースを、前記ＳＰＳ  ＰＤＳＣＨのＨＡＲＱ−ＡＣＫを伝送するためのＰＵＣＣＨリソースに決定する。
【０１１５】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫを伝送するためのＰＵＣＣＨリソースに決定することを含む。
【０１１６】
本実施例において、前記ＳＰＳ  ＰＤＳＣＨのＨＡＲＱ−ＡＣＫ伝送が存在する時間単位に第１タイプのＵＣＩが存在しない場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫを伝送するためのＰＵＣＣＨリソースに決定する。
【０１１７】
任意選択で、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することは、
前記少なくとも１つのＰＵＣＣＨリソースの中に少なくとも２つの第１タイプのＰＵＣＣＨリソースを含む場合、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩによって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含む。
【０１１８】
前記少なくとも１つのＰＵＣＣＨリソースの中に少なくとも２つの第１タイプのＰＵＣＣＨリソースを含む場合、前記端末は、上記のいずれか１つの方式によって、前記少なくとも２つの第１タイプのＰＵＣＣＨリソースの中から１つの第１タイプのＰＵＣＣＨリソースを決定して、前記ＳＰＳ  ＰＤＳＣＨのＨＡＲＱ−ＡＣＫと前記第１タイプのＵＣＩを伝送するために使用する。
【０１１９】
任意選択で、前記１つの第２タイプのＰＵＣＣＨリソースを、前記ＳＰＳ  ＰＤＳＣＨのＨＡＲＱ−ＡＣＫを伝送するためのＰＵＣＣＨリソースに決定することは、
前記少なくとも１つのＰＵＣＣＨリソースの中に少なくとも２つの前記第２タイプのＰＵＣＣＨリソースを含む場合、前記少なくとも２つの前記第２タイプのＰＵＣＣＨリソースの中から、
ＳＰＳ  ＰＤＳＣＨ活性化を指示するＰＤＣＣＨの中のＰＲＩによって指示される１つの第２タイプのＰＵＣＣＨリソース、
最も番号の小さい第２タイプのＰＵＣＣＨリソース、
最初の第２タイプのＰＵＣＣＨリソース、
のうちのいずれか１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む。
【０１２０】
任意選択で、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、前記送信方法は、
前記ＳＰＳ  ＰＤＳＣＨのＨＡＲＱ−ＡＣＫの伝送機会が第１タイプのＵＣＩの伝送機会と重複するかを判断することを更に含む。
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
前記ＳＰＳ  ＰＤＳＣＨのＨＡＲＱ−ＡＣＫの伝送機会が第１タイプのＵＣＩの伝送機会と重複する場合、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む。
【０１２１】
前記端末は、前記ＳＰＳ  ＰＤＳＣＨのＨＡＲＱ−ＡＣＫの伝送機会が第１タイプのＵＣＩの伝送機会と重複するかを判断する。前記重複とは、必ずしも全ての伝送機会で重複するのではなく、一部の伝送機会で重複し、一部の伝送機会で重複しないということであってもよい。
【０１２２】
具体的には、ＳＰＳ  ＰＤＳＣＨのフィードバックタイミング（Ｋ１）に基づいて、ＳＰＳ  ＰＤＳＣＨのＨＡＲＱ−ＡＣＫ伝送が存在する時間単位を決定し、第１タイプのＵＣＩ伝送について、存在する時間単位及びその伝送が存在する時間単位における時間領域位置を上位層設定に基づいて決定する。ＳＰＳ  ＰＤＳＣＨのＨＡＲＱ−ＡＣＫ伝送の時間単位と第１タイプのＵＣＩ伝送の時間単位が同じである場合、該時間単位で、更に前記少なくとも１つのＰＵＣＣＨリソースの中の所定ＰＵＣＣＨリソースと、第１タイプのＵＣＩの該時間単位における時間領域位置とは重複するかに応じて、前記ＳＰＳ  ＰＤＳＣＨのＨＡＲＱ−ＡＣＫの伝送機会が第１タイプのＵＣＩの伝送機会と重複するかを判定する。
【０１２３】
任意選択で、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、前記送信方法は、
ＳＰＳ  ＰＤＳＣＨのＨＡＲＱ−ＡＣＫと第１タイプのＵＣＩの同時伝送をサポートするか否かを判断することを更に含む。
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
ＳＰＳ  ＰＤＳＣＨのＨＡＲＱ−ＡＣＫと第１タイプのＵＣＩの同時伝送がサポートされる場合、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む。
【０１２４】
任意選択で、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、前記送信方法は、
前記少なくとも１つのＰＵＣＣＨリソースを設定シグナリングに基づいて決定することを更に含む。
【０１２５】
本実施例において、ＳＰＳ  ＰＤＳＣＨのＨＡＲＱ−ＡＣＫを伝送するための少なくとも１つのＰＵＣＣＨリソースを、例えば上位層シグナリング又はＤＣＩシグナリングを含む設定シグナリングによって端末に予め設定する。
【０１２６】
任意選択で、前記少なくとも１つのＰＵＣＣＨリソースの中の所定ＰＵＣＣＨリソースは、
前記少なくとも１つのＰＵＣＣＨリソースの中の最も小さい番号のＰＵＣＣＨリソース、
前記少なくとも１つのＰＵＣＣＨリソースの中の最初のＰＵＣＣＨリソース、
ＳＰＳ  ＰＤＳＣＨ活性化を指示するＰＤＣＣＨの中のＰＲＩに基づいて決定されるＰＵＣＣＨリソース、
前記少なくとも１つのＰＵＣＣＨリソースの中に第２タイプのＰＵＣＣＨリソースを更に含む場合の第２タイプのＰＵＣＣＨリソース、
前記少なくとも１つのＰＵＣＣＨリソースの中に少なくとも２つの第２タイプのＰＵＣＣＨリソースを更に含む場合の最も小さい番号の第２タイプのＰＵＣＣＨリソース、
前記少なくとも１つのＰＵＣＣＨリソースの中に少なくとも２つの第２タイプのＰＵＣＣＨリソースを更に含む場合の最初の第２タイプのＰＵＣＣＨリソース、
のうちのいずれか１つである。
【０１２７】
任意選択で、前記第１タイプのＵＣＩは、チャネル状態情報ＣＳＩ及びスケジューリング要求ＳＲのいずれか１つ又は複数を含む。
【０１２８】
任意選択で、前記第１タイプのＰＵＣＣＨリソースは、ＰＵＣＣＨフォーマット２リソース、ＰＵＣＣＨフォーマット３リソース、ＰＵＣＣＨフォーマット４リソースのいずれか１つである。
【０１２９】
任意選択で、前記第２タイプのＰＵＣＣＨリソースは、ＰＵＣＣＨフォーマット０リソース及びＰＵＣＣＨフォーマット１リソースのいずれか１つである。
【０１３０】
任意選択で、前記１つの時間単位は、１つのサブフレーム、１つのスロット、１つのミニスロットのいずれか１つである。
【０１３１】
もちろん、時間単位をＮ個のシンボルなどの他の長さにすることも除外されない。
【０１３２】
本実施例において、前記ＨＡＲＱ−ＡＣＫ送信方法は、ＳＰＳ  ＰＤＳＣＨのＨＡＲＱ−ＡＣＫを伝送するための少なくとも１つのＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定し、決定された前記ＰＵＣＣＨリソースで前記ＳＰＳ  ＰＤＳＣＨのＨＡＲＱ−ＡＣＫを送信する。伝送リソースを柔軟に選択することができ、複数のＰＵＣＣＨリソースが衝突する際に、いかなるＵＣＩもドロップすることなく、適切なＰＵＣＣＨリソースを選択して同時伝送を行うことができるので、複数種類のＵＣＩを基地局がタイムリーに取得することを保証し、ＵＣＩ伝送効率を向上させ、システム性能を向上させる。
【０１３３】
以下、具体例を参照しながら本開示に係るＨＡＲＱ−ＡＣＫ送信方法について詳細に記載する。なお、以下の例は、いずれも第１タイプのＵＣＩがＣＳＩである場合を例に説明するが、これに限定されるものではなく、下記の例は、前記第１タイプのＵＣＩがＣＳＩ及び／又はＳＲである場合にいずれも適用する。
【０１３４】
例１：
図３に示すように、基地局は、ＳＰＳ  ＰＤＳＣＨのＨＡＲＱ−ＡＣＫを伝送するために、ＰＵＣＣＨフォーマット０又は１リソースであって、１〜２ビットのＵＣＩ伝送を搬送するための１つの第２タイプのＰＵＣＣＨリソース（図３に示すＰＵＣＣＨリソース３０１）と、ＰＵＣＣＨフォーマット２又は３又は４リソースであって、２ビット以上のＵＣＩ伝送を搬送するための１つの第１タイプのＰＵＣＣＨリソース（図３に示すＰＵＣＣＨリソース３０３）とを含む２つのＰＵＣＣＨリソースを上位層シグナリングによって端末に予め設定する。ＳＰＳ  ＰＤＳＣＨの伝送周期が１０ｍｓであり、ＳＰＳ  ＰＤＳＣＨのＨＡＲＱ−ＡＣＫが各無線フレームのスロットｎ＋８で伝送され、ＣＳＩの伝送周期が２０ｍｓであり、ＣＳＩが１つおきの無線フレームのスロットｎ＋８で伝送されるとすると、無線フレームｉのスロットｎ＋８では、ＳＰＳ  ＰＤＳＣＨのＨＡＲＱ−ＡＣＫとＣＳＩが同一のスロットで伝送され、無線フレームｉ＋１のスロットｎ＋８では、図３に示すように、ＳＰＳ  ＰＤＳＣＨのＨＡＲＱ−ＡＣＫ伝送しか存在しない。
【０１３５】
実施形態１：ＰＵＣＣＨリソース３０１を、ＳＰＳ  ＰＤＳＣＨのＨＡＲＱ−ＡＣＫを伝送するためのデフォルトのＰＵＣＣＨとし、図３に示すように、該ＰＵＣＣＨ伝送の時間領域位置とＣＳＩの時間領域位置（図３のＰＵＣＣＨリソース３０２）とは重複する。デフォルトのＰＵＣＣＨリソースは、ＳＰＳ  ＰＤＳＣＨ活性化を指示するＰＵＣＣＨリソース指示に基づいて決定されてもよく、複数のＰＵＣＣＨリソースのうち最も小さい番号のＰＵＣＣＨリソース又は最初のＰＵＣＣＨリソース又はベアラ容量の最も小さいＰＵＣＣＨリソースであると取り決められてもよい。
【０１３６】
無線フレームｉのスロットｎ＋８では、ＳＰＳ  ＰＤＳＣＨのＨＡＲＱ−ＡＣＫのデフォルト伝送リソース（ＰＵＣＣＨリソース３０１）とＣＳＩの時間領域位置（ＰＵＣＣＨリソース３０２）とは重複するので、ＳＰＳ  ＰＤＳＣＨのＨＡＲＱ−ＡＣＫ及びＣＳＩを同時に伝送するために第２タイプのＰＵＣＣＨリソース（即ち、図３のＰＵＣＣＨリソース３０３）が必要である。ＰＵＣＣＨリソース３０３がＳＰＳ  ＰＤＳＣＨのＨＡＲＱ−ＡＣＫ及びＣＳＩを搬送するのに十分でない場合、ＣＳＩに対して一部又はすべてのｄｒｏｐを行う必要があり、それによってＰＵＣＣＨのベアラ容量で伝送することを保証する。ここで、ベアラ容量は、所定の符号化率に基づいて決定されるものであって、即ち、該ＰＵＣＣＨに対応する時間周波数領域リソースで、所定の符号化率で搬送可能なＵＣＩビット数である。ここで、ＣＳＩ  ｄｒｏｐを行う場合、残りのＵＣＩが所定の符号化率を超えずに該ＰＵＣＣＨの時間周波数領域リソースで伝送することを満たすまで、所定の符号化率でＣＳＩの一部又はすべてをｄｒｏｐする。その後、ＣＳＩ  ｄｒｏｐの動作は、以上と同様であり、その説明を省略する。
無線フレームｉ＋１のスロットｎ＋８では、ＳＰＳ  ＰＤＳＣＨのＨＡＲＱ−ＡＣＫのデフォルト伝送リソース（ＰＵＣＣＨリソース３０１）とＣＳＩの時間領域位置（ＰＵＣＣＨリソース３０２）とは重複しないので、ＰＵＣＣＨリソース３０１上でＳＰＳ  ＰＤＳＣＨのＨＡＲＱ−ＡＣＫのみを伝送する。
【０１３７】
別の実施形態：ＰＵＣＣＨリソース３０１伝送の時間領域位置は、図３に示すように、ＣＳＩリソースとは時間領域上で重複する。
無線フレームｉのスロットｎ＋８では、ＳＰＳ  ＰＤＳＣＨのＨＡＲＱ−ＡＣＫを伝送するための第２タイプのＰＵＣＣＨリソース（ＰＵＣＣＨリソース３０１）とＣＳＩの時間領域位置とは重複するので、ＳＰＳ  ＰＤＳＣＨのＨＡＲＱ−ＡＣＫ及びＣＳＩを同時に伝送するために第１タイプのＰＵＣＣＨリソース（ＰＵＣＣＨリソース３０３）が必要である。ＰＵＣＣＨリソース３０３がＳＰＳ  ＰＤＳＣＨのＨＡＲＱ−ＡＣＫ及びＣＳＩを搬送するのに十分でない場合、ＣＳＩに対して一部又はすべてのｄｒｏｐを行う必要があり、それによってＰＵＣＣＨのベアラ容量で伝送することを保証する。
無線フレームｉ＋１のスロットｎ＋８では、ＳＰＳ  ＰＤＳＣＨのＨＡＲＱ−ＡＣＫを伝送するための第２タイプのＰＵＣＣＨリソース（ＰＵＣＣＨリソース３０１）とＣＳＩの時間領域位置とは重ならないので、第２タイプのＰＵＣＣＨリソース（ＰＵＣＣＨリソース３０１）上でＳＰＳ  ＰＤＳＣＨのＨＡＲＱ−ＡＣＫのみを伝送する。
基地局側は、実際に伝送されるＰＵＣＣＨリソースを上述した端末と同様の処理方式で決定し、決定されたＰＵＣＣＨリソースでＳＰＳ  ＰＤＳＣＨのＨＡＲＱ−ＡＣＫを受信し、又はＳＰＳ  ＰＤＳＣＨのＨＡＲＱ−ＡＣＫ及びＣＳＩを同時に受信することによって、ＳＰＳ  ＰＤＳＣＨのＨＡＲＱ−ＡＣＫ伝送のみが存在する場合には、より小さいベアラ容量でより高いマルチユーザ多重容量を有するＰＵＣＣＨフォーマットを使用してＰＵＣＣＨリソースオーバーヘッドを減らし、ＳＰＳ  ＰＤＳＣＨのＨＡＲＱ−ＡＣＫ及びＣＳＩが同時に存在する場合には、２種類のＵＣＩを同時に伝送することができ、ＣＳＩのドロップ（ｄｒｏｐ）を避け、システム伝送効率を向上させる。
【０１３８】
例２：
図４及び図５を参照し、基地局は、ＳＰＳ  ＰＤＳＣＨのＨＡＲＱ−ＡＣＫを伝送するために、共にＰＵＣＣＨフォーマット２又は３又は４リソースであって、２ビット以上のＵＣＩ伝送を搬送するための２つの第１タイプのＰＵＣＣＨリソース（即ちＰＵＣＣＨリソース４０１とリソース４０３）を含む２つのＰＵＣＣＨリソースを上位層シグナリングによって端末に予め設定し、ただし、ＰＵＣＣＨリソース４０１とリソース４０３のベアラ容量が異なり、例えばＰＵＣＣＨリソース４０１のベアラ容量がＰＵＣＣＨリソース４０３よりも小さい。ＳＰＳ  ＰＤＳＣＨの伝送周期が１０ｍｓであり、ＳＰＳ  ＰＤＳＣＨのＨＡＲＱ−ＡＣＫが各無線フレームのスロットｎ＋８で伝送され、ＣＳＩ１の伝送周期が２０ｍｓであり、ＣＳＩ１が無線フレームｉ、ｉ＋２…のスロットｎ＋８で伝送され、ＣＳＩ２の伝送周期が２０ｍｓであり、ＣＳＩ２が無線フレームｉ＋１、ｉ＋３…のスロットｎ＋８で伝送されるとすると、図４に示すように、無線フレームｉのスロットｎ＋８では、ＳＰＳ  ＰＤＳＣＨのＨＡＲＱ−ＡＣＫとＣＳＩ１が同一のスロットで伝送され、無線フレームｉ＋１のスロットｎ＋８では、ＳＰＳ  ＰＤＳＣＨのＨＡＲＱ−ＡＣＫとＣＳＩ２が同一のタイムスロットで伝送される。
【０１３９】
実施形態１：
無線フレームｉのスロットｎ＋８では、ＰＵＣＣＨリソース４０２は、図４に示すように、ＣＳＩ１を搬送するためのＰＵＣＣＨリソースである。
【０１４０】
ＳＰＳ  ＰＤＳＣＨ活性化を指示するＰＤＣＣＨの中のＰＲＩに基づいて１つの第１タイプのＰＵＣＣＨリソースを決定する。例えば、該ＰＲＩがＰＵＣＣＨリソース４０１を指示すると、ＳＰＳ  ＰＤＳＣＨのＨＡＲＱ−ＡＣＫ及びＣＳＩ１をＰＵＣＣＨリソース４０１上で同時に伝送する。
又は、複数の第１タイプのＰＵＣＣＨリソースのベアラ容量に基づいて、ＳＰＳ  ＰＤＳＣＨのＨＡＲＱ−ＡＣＫと第１タイプのＵＣＩを搬送可能な最も小さいベアラ容量のＰＵＣＣＨリソースを選択する。例えば、ＰＵＣＣＨリソース４０１がＳＰＳ  ＰＤＳＣＨのＨＡＲＱ−ＡＣＫ及びＣＳＩ１を搬送するのに十分である場合、ＰＵＣＣＨリソース４０１を選択してＳＰＳ  ＰＤＳＣＨのＨＡＲＱ−ＡＣＫ及びＣＳＩ１を同時に伝送する。
又は、最初の第１タイプのＰＵＣＣＨリソース又は最も小さい番号の第１タイプのＰＵＣＣＨリソース、即ちＰＵＣＣＨリソース４０１を選択し、ＳＰＳ  ＰＤＳＣＨのＨＡＲＱ−ＡＣＫ及びＣＳＩ１をＰＵＣＣＨリソース４０１上で同時に伝送する。
上記の過程で、ＰＵＣＣＨリソース４０１がＳＰＳ  ＰＤＳＣＨのＨＡＲＱ−ＡＣＫ及びＣＳＩを搬送するのに十分でない場合、ＰＵＣＣＨのベアラ容量で伝送を保証するために、ＣＳＩの一部又は全部のｄｒｏｐが必要である。
【０１４１】
無線フレームｉ＋１のスロットｎ＋８では、ＰＵＣＣＨリソース４０４は、図４に示すように、ＣＳＩ２を搬送するためのＰＵＣＣＨリソースである。
【０１４２】
ＳＰＳ  ＰＤＳＣＨ活性化を指示するＰＤＣＣＨの中のＰＲＩに基づいて１つの第１タイプのＰＵＣＣＨリソースを決定する。例えば、図４に示すように、該ＰＲＩがＰＵＣＣＨリソース４０１を指示すると、ＳＰＳ  ＰＤＳＣＨのＨＡＲＱ−ＡＣＫ及びＣＳＩ２をＰＵＣＣＨリソース４０１上で同時に伝送する。
又は、複数の第１タイプのＰＵＣＣＨリソースのベアラ容量に基づいて、ＳＰＳ  ＰＤＳＣＨのＨＡＲＱ−ＡＣＫと第１タイプのＵＣＩを搬送可能な最も小さいベアラ容量のＰＵＣＣＨリソースを選択する。例えば、図５に示すように、ＰＵＣＣＨリソース４０１がＳＰＳ  ＰＤＳＣＨのＨＡＲＱ−ＡＣＫ及びＣＳＩ２を搬送するのに十分でないが、ＰＵＣＣＨリソース４０３がＳＰＳ  ＰＤＳＣＨのＨＡＲＱ−ＡＣＫ及びＣＳＩ２を搬送するのに十分である場合、ＰＵＣＣＨリソース４０３を選択してＳＰＳ  ＰＤＳＣＨのＨＡＲＱ−ＡＣＫ及びＣＳＩ２を同時に伝送する。ここで、最大ベアラ容量のＰＵＣＣＨリソースであってもＳＰＳ  ＰＤＳＣＨのＨＡＲＱ−ＡＣＫ及びＣＳＩ２を搬送するのに十分でない場合、ＰＵＣＣＨのベアラ容量で伝送を保証するために、ＣＳＩ２の一部又は全部のｄｒｏｐが必要である。
又は、図４に示すように、最初の第１タイプのＰＵＣＣＨリソース又は最も小さい番号の第１タイプのＰＵＣＣＨリソース、即ちＰＵＣＣＨリソース４０１を選択し、ＳＰＳ  ＰＤＳＣＨのＨＡＲＱ−ＡＣＫ及びＣＳＩ２をＰＵＣＣＨリソース４０１上で同時に伝送する。ＰＵＣＣＨリソース４０１がＳＰＳ  ＰＤＳＣＨのＨＡＲＱ−ＡＣＫ及びＣＳＩ２を搬送するのに十分でない場合、ＰＵＣＣＨのベアラ容量で伝送を保証するために、ＣＳＩ２の一部又は全部のｄｒｏｐが必要である。
【０１４３】
別の実施形態：ＰＵＣＣＨリソース４０１を、ＳＰＳ  ＰＤＳＣＨのＨＡＲＱ−ＡＣＫを伝送するためのデフォルトのＰＵＣＣＨとする。デフォルトのＰＵＣＣＨリソースは、ＳＰＳ  ＰＤＳＣＨ活性化を指示するＰＵＣＣＨリソース指示に基づいて決定されてもよいし、複数のＰＵＣＣＨリソースのうち最も番号の小さいリソース、又は、最初のＰＵＣＣＨリソース又は最もベアラ容量の小さいＰＵＣＣＨリソースであると取り決められてもよい。
【０１４４】
ケース１：ＰＵＣＣＨリソース４０１の伝送時間領域位置は、ＣＳＩ１リソースと重複し、且つ、ＣＳＩ２リソースとも重複する。
無線フレームｉのスロットｎ＋８では、ＳＰＳ  ＰＤＳＣＨのＨＡＲＱ−ＡＣＫのデフォルト伝送リソース（ＰＵＣＣＨリソース４０１）とＣＳＩ１の時間領域位置とは重複するため、上記実施形態１の３種類の関連方法を再利用し、図４に示すように、ＳＰＳ  ＰＤＳＣＨのＨＡＲＱ−ＡＣＫとＣＳＩ１の同時伝送のために、ＰＵＣＣＨリソース４０１とリソース４０３から１つのＰＵＣＣＨを選択する。
【０１４５】
無線フレームｉ＋１のスロットｎ＋８では、ＳＰＳ  ＰＤＳＣＨのＨＡＲＱ−ＡＣＫのデフォルト伝送リソース（ＰＵＣＣＨリソース４０１）とＣＳＩ２の時間領域位置とは重複するため、上記実施形態１の３種類の関連方法を再利用し、図４又は図５に示すように、ＳＰＳ  ＰＤＳＣＨのＨＡＲＱ−ＡＣＫとＣＳＩ２の同時伝送のために、ＰＵＣＣＨリソース４０１とリソース４０３から１つのＰＵＣＣＨを選択する。
【０１４６】
ケース２：ＰＵＣＣＨリソース４０１の伝送時間領域位置は、図６に示すように、ＣＳＩ１リソースと重複し、且つＣＳＩ２リソースと重複しない。
無線フレームｉのスロットｎ＋８では、ＳＰＳ  ＰＤＳＣＨのＨＡＲＱ−ＡＣＫのデフォルト伝送リソース（ＰＵＣＣＨリソース４０１）とＣＳＩ１の時間領域位置とは重複するため、上記実施形態１の３種類の関連方法を再利用し、ＳＰＳ  ＰＤＳＣＨのＨＡＲＱ−ＡＣＫとＣＳＩ１の同時伝送のために、ＰＵＣＣＨリソース４０１とリソース４０３から１つのＰＵＣＣＨを選択する。
【０１４７】
無線フレームｉ＋１のスロットｎ＋８では、ＳＰＳ  ＰＤＳＣＨのＨＡＲＱ−ＡＣＫのデフォルト伝送リソース（ＰＵＣＣＨリソース４０１）とＣＳＩ２の時間領域位置とは重複しないため、デフォルトのＰＵＣＣＨリソース４０１上でＳＰＳ  ＰＤＳＣＨのＨＡＲＱ−ＡＣＫのみを伝送する。
【０１４８】
ケース３：ＰＵＣＣＨリソース４０１の伝送時間領域位置は、図７に示すように、ＣＳＩ１リソースと重複せず、ＣＳＩ２リソースと重複する。
無線フレームｉのスロットｎ＋８では、ＳＰＳ  ＰＤＳＣＨのＨＡＲＱ−ＡＣＫのデフォルト伝送リソース（ＰＵＣＣＨリソース４０１）とＣＳＩ１の時間領域位置とは重複しないため、デフォルトのＰＵＣＣＨリソース４０１上でＳＰＳ  ＰＤＳＣＨのＨＡＲＱ−ＡＣＫのみを伝送する。
【０１４９】
無線フレームｉ＋１のスロットｎ＋８では、ＳＰＳ  ＰＤＳＣＨのＨＡＲＱ−ＡＣＫのデフォルト伝送リソース（ＰＵＣＣＨリソース４０１）とＣＳＩ２の時間領域位置とは重複するため、上記実施形態１の３種類の関連方法を再利用し、ＳＰＳ  ＰＤＳＣＨのＨＡＲＱ−ＡＣＫとＣＳＩ２の同時伝送のために、ＰＵＣＣＨリソース４０１とリソース４０３から１つのＰＵＣＣＨを選択する。
基地局側は、実際に伝送されるＰＵＣＣＨリソースを上述した端末と同様の処理方式で決定し、決定されたＰＵＣＣＨリソースでＳＰＳ  ＰＤＳＣＨのＨＡＲＱ−ＡＣＫを受信し、又はＳＰＳ  ＰＤＳＣＨのＨＡＲＱ−ＡＣＫ及びＣＳＩを同時に受信することによって、ＳＰＳ  ＰＤＳＣＨのＨＡＲＱ−ＡＣＫ伝送のみが存在する場合には、より小さいベアラ容量でより高いマルチユーザ多重容量を有するＰＵＣＣＨフォーマットを使用してＰＵＣＣＨリソースオーバーヘッドを減らし、ＳＰＳ  ＰＤＳＣＨのＨＡＲＱ−ＡＣＫ及びＣＳＩが同時に存在する場合には、２種類のＵＣＩを同時に伝送することができ、ＣＳＩのドロップ（ｄｒｏｐ）を回避し、システム伝送効率を向上させる。
【０１５０】
例３：
図８及び図９を参照し、基地局は、ＳＰＳ  ＰＤＳＣＨのＨＡＲＱ−ＡＣＫを伝送するために、ＰＵＣＣＨフォーマット２又は３又は４１リソースであって、２ビット以上のＵＣＩ伝送を搬送するための１つの第１タイプのＰＵＣＣＨリソース（ＰＵＣＣＨリソース８０１）を含む１つのＰＵＣＣＨリソースを上位層シグナリングによって端末に予め設定する。ＳＰＳ  ＰＤＳＣＨの伝送周期が１０ｍｓであり、ＳＰＳ  ＰＤＳＣＨのＨＡＲＱ−ＡＣＫが各無線フレームのスロットｎ＋８で伝送され、ＣＳＩの伝送周期も１０ｍｓであり、ＣＳＩが各無線フレームのスロットｎ＋８で伝送されると、各無線フレームのスロットｎ＋８では、ＳＰＳ  ＰＤＳＣＨのＨＡＲＱ−ＡＣＫとＣＳＩが同一のスロットで伝送される。
【０１５１】
実施形態１：ＳＰＳ  ＰＤＳＣＨのＨＡＲＱ−ＡＣＫを伝送するためのＰＵＣＣＨリソース（ＰＵＣＣＨリソース８０１）が１つだけ設定され、且つ各伝送機会において、ＳＰＳ  ＰＤＳＣＨのＨＡＲＱ−ＡＣＫとＣＳＩが同一のスロットで伝送されるため、図８に示すように、該ＰＵＣＣＨリソース８０１を直接利用してＳＰＳ  ＰＤＳＣＨのＨＡＲＱ−ＡＣＫとＣＳＩを同時に伝送すればよい。該ＰＵＣＣＨリソース８０１がＳＰＳ  ＰＤＳＣＨのＨＡＲＱ−ＡＣＫとＣＳＩを搬送するのに十分でない場合、ＰＵＣＣＨのベアラ容量で伝送を保証するために、ＣＳＩの一部又は全部のｄｒｏｐが必要である。
【０１５２】
別の実施形態：ＳＰＳ  ＰＤＳＣＨのＨＡＲＱ−ＡＣＫに対応するＰＵＣＣＨリソースとＣＳＩのＰＵＣＣＨリソース（ＰＵＣＣＨリソース８０２）とは重複するか否かを判断し、重複しない場合、図９に示すように、ＳＰＳ  ＰＤＳＣＨのＨＡＲＱ−ＡＣＫに対応するＰＵＣＣＨリソースでＳＰＳ  ＰＤＳＣＨのＨＡＲＱ−ＡＣＫを、ＣＳＩのＰＵＣＣＨ上でＣＳＩをそれぞれ伝送する。重複する場合、図８に示すように、ＳＰＳ  ＰＤＳＣＨのＨＡＲＱ−ＡＣＫに対応するＰＵＣＣＨリソースでＳＰＳ  ＰＤＳＣＨのＨＡＲＱ−ＡＣＫとＣＳＩを同時に伝送し、即ち、ＰＵＣＣＨリソース８０１上でＳＰＳ  ＰＤＳＣＨのＨＡＲＱ−ＡＣＫとＣＳＩを同時に伝送する。該ＰＵＣＣＨリソース８０１がＳＰＳ  ＰＤＳＣＨのＨＡＲＱ−ＡＣＫとＣＳＩを搬送できるのに十分でない場合、ＰＵＣＣＨのベアラ容量で伝送を保証するために、ＣＳＩの一部又は全部のｄｒｏｐが必要である。
基地局側は、実際に伝送されるＰＵＣＣＨリソースを上述した端末と同様の処理方式で決定し、決定されたＰＵＣＣＨリソースでＳＰＳ  ＰＤＳＣＨのＨＡＲＱ−ＡＣＫを受信し、又はＳＰＳ  ＰＤＳＣＨのＨＡＲＱ−ＡＣＫ及びＣＳＩを同時に受信することによって、ＳＰＳ  ＰＤＳＣＨのＨＡＲＱ−ＡＣＫ伝送のみが存在する場合には、より小さいベアラ容量でより高いマルチユーザ多重容量を有するＰＵＣＣＨフォーマットを使用してＰＵＣＣＨリソースオーバーヘッドを減らし、ＳＰＳ  ＰＤＳＣＨのＨＡＲＱ−ＡＣＫ及びＣＳＩが同時に存在する場合には、２種類のＵＣＩを同時に伝送することができ、ＣＳＩのドロップ（ｄｒｏｐ）を回避し、システム伝送効率を向上させる。
【０１５３】
複数の第１タイプのＰＵＣＣＨリソース及び／又は複数の第２タイプのＰＵＣＣＨリソースを設定する場合、処理方式は、上記例の方式と類似であり、相違点として、第１タイプのＰＵＣＣＨリソースを選択して伝送し且つ複数の第１タイプのＰＵＣＣＨの全てが条件を満たす場合、ＳＰＳ  ＰＤＳＣＨ活性化を指示するＰＤＣＣＨの中のＰＲＩ、又は複数のＰＵＣＣＨリソースの番号の大きさ、又は複数のＰＵＣＣＨリソースのリソース順、又は複数のＰＵＣＣＨリソースのベアラ容量に基づいて１つを選択する。第２タイプのＰＵＣＣＨリソースを選択して伝送し且つ複数の第２タイプのＰＵＣＣＨの全てが条件を満たす場合、ＳＰＳ  ＰＤＳＣＨ活性化を指示するＰＤＣＣＨの中のＰＲＩ、又は複数のＰＵＣＣＨリソースの番号の大きさ、又は複数のＰＵＣＣＨリソースのリソース順に基づいて１つを選択する
【０１５４】
例えば、例１の場合、無線フレームｉのスロットｎ＋８では、ＳＰＳ  ＰＤＳＣＨのＨＡＲＱ−ＡＣＫ及びＣＳＩを同時に伝送するために第１タイプのＰＵＣＣＨリソースを使用する必要があり、第１タイプのＰＵＣＣＨリソースが複数存在し、例えばＳＰＳ  ＰＤＳＣＨのＨＡＲＱ−ＡＣＫを伝送するために端末に予め設定したリソースに、ＰＵＣＣＨリソース３０４（図示せず）のようなもう１つの第１タイプのＰＵＣＣＨリソースも含まれると、ＳＰＳ  ＰＤＳＣＨ活性化を指示するＰＤＣＣＨの中のＰＵＣＣＨリソース指示フィールドに基づいて１つのＰＵＣＣＨリソースを決定し、又は、ＰＵＣＣＨリソース３０３、３０４のうち最初のリソース又は最も小さい番号のリソースを、決定されるＰＵＣＣＨリソースとし、又は、ＰＵＣＣＨリソース３０３、３０４のうちベアラ容量の最も小さく且つＳＰＳ  ＰＤＳＣＨのＨＡＲＱ−ＡＣＫとＣＳＩを同時に搬送できることを満たすＰＵＣＣＨリソースを、決定されるＰＵＣＣＨリソースとする。
【０１５５】
また、例えば、例１の場合、無線フレームｉ＋１のスロットｎ＋８では、第２タイプのＰＵＣＣＨリソースであるＰＵＣＣＨリソース３０１上でＳＰＳ  ＰＤＳＣＨのＨＡＲＱ−ＡＣＫのみを伝送し、第２タイプのＰＵＣＣＨリソースが複数存在し、例えばＳＰＳ  ＰＤＳＣＨのＨＡＲＱ−ＡＣＫを伝送するために端末に予め設定したリソースに、ＰＵＣＣＨリソース３０５（図示せず）のようなもう１つの第２タイプのＰＵＣＣＨリソースも含まれると、ＳＰＳ  ＰＤＳＣＨ活性化を指示するＰＤＣＣＨの中のＰＵＣＣＨリソース指示フィールドに基づいて１つのＰＵＣＣＨリソースを決定し、又は、ＰＵＣＣＨリソース３０１、３０５のうち最初のリソース又は最も小さい番号のリソースを、決定されるＰＵＣＣＨリソースとし、それ以外の同様な選択については、同じことであり、その説明を省略する。
【０１５６】
上記実施例は、単にＳＰＳ  ＰＤＳＣＨのＨＡＲＱ−ＡＣＫを搬送するＰＵＣＣＨとＣＳＩを搬送する運ぶＰＵＣＣＨとは重複する場合を例にしたが、例えばＳＰＳ  ＰＤＳＣＨのＨＡＲＱ−ＡＣＫを搬送するＰＵＣＣＨがＳＲを搬送ＰＵＣＣＨと重複する場合や、ＣＳＩを搬送するＰＵＣＣＨ及びＳＲを搬送ＰＵＣＣＨと同時に重複する場合など、他の重複する場合でも、いずれも上記方法を採用することができる。
【０１５７】
上記実施例は、単にＳＰＳ  ＰＤＳＣＨとＰＵＣＣＨとは同じｎｕｍｅｒｏｌｏｇｙを有することを例にしたが、ｎｕｍｅｒｏｌｏｇｙが異なる場合、ＳＰＳ  ＰＤＳＣＨに対応する基準スロットとＨＡＲＱ−ＡＣＫタイミング（ＨＡＲＱ−ＡＣＫ  ｔｉｍｉｎｇ）とに基づいて、対応するＨＡＲＱ−ＡＣＫ伝送スロットを決定することのみに影響を与える。ここで、基準スロットの終了位置は、該ＳＰＳ  ＰＤＳＣＨが存在するスロットの終了位置でない場合がある。この場合でも、同様に上記方法を適用する。
【０１５８】
上記実施例におけるＨＡＲＱ−ＡＣＫ  ｔｉｍｉｎｇ、周期的伝送位置等は、いずれも例に過ぎず、他の値や設定の場合も同様に本開示の方法を適用することができる。
【０１５９】
図１０を参照する。図１０は、本開示の実施例に係るＨＡＲＱ−ＡＣＫ受信方法のフローチャートである。図１０に示すように、前記ＨＡＲＱ−ＡＣＫ受信方法は、実行エンティティが基地局であり、具体的には、
ＳＰＳ  ＰＤＳＣＨのＨＡＲＱ−ＡＣＫを伝送するための少なくとも１つのＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定するステップ１００１と、
決定された前記ＰＵＣＣＨリソースで前記ＳＰＳ  ＰＤＳＣＨのＨＡＲＱ−ＡＣＫを受信するステップ１００２とを含む。
【０１６０】
任意選択で、前記ＳＰＳ  ＰＤＳＣＨのＨＡＲＱ−ＡＣＫと第１タイプの上り制御情報ＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中の所定ＰＵＣＣＨリソースと、前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定することを含む。
【０１６１】
任意選択で、前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含む。
前記決定された前記ＰＵＣＣＨリソースで前記ＳＰＳ  ＰＤＳＣＨのＨＡＲＱ−ＡＣＫを受信することは、
前記ＳＰＳ  ＰＤＳＣＨのＨＡＲＱ−ＡＣＫと前記第１タイプのＵＣＩを、決定された前記第１タイプのＰＵＣＣＨリソースで受信することを含む。
【０１６２】
任意選択で、前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む。
【０１６３】
任意選択で、前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定することを含む。
前記決定された前記ＰＵＣＣＨリソースで前記ＳＰＳ  ＰＤＳＣＨのＨＡＲＱ−ＡＣＫを受信することは、
前記ＳＰＳ  ＰＤＳＣＨのＨＡＲＱ−ＡＣＫと前記第１タイプのＵＣＩを、決定された前記第１タイプのＰＵＣＣＨリソースで受信することを含む。
【０１６４】
任意選択で、前記ＳＰＳ  ＰＤＳＣＨのＨＡＲＱ−ＡＣＫと第１タイプのＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含む。
前記決定された前記ＰＵＣＣＨリソースで前記ＳＰＳ  ＰＤＳＣＨのＨＡＲＱ−ＡＣＫを受信することは、
前記ＳＰＳ  ＰＤＳＣＨのＨＡＲＱ−ＡＣＫと前記第１タイプのＵＣＩを、決定された前記第１タイプのＰＵＣＣＨリソースで受信することを含む。
【０１６５】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に第２タイプのＰＵＣＣＨリソースを更に含む場合、１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む。
【０１６６】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫを伝送するためのＰＵＣＣＨリソースに決定することを含む。
【０１６７】
任意選択で、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することは、
前記少なくとも１つのＰＵＣＣＨリソースの中に少なくとも２つの第１タイプのＰＵＣＣＨリソースを含む場合、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩによって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含む。
【０１６８】
任意選択で、前記１つの第２タイプのＰＵＣＣＨリソースを、前記ＳＰＳ  ＰＤＳＣＨのＨＡＲＱ−ＡＣＫを伝送するためのＰＵＣＣＨリソースに決定することは、
前記少なくとも１つのＰＵＣＣＨリソースの中に少なくとも２つの前記第２タイプのＰＵＣＣＨリソースを含む場合、前記少なくとも２つの前記第２タイプのＰＵＣＣＨリソースの中から、
ＳＰＳ  ＰＤＳＣＨ活性化を指示するＰＤＣＣＨの中のＰＲＩによって指示される１つの第２タイプのＰＵＣＣＨリソース、
最も番号の小さい第２タイプのＰＵＣＣＨリソース、
最初の第２タイプのＰＵＣＣＨリソース、
のうちのいずれか１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む。
【０１６９】
任意選択で、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、前記受信方法は、
前記ＳＰＳ  ＰＤＳＣＨのＨＡＲＱ−ＡＣＫの伝送機会が第１タイプのＵＣＩの伝送機会と重複するかを判断することを更に含む。
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
前記ＳＰＳ  ＰＤＳＣＨのＨＡＲＱ−ＡＣＫの伝送機会が第１タイプのＵＣＩの伝送機会と重複する場合、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む。
【０１７０】
任意選択で、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、前記受信方法は、
ＳＰＳ  ＰＤＳＣＨのＨＡＲＱ−ＡＣＫと第１タイプのＵＣＩの同時伝送をサポートするか否かを判断することを更に含む。
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
ＳＰＳ  ＰＤＳＣＨのＨＡＲＱ−ＡＣＫと第１タイプのＵＣＩの同時伝送がサポートされる場合、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む。
【０１７１】
任意選択で、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、前記受信方法は、
前記少なくとも１つのＰＵＣＣＨリソースを設定シグナリングに基づいて決定することを更に含む。
【０１７２】
任意選択で、前記少なくとも１つのＰＵＣＣＨリソースの中の所定ＰＵＣＣＨリソースは、
前記少なくとも１つのＰＵＣＣＨリソースの中の最も小さい番号のＰＵＣＣＨリソース、
前記少なくとも１つのＰＵＣＣＨリソースの中の最初のＰＵＣＣＨリソース、
ＳＰＳ  ＰＤＳＣＨ活性化を指示するＰＤＣＣＨの中のＰＲＩに基づいて決定されるＰＵＣＣＨリソース、
前記少なくとも１つのＰＵＣＣＨリソースの中に第２タイプのＰＵＣＣＨリソースを更に含む場合の第２タイプのＰＵＣＣＨリソース、
前記少なくとも１つのＰＵＣＣＨリソースの中に少なくとも２つの第２タイプのＰＵＣＣＨリソースを更に含む場合の最も小さい番号の第２タイプのＰＵＣＣＨリソース、
前記少なくとも１つのＰＵＣＣＨリソースの中に少なくとも２つの第２タイプのＰＵＣＣＨリソースを更に含む場合の最初の第２タイプのＰＵＣＣＨリソース、
のうちのいずれか１つである。
【０１７３】
任意選択で、前記第１タイプのＵＣＩは、チャネル状態情報ＣＳＩ及びスケジューリング要求ＳＲのいずれか１つ又は複数を含む。
【０１７４】
任意選択で、前記第１タイプのＰＵＣＣＨリソースは、ＰＵＣＣＨフォーマット２リソース、ＰＵＣＣＨフォーマット３リソース、ＰＵＣＣＨフォーマット４リソースのいずれか１つである。
【０１７５】
任意選択で、前記第２タイプのＰＵＣＣＨリソースは、ＰＵＣＣＨフォーマット０リソース及びＰＵＣＣＨフォーマット１リソースのいずれか１つである。
【０１７６】
任意選択で、前記１つの時間単位は、１つのサブフレーム、１つのスロット、１つのミニスロットのいずれか１つである。
【０１７７】
なお、本実施例は、図２に示す実施例に対応する基地局側の実施例であり、前記ＨＡＲＱ−ＡＣＫ受信の原理がＨＡＲＱ−ＡＣＫ送信の原理に類似し、具体的なプロセスについて、図２に示す実施例の記載を参照し、ここでは繰り返して述べない。
【０１７８】
本開示の実施例は、端末を更に提供する。端末によって問題を解決する原理が本開示の実施例に係るＨＡＲＱ−ＡＣＫ送信方法に似るので、該端末の実施について、ＨＡＲＱ−ＡＣＫ送信方法の実施を参照し、重複なところを繰り返して述べない。
【０１７９】
図１１を参照し、本開示の実施例は、端末１１００を更に提供する。該端末１１００は、プロセッサ１１０１とトランシーバ１１０２とを含む。
ここで、前記トランシーバ１１０２は、送信機と受信機を含む複数の要素であってもよく、伝送媒体上で他の様々な装置と通信するためのユニットを提供する。
前記プロセッサ１１０１は、ＳＰＳ  ＰＤＳＣＨのハイブリッド自動再送要求確認ＨＡＲＱ−ＡＣＫを伝送するための少なくとも１つのＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定する。
前記プロセッサ１１０１又は前記トランシーバ１１０２は、決定された前記ＰＵＣＣＨリソースで前記ＳＰＳ  ＰＤＳＣＨのＨＡＲＱ−ＡＣＫを送信する。
【０１８０】
任意選択で、前記ＳＰＳ  ＰＤＳＣＨのＨＡＲＱ−ＡＣＫと第１タイプの上り制御情報ＵＣＩとが同一の時間単位で伝送される場合、前記時間単位で、前記プロセッサ１１０１は、具体的に、
前記少なくとも１つのＰＵＣＣＨリソースの中の所定ＰＵＣＣＨリソースと、前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定する。
【０１８１】
任意選択で、前記ＳＰＳ  ＰＤＳＣＨのＨＡＲＱ−ＡＣＫと第１タイプのＵＣＩとが同一の時間単位で伝送される場合、前記時間単位で、前記プロセッサ１１０１は、具体的に、
前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定する。
前記プロセッサ１１０１又は前記トランシーバ１１０２は、具体的に、
前記ＳＰＳ  ＰＤＳＣＨのＨＡＲＱ−ＡＣＫと前記第１タイプのＵＣＩを、決定された前記第１タイプのＰＵＣＣＨリソースで送信する。
【０１８２】
任意選択で、前記ＳＰＳ  ＰＤＳＣＨのＨＡＲＱ−ＡＣＫと第１タイプのＵＣＩとが同一の時間単位で伝送される場合、前記時間単位で、前記プロセッサ１１０１は、具体的に、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定する。
【０１８３】
任意選択で、前記ＳＰＳ  ＰＤＳＣＨのＨＡＲＱ−ＡＣＫと第１タイプのＵＣＩとが同一の時間単位で伝送される場合、前記時間単位で、前記プロセッサ１１０１は、具体的に、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定する。
前記プロセッサ１１０１又は前記トランシーバ１１０２は、具体的に、
前記ＳＰＳ  ＰＤＳＣＨのＨＡＲＱ−ＡＣＫと前記第１タイプのＵＣＩを、決定された前記第１タイプのＰＵＣＣＨリソースで送信する。
【０１８４】
任意選択で、前記ＳＰＳ  ＰＤＳＣＨのＨＡＲＱ−ＡＣＫと第１タイプのＵＣＩとが同一の時間単位で伝送される場合、前記時間単位で、前記プロセッサ１１０１は、具体的に、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定する。
前記プロセッサ１１０１又は前記トランシーバ１１０２は、具体的に、
前記ＳＰＳ  ＰＤＳＣＨのＨＡＲＱ−ＡＣＫと前記第１タイプのＵＣＩを、決定された前記第１タイプのＰＵＣＣＨリソースで送信する。
【０１８５】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記プロセッサ１１０１は、具体的に、
前記少なくとも１つのＰＵＣＣＨリソースの中に第２タイプのＰＵＣＣＨリソースを更に含む場合、１つの第２タイプのＰＵＣＣＨリソースを、前記ＳＰＳ  ＰＤＳＣＨのＨＡＲＱ−ＡＣＫを伝送するためのＰＵＣＣＨリソースに決定する。
【０１８６】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記プロセッサ１１０１は、具体的に、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫを伝送するためのＰＵＣＣＨリソースに決定する。
【０１８７】
任意選択で、前記プロセッサ１１０１が、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することは、
前記少なくとも１つのＰＵＣＣＨリソースの中に少なくとも２つの第１タイプのＰＵＣＣＨリソースを含む場合、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩによって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含む。
【０１８８】
任意選択で、前記プロセッサ１１０１が、１つの第２タイプのＰＵＣＣＨリソースを、前記ＳＰＳ  ＰＤＳＣＨのＨＡＲＱ−ＡＣＫを伝送するためのＰＵＣＣＨリソースに決定することは、
前記少なくとも１つのＰＵＣＣＨリソースの中に少なくとも２つの前記第２タイプのＰＵＣＣＨリソースを含む場合、前記少なくとも２つの前記第２タイプのＰＵＣＣＨリソースの中から、
ＳＰＳ  ＰＤＳＣＨ活性化を指示するＰＤＣＣＨの中のＰＲＩによって指示される１つの第２タイプのＰＵＣＣＨリソース、
最も番号の小さい第２タイプのＰＵＣＣＨリソース、
最初の第２タイプのＰＵＣＣＨリソース、
のうちのいずれか１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む。
【０１８９】
任意選択で、前記プロセッサ１１０１は、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前に、更に、
前記ＳＰＳ  ＰＤＳＣＨのＨＡＲＱ−ＡＣＫの伝送機会が第１タイプのＵＣＩの伝送機会と重複するかを判断する。
前記プロセッサ１１０１は、具体的に、
前記ＳＰＳ  ＰＤＳＣＨのＨＡＲＱ−ＡＣＫの伝送機会が第１タイプのＵＣＩの伝送機会と重複する場合、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定する。
【０１９０】
任意選択で、前記プロセッサ１１０１は、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前に、更に、
ＳＰＳ  ＰＤＳＣＨのＨＡＲＱ−ＡＣＫと第１タイプのＵＣＩの同時伝送をサポートするか否かを判断する。
前記プロセッサ１１０１は、具体的に、
ＳＰＳ  ＰＤＳＣＨのＨＡＲＱ−ＡＣＫと第１タイプのＵＣＩの同時伝送がサポートされる場合、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する。
【０１９１】
任意選択で、前記プロセッサ１１０１は、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前に、更に、
前記少なくとも１つのＰＵＣＣＨリソースを設定シグナリングに基づいて決定する。
【０１９２】
任意選択で、前記少なくとも１つのＰＵＣＣＨリソースの中の所定ＰＵＣＣＨリソースは、
前記少なくとも１つのＰＵＣＣＨリソースの中の最も小さい番号のＰＵＣＣＨリソース、
前記少なくとも１つのＰＵＣＣＨリソースの中の最初のＰＵＣＣＨリソース、
ＳＰＳ  ＰＤＳＣＨ活性化を指示するＰＤＣＣＨの中のＰＲＩに基づいて決定されるＰＵＣＣＨリソース、
前記少なくとも１つのＰＵＣＣＨリソースの中に第２タイプのＰＵＣＣＨリソースを更に含む場合の第２タイプのＰＵＣＣＨリソース、
前記少なくとも１つのＰＵＣＣＨリソースの中に少なくとも２つの第２タイプのＰＵＣＣＨリソースを更に含む場合の最も小さい番号の第２タイプのＰＵＣＣＨリソース、
前記少なくとも１つのＰＵＣＣＨリソースの中に少なくとも２つの第２タイプのＰＵＣＣＨリソースを更に含む場合の最初の第２タイプのＰＵＣＣＨリソース、
のうちのいずれか１つである。
【０１９３】
任意選択で、前記第１タイプのＵＣＩは、チャネル状態情報ＣＳＩ及びスケジューリング要求ＳＲのいずれか１つ又は複数を含む。
【０１９４】
任意選択で、前記第１タイプのＰＵＣＣＨリソースは、ＰＵＣＣＨフォーマット２リソース、ＰＵＣＣＨフォーマット３リソース、ＰＵＣＣＨフォーマット４リソースのいずれか１つである。
【０１９５】
任意選択で、前記第２タイプのＰＵＣＣＨリソースは、ＰＵＣＣＨフォーマット０リソース及びＰＵＣＣＨフォーマット１リソースのいずれか１つである。
【０１９６】
任意選択で、前記１つの時間単位は、１つのサブフレーム、１つのスロット、１つのミニスロットのいずれか１つである。
【０１９７】
なお、本開示の実施例に係る端末は、図２〜図９の方法の実施例の各プロセスを実現することができ、実現の原理及び技術効果が類似であるため、本実施例では繰り返して述べない。
【０１９８】
本開示の実施例は、基地局を更に提供する。基地局によって問題を解決する原理が本開示の実施例に係るＨＡＲＱ−ＡＣＫ受信方法に似るので、該基地局の実施について、ＨＡＲＱ−ＡＣＫ受信方法の実施を参照し、重複なところを繰り返して述べない。
【０１９９】
図１２を参照し、本開示の実施例は、基地局１２００を更に提供する。該基地局１２００は、プロセッサ１２０１と、トランシーバ１２０２を含む。
ここで、前記トランシーバ１２０２は、送信機と受信機を含む複数の要素であってもよく、伝送媒体上で他の様々な装置と通信するためのユニットを提供する。
前記プロセッサ１２０１は、ＳＰＳ  ＰＤＳＣＨのＨＡＲＱ−ＡＣＫを伝送するための少なくとも１つのＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定する。
前記プロセッサ１２０１又は前記トランシーバ１２０２は、決定された前記ＰＵＣＣＨリソースで前記ＳＰＳ  ＰＤＳＣＨのＨＡＲＱ−ＡＣＫを受信する。
【０２００】
任意選択で、前記ＳＰＳ  ＰＤＳＣＨのＨＡＲＱ−ＡＣＫと第１タイプの上り制御情報ＵＣＩとが同一の時間単位で伝送される場合、前記時間単位で、前記プロセッサ１２０１は、具体的に、
前記少なくとも１つのＰＵＣＣＨリソースの中の所定ＰＵＣＣＨリソースと、前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定する。
【０２０１】
任意選択で、前記ＳＰＳ  ＰＤＳＣＨのＨＡＲＱ−ＡＣＫと第１タイプのＵＣＩとが同一の時間単位で伝送される場合、前記時間単位で、前記プロセッサ１２０１は、具体的に、
前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定する。
前記プロセッサ１２０１又は前記トランシーバ１２０２は、具体的に、
前記ＳＰＳ  ＰＤＳＣＨのＨＡＲＱ−ＡＣＫと前記第１タイプのＵＣＩを、決定された前記第１タイプのＰＵＣＣＨリソースで受信する。
【０２０２】
任意選択で、前記ＳＰＳ  ＰＤＳＣＨのＨＡＲＱ−ＡＣＫと第１タイプのＵＣＩとが同一の時間単位で伝送される場合、前記時間単位で、前記プロセッサ１２０１は、具体的に、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定する。
【０２０３】
任意選択で、前記ＳＰＳ  ＰＤＳＣＨのＨＡＲＱ−ＡＣＫと第１タイプのＵＣＩとが同一の時間単位で伝送される場合、前記時間単位で、前記プロセッサ１２０１は、具体的に、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定する。
前記プロセッサ１２０１又は前記トランシーバ１２０２は、具体的に、
前記ＳＰＳ  ＰＤＳＣＨのＨＡＲＱ−ＡＣＫと前記第１タイプのＵＣＩを、決定された前記第１タイプのＰＵＣＣＨリソースで受信する。
【０２０４】
任意選択で、前記ＳＰＳ  ＰＤＳＣＨのＨＡＲＱ−ＡＣＫと第１タイプのＵＣＩとが同一の時間単位で伝送される場合、前記時間単位で、前記プロセッサ１２０１は、具体的に、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定する。
前記プロセッサ１２０１又は前記トランシーバ１２０２は、具体的に、
前記ＳＰＳ  ＰＤＳＣＨのＨＡＲＱ−ＡＣＫと前記第１タイプのＵＣＩを、決定された前記第１タイプのＰＵＣＣＨリソースで受信する。
【０２０５】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記プロセッサ１２０１は、具体的に、
前記少なくとも１つのＰＵＣＣＨリソースの中に第２タイプのＰＵＣＣＨリソースを更に含む場合、１つの第２タイプのＰＵＣＣＨリソースを、前記ＳＰＳ  ＰＤＳＣＨのＨＡＲＱ−ＡＣＫを伝送するためのＰＵＣＣＨリソースに決定する。
【０２０６】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記プロセッサ１２０１は、具体的に、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫを伝送するためのＰＵＣＣＨリソースに決定する。
【０２０７】
任意選択で、前記プロセッサ１２０１が、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することは、
前記少なくとも１つのＰＵＣＣＨリソースの中に少なくとも２つの第１タイプのＰＵＣＣＨリソースを含む場合、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩによって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含む。
【０２０８】
任意選択で、前記プロセッサ１２０１が、１つの第２タイプのＰＵＣＣＨリソースを、前記ＳＰＳ  ＰＤＳＣＨのＨＡＲＱ−ＡＣＫを伝送するためのＰＵＣＣＨリソースに決定することは、
前記少なくとも１つのＰＵＣＣＨリソースの中に少なくとも２つの前記第２タイプのＰＵＣＣＨリソースを含む場合、前記少なくとも２つの前記第２タイプのＰＵＣＣＨリソースの中から、
ＳＰＳ  ＰＤＳＣＨ活性化を指示するＰＤＣＣＨの中のＰＲＩによって指示される１つの第２タイプのＰＵＣＣＨリソース、
最も番号の小さい第２タイプのＰＵＣＣＨリソース、
最初の第２タイプのＰＵＣＣＨリソース、
のうちのいずれか１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む。
【０２０９】
任意選択で、前記プロセッサ１２０１は、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前に、更に、
前記ＳＰＳ  ＰＤＳＣＨのＨＡＲＱ−ＡＣＫの伝送機会が第１タイプのＵＣＩの伝送機会と重複するかを判断する。
前記プロセッサ１２０１が、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
前記ＳＰＳ  ＰＤＳＣＨのＨＡＲＱ−ＡＣＫの伝送機会が第１タイプのＵＣＩの伝送機会と重複する場合、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む。
【０２１０】
任意選択で、前記プロセッサ１２０１は、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前に、更に、
ＳＰＳ  ＰＤＳＣＨのＨＡＲＱ−ＡＣＫと第１タイプのＵＣＩの同時伝送をサポートするか否かを判断する。
前記プロセッサ１２０１が、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
ＳＰＳ  ＰＤＳＣＨのＨＡＲＱ−ＡＣＫと第１タイプのＵＣＩの同時伝送がサポートされる場合、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む。
【０２１１】
任意選択で、前記プロセッサ１２０１は、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前に、更に、
前記少なくとも１つのＰＵＣＣＨリソースを設定シグナリングに基づいて決定する。
【０２１２】
任意選択で、前記少なくとも１つのＰＵＣＣＨリソースの中の所定ＰＵＣＣＨリソースは、
前記少なくとも１つのＰＵＣＣＨリソースの中の最も小さい番号のＰＵＣＣＨリソース、
前記少なくとも１つのＰＵＣＣＨリソースの中の最初のＰＵＣＣＨリソース、
ＳＰＳ  ＰＤＳＣＨ活性化を指示するＰＤＣＣＨの中のＰＲＩに基づいて決定されるＰＵＣＣＨリソース、
前記少なくとも１つのＰＵＣＣＨリソースの中に第２タイプのＰＵＣＣＨリソースを更に含む場合の第２タイプのＰＵＣＣＨリソース、
前記少なくとも１つのＰＵＣＣＨリソースの中に少なくとも２つの第２タイプのＰＵＣＣＨリソースを更に含む場合の最も小さい番号の第２タイプのＰＵＣＣＨリソース、
前記少なくとも１つのＰＵＣＣＨリソースの中に少なくとも２つの第２タイプのＰＵＣＣＨリソースを更に含む場合の最初の第２タイプのＰＵＣＣＨリソース、
のうちのいずれか１つである。
【０２１３】
任意選択で、前記第１タイプのＵＣＩは、チャネル状態情報ＣＳＩ及びスケジューリング要求ＳＲのいずれか１つ又は複数を含む。
【０２１４】
任意選択で、前記第１タイプのＰＵＣＣＨリソースは、ＰＵＣＣＨフォーマット２リソース、ＰＵＣＣＨフォーマット３リソース、ＰＵＣＣＨフォーマット４リソースのいずれか１つである。
【０２１５】
任意選択で、前記第２タイプのＰＵＣＣＨリソースは、ＰＵＣＣＨフォーマット０リソース及びＰＵＣＣＨフォーマット１リソースのいずれか１つである。
【０２１６】
任意選択で、前記１つの時間単位は、１つのサブフレーム、１つのスロット、１つのミニスロットのいずれか１つである。
【０２１７】
なお、本開示の実施例に係る基地局は、図２〜図８の方法の実施例の各プロセスを実現することができ、実現の原理及び技術効果が類似であるため、本実施例では繰り返して述べない。
【０２１８】
図１３に示すように、図１３に示す端末は、少なくとも１つのプロセッサ１３０１と、メモリ１３０２と、少なくとも１つのネットワークインタフェース１３０４と、ユーザインタフェース１３０３を含む。端末１３００における各構成部品は、バスシステム１３０５を介して結合される。バスシステム１３０５は、これらの構成部品の間の接続と通信に用いられることが理解できる。バスシステム１３０５は、データバスのほかに、電源バス、制御バス及び状態信号バスを更に含む。ただし、明確に説明するために、図１３において、各種類のバスをすべてバスシステム１３０５として標記している。
【０２１９】
ここで、ユーザインタフェース１３０３は、ディスプレイ、キーボード又はポインティングデバイス（例えばマウス、トラックボール（ｔｒａｃｋ  ｂａｌｌ））、タッチパネル又はタッチスクリーンなどを含む。
【０２２０】
本開示の実施例におけるメモリ１３０２は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ１３０２は、これらに限られず、これら及びこれら以外の任意の適合する種類のメモリを含むとする。
【０２２１】
一部実施例において、メモリ１３０２には、実行可能なモジュール又はデータ構造、又はそれらのサブセット、又は、それらの拡張セットであるオペレーションシステム１３０２１とアプリケーションプログラム１３０２２が記憶されている。
【０２２２】
ここで、オペレーションシステム１３０２１は、フレーム層、コアライブラリ層、駆動層など各種類のシステムプログラムを含み、各種類のベーシックサービスの実現及びハードウェアに基づくタスクの処理に用いられる。アプリケーションプログラム１３０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム１３０２２に含まれる。
【０２２３】
本開示の実施例において、メモリ１３０２に保存されているプログラム又は指令を呼び出し、具体的に、アプリケーションプログラム１３０２２に保存されているプログラム又は指令を呼び出して実行すると、ＨＡＲＱ−ＡＣＫ送信方法の各ステップが実現される。
【０２２４】
本開示の実施例に係る端末は、上記ＨＡＲＱ−ＡＣＫ送信方法の実施例を実行することができ、実現の原理及び技術効果が類似であるため、本実施例において、繰り返して述べない。
【０２２５】
図１４に示すように、図１４に示す基地局１４００は、少なくとも１つのプロセッサ１４０１と、メモリ１４０２と、少なくとも１つのネットワークインタフェース１４０４と、ユーザインタフェース１４０３を含む。基地局１４００における各構成部品は、バスシステム１４０５を介して結合される。バスシステム１４０５は、これらの構成部品の間の接続と通信に用いられることが理解できる。バスシステム１４０５は、データバスのほかに、電源バス、制御バス及び状態信号バスを更に含む。ただし、明確に説明するために、図１４において、各種類のバスをすべてバスシステム１４０５として標記している。
【０２２６】
ここで、ユーザインタフェース１４０３は、ディスプレイ、キーボード又はポインティングデバイス（例えばマウス、トラックボール（ｔｒａｃｋ  ｂａｌｌ））、タッチパネル又はタッチスクリーンなどを含む。
【０２２７】
本開示の実施例におけるメモリ１４０２は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ１４０２は、これらに限られず、これら及びこれら以外の任意の適合する種類のメモリを含むとする。
【０２２８】
一部実施例において、メモリ１４０２には、実行可能なモジュール又はデータ構造、又はそれらのサブセット、又は、それらの拡張セットであるオペレーションシステム１４０２１とアプリケーションプログラム１４０２２が記憶されている。
【０２２９】
ここで、オペレーションシステム１４０２１は、フレーム層、コアライブラリ層、駆動層など各種類のシステムプログラムを含み、各種類のベーシックサービスの実現及びハードウェアに基づくタスクの処理に用いられる。アプリケーションプログラム１４０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム１４０２２に含まれる。
【０２３０】
本開示の実施例において、メモリ１４０２に保存されているプログラム又は指令を呼び出し、具体的に、アプリケーションプログラム１４０２２に保存されているプログラム又は指令を呼び出して実行すると、ＨＡＲＱ−ＡＣＫ受信方法の各ステップが実現される。
【０２３１】
本開示の実施例に係る基地局は、上記ＨＡＲＱ−ＡＣＫ受信方法の実施例を実行することができ、実現の原理及び技術効果が類似であるため、本実施例において、繰り返して述べない。
【０２３２】
本開示の実施例は、コンピュータプログラムが格納されているコンピュータ読み取り可能な記憶媒体を更に提供し、前記コンピュータプログラムがプロセッサによって実行されると、本開示の実施例に係るＨＡＲＱ−ＡＣＫ送信方法及びＨＡＲＱ−ＡＣＫ受信方法のステップが実現される。
【０２３３】
図１５を参照する。本開示は、端末１５００を更に提供する。
図１５に示すように、前記端末１５００は、
ＳＰＳ  ＰＤＳＣＨのハイブリッド自動再送要求確認ＨＡＲＱ−ＡＣＫを伝送するための少なくとも１つのＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定する決定モジュール１５０１と、
決定された前記ＰＵＣＣＨリソースで前記ＳＰＳ  ＰＤＳＣＨのＨＡＲＱ−ＡＣＫを送信する送信モジュール１５０２とを含む。
【０２３４】
任意選択で、前記ＳＰＳ  ＰＤＳＣＨのＨＡＲＱ−ＡＣＫと第１タイプの上り制御情報ＵＣＩとが同一の時間単位で伝送される場合、前記時間単位で、前記決定モジュール１５０１は、具体的に、
前記少なくとも１つのＰＵＣＣＨリソースの中の所定ＰＵＣＣＨリソースと、前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定する。
【０２３５】
任意選択で、前記ＳＰＳ  ＰＤＳＣＨのＨＡＲＱ−ＡＣＫと第１タイプのＵＣＩとが同一の時間単位で伝送される場合、前記時間単位で、前記決定モジュール１５０１は、具体的に、
前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定する。
前記送信モジュール１５０２は、具体的に、
前記ＳＰＳ  ＰＤＳＣＨのＨＡＲＱ−ＡＣＫと前記第１タイプのＵＣＩを、決定された前記第１タイプのＰＵＣＣＨリソースで送信する。
【０２３６】
任意選択で、前記ＳＰＳ  ＰＤＳＣＨのＨＡＲＱ−ＡＣＫと第１タイプのＵＣＩとが同一の時間単位で伝送される場合、前記時間単位で、前記決定モジュール１５０１は、具体的に、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定する。
【０２３７】
任意選択で、前記ＳＰＳ  ＰＤＳＣＨのＨＡＲＱ−ＡＣＫと第１タイプのＵＣＩとが同一の時間単位で伝送される場合、前記時間単位で、前記決定モジュール１５０１は、具体的に、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定する。
前記送信モジュール１５０２は、具体的に、
前記ＳＰＳ  ＰＤＳＣＨのＨＡＲＱ−ＡＣＫと前記第１タイプのＵＣＩを、決定された前記第１タイプのＰＵＣＣＨリソースで送信する。
【０２３８】
任意選択で、前記ＳＰＳ  ＰＤＳＣＨのＨＡＲＱ−ＡＣＫと第１タイプのＵＣＩとが同一の時間単位で伝送される場合、前記時間単位で、前記決定モジュール１５０１は、具体的に、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定する。
前記送信モジュール１５０２は、具体的に、
前記ＳＰＳ  ＰＤＳＣＨのＨＡＲＱ−ＡＣＫと前記第１タイプのＵＣＩを、決定された前記第１タイプのＰＵＣＣＨリソースで送信する。
【０２３９】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記決定モジュール１５０１は、具体的に、
前記少なくとも１つのＰＵＣＣＨリソースの中に第２タイプのＰＵＣＣＨリソースを更に含む場合、１つの第２タイプのＰＵＣＣＨリソースを、前記ＳＰＳ  ＰＤＳＣＨのＨＡＲＱ−ＡＣＫを伝送するためのＰＵＣＣＨリソースに決定する。
【０２４０】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記決定モジュール１５０１は、具体的に、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫを伝送するためのＰＵＣＣＨリソースに決定する。
【０２４１】
任意選択で、前記決定モジュール１５０１が、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することは、
前記少なくとも１つのＰＵＣＣＨリソースの中に少なくとも２つの第１タイプのＰＵＣＣＨリソースを含む場合、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩによって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含む。
【０２４２】
任意選択で、前記決定モジュール１５０１が、１つの第２タイプのＰＵＣＣＨリソースを、前記ＳＰＳ  ＰＤＳＣＨのＨＡＲＱ−ＡＣＫを伝送するためのＰＵＣＣＨリソースに決定することは、
前記少なくとも１つのＰＵＣＣＨリソースの中に少なくとも２つの前記第２タイプのＰＵＣＣＨリソースを含む場合、前記少なくとも２つの前記第２タイプのＰＵＣＣＨリソースの中から、
ＳＰＳ  ＰＤＳＣＨ活性化を指示するＰＤＣＣＨの中のＰＲＩによって指示される１つの第２タイプのＰＵＣＣＨリソース、
最も番号の小さい第２タイプのＰＵＣＣＨリソース、
最初の第２タイプのＰＵＣＣＨリソース、
のうちのいずれか１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む。
【０２４３】
任意選択で、前記決定モジュール１５０１は、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前に、更に、
前記ＳＰＳ  ＰＤＳＣＨのＨＡＲＱ−ＡＣＫの伝送機会が第１タイプのＵＣＩの伝送機会と重複するかを判断する。
前記決定モジュール１５０１は、具体的に、
前記ＳＰＳ  ＰＤＳＣＨのＨＡＲＱ−ＡＣＫの伝送機会が第１タイプのＵＣＩの伝送機会と重複する場合、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定する。
【０２４４】
任意選択で、前記決定モジュール１５０１は、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前に、更に、
ＳＰＳ  ＰＤＳＣＨのＨＡＲＱ−ＡＣＫと第１タイプのＵＣＩの同時伝送をサポートするか否かを判断する。
前記決定モジュール１５０１は、具体的に、
ＳＰＳ  ＰＤＳＣＨのＨＡＲＱ−ＡＣＫと第１タイプのＵＣＩの同時伝送がサポートされる場合、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する。
【０２４５】
任意選択で、前記決定モジュール１５０１は、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前に、更に、
前記少なくとも１つのＰＵＣＣＨリソースを設定シグナリングに基づいて決定する。
【０２４６】
任意選択で、前記少なくとも１つのＰＵＣＣＨリソースの中の所定ＰＵＣＣＨリソースは、
前記少なくとも１つのＰＵＣＣＨリソースの中の最も小さい番号のＰＵＣＣＨリソース、
前記少なくとも１つのＰＵＣＣＨリソースの中の最初のＰＵＣＣＨリソース、
ＳＰＳ  ＰＤＳＣＨ活性化を指示するＰＤＣＣＨの中のＰＲＩに基づいて決定されるＰＵＣＣＨリソース、
前記少なくとも１つのＰＵＣＣＨリソースの中に第２タイプのＰＵＣＣＨリソースを更に含む場合の第２タイプのＰＵＣＣＨリソース、
前記少なくとも１つのＰＵＣＣＨリソースの中に少なくとも２つの第２タイプのＰＵＣＣＨリソースを更に含む場合の最も小さい番号の第２タイプのＰＵＣＣＨリソース、
前記少なくとも１つのＰＵＣＣＨリソースの中に少なくとも２つの第２タイプのＰＵＣＣＨリソースを更に含む場合の最初の第２タイプのＰＵＣＣＨリソース、
のうちのいずれか１つである。
【０２４７】
任意選択で、前記第１タイプのＵＣＩは、チャネル状態情報ＣＳＩ及びスケジューリング要求ＳＲのいずれか１つ又は複数を含む。
【０２４８】
任意選択で、前記第１タイプのＰＵＣＣＨリソースは、ＰＵＣＣＨフォーマット２リソース、ＰＵＣＣＨフォーマット３リソース、ＰＵＣＣＨフォーマット４リソースのいずれか１つである。
【０２４９】
任意選択で、前記第２タイプのＰＵＣＣＨリソースは、ＰＵＣＣＨフォーマット０リソース及びＰＵＣＣＨフォーマット１リソースのいずれか１つである。
【０２５０】
任意選択で、前記１つの時間単位は、１つのサブフレーム、１つのスロット、１つのミニスロットのいずれか１つである。
【０２５１】
なお、本開示の実施例に係る端末は、図２〜図９の方法の実施例の各プロセスを実現することができ、実現の原理及び技術効果が類似であるため、本実施例では繰り返して述べない。
【０２５２】
図１６を参照し、本開示は、基地局１６００を更に提供し、図１６に示すように、
ＳＰＳ  ＰＤＳＣＨのＨＡＲＱ−ＡＣＫを伝送するための少なくとも１つのＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定する決定モジュール１６０１と、
決定された前記ＰＵＣＣＨリソースで前記ＳＰＳ  ＰＤＳＣＨのＨＡＲＱ−ＡＣＫを受信する受信モジュール１６０２とを含む。
【０２５３】
任意選択で、前記ＳＰＳ  ＰＤＳＣＨのＨＡＲＱ−ＡＣＫと第１タイプの上り制御情報ＵＣＩとが同一の時間単位で伝送される場合、前記時間単位で、前記決定モジュール１６０１は、具体的に、
前記少なくとも１つのＰＵＣＣＨリソースの中の所定ＰＵＣＣＨリソースと、前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定する。
【０２５４】
任意選択で、前記ＳＰＳ  ＰＤＳＣＨのＨＡＲＱ−ＡＣＫと第１タイプのＵＣＩとが同一の時間単位で伝送される場合、前記時間単位で、前記決定モジュール１６０１は、具体的に、
前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定する。
前記受信モジュール１６０２は、具体的に、
前記ＳＰＳ  ＰＤＳＣＨのＨＡＲＱ−ＡＣＫと前記第１タイプのＵＣＩを、決定された前記第１タイプのＰＵＣＣＨリソースで受信する。
【０２５５】
任意選択で、前記ＳＰＳ  ＰＤＳＣＨのＨＡＲＱ−ＡＣＫと第１タイプのＵＣＩとが同一の時間単位で伝送される場合、前記時間単位で、前記決定モジュール１６０１は、具体的に、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定する。
【０２５６】
任意選択で、前記ＳＰＳ  ＰＤＳＣＨのＨＡＲＱ−ＡＣＫと第１タイプのＵＣＩとが同一の時間単位で伝送される場合、前記時間単位で、前記決定モジュール１６０１は、具体的に、
前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定する。
前記受信モジュール１６０２は、具体的に、
前記ＳＰＳ  ＰＤＳＣＨのＨＡＲＱ−ＡＣＫと前記第１タイプのＵＣＩを、決定された前記第１タイプのＰＵＣＣＨリソースで受信する。
【０２５７】
任意選択で、前記ＳＰＳ  ＰＤＳＣＨのＨＡＲＱ−ＡＣＫと第１タイプのＵＣＩとが同一の時間単位で伝送される場合、前記時間単位で、前記決定モジュール１６０１は、具体的に、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定する。
前記受信モジュール１６０２は、具体的に、
前記ＳＰＳ  ＰＤＳＣＨのＨＡＲＱ−ＡＣＫと前記第１タイプのＵＣＩを、決定された前記第１タイプのＰＵＣＣＨリソースで受信する。
【０２５８】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記決定モジュール１６０１は、具体的に、
前記少なくとも１つのＰＵＣＣＨリソースの中に第２タイプのＰＵＣＣＨリソースを更に含む場合、１つの第２タイプのＰＵＣＣＨリソースを、前記ＳＰＳ  ＰＤＳＣＨのＨＡＲＱ−ＡＣＫを伝送するためのＰＵＣＣＨリソースに決定する。
【０２５９】
任意選択で、前記ＳＰＳ  ＰＤＳＣＨのＨＡＲＱ−ＡＣＫ伝送が存在する時間単位に第１タイプのＵＣＩが存在しない場合、前記時間単位で、前記決定モジュール１６０１は、具体的に、
前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫを伝送するためのＰＵＣＣＨリソースに決定する。
【０２６０】
任意選択で、前記決定モジュール１６０１が、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することは、
前記少なくとも１つのＰＵＣＣＨリソースの中に少なくとも２つの第１タイプのＰＵＣＣＨリソースを含む場合、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩによって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含む。
【０２６１】
任意選択で、前記決定モジュール１６０１が、１つの第２タイプのＰＵＣＣＨリソースを、前記ＳＰＳ  ＰＤＳＣＨのＨＡＲＱ−ＡＣＫを伝送するためのＰＵＣＣＨリソースに決定することは、
前記少なくとも１つのＰＵＣＣＨリソースの中に少なくとも２つの前記第２タイプのＰＵＣＣＨリソースを含む場合、前記少なくとも２つの前記第２タイプのＰＵＣＣＨリソースの中から、
ＳＰＳ  ＰＤＳＣＨ活性化を指示するＰＤＣＣＨの中のＰＲＩによって指示される１つの第２タイプのＰＵＣＣＨリソース、
最も番号の小さい第２タイプのＰＵＣＣＨリソース、
最初の第２タイプのＰＵＣＣＨリソース、
のうちのいずれか１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む。
【０２６２】
任意選択で、前記決定モジュール１６０１は、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前に、更に、
前記ＳＰＳ  ＰＤＳＣＨのＨＡＲＱ−ＡＣＫの伝送機会が第１タイプのＵＣＩの伝送機会と重複するかを判断する。
前記決定モジュール１６０１が、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
前記ＳＰＳ  ＰＤＳＣＨのＨＡＲＱ−ＡＣＫの伝送機会が第１タイプのＵＣＩの伝送機会と重複する場合、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む。
【０２６３】
任意選択で、前記決定モジュール１６０１は、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前に、更に、
ＳＰＳ  ＰＤＳＣＨのＨＡＲＱ−ＡＣＫと第１タイプのＵＣＩの同時伝送をサポートするか否かを判断する。
前記決定モジュール１６０１が、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
ＳＰＳ  ＰＤＳＣＨのＨＡＲＱ−ＡＣＫと第１タイプのＵＣＩの同時伝送がサポートされる場合、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む。
【０２６４】
任意選択で、前記決定モジュール１６０１は、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前に、更に、
前記少なくとも１つのＰＵＣＣＨリソースを設定シグナリングに基づいて決定する。
【０２６５】
任意選択で、前記少なくとも１つのＰＵＣＣＨリソースの中の所定ＰＵＣＣＨリソースは、
前記少なくとも１つのＰＵＣＣＨリソースの中の最も小さい番号のＰＵＣＣＨリソース、
前記少なくとも１つのＰＵＣＣＨリソースの中の最初のＰＵＣＣＨリソース、
ＳＰＳ  ＰＤＳＣＨ活性化を指示するＰＤＣＣＨの中のＰＲＩに基づいて決定されるＰＵＣＣＨリソース、
前記少なくとも１つのＰＵＣＣＨリソースの中に第２タイプのＰＵＣＣＨリソースを更に含む場合の第２タイプのＰＵＣＣＨリソース、
前記少なくとも１つのＰＵＣＣＨリソースの中に少なくとも２つの第２タイプのＰＵＣＣＨリソースを更に含む場合の最も小さい番号の第２タイプのＰＵＣＣＨリソース、
前記少なくとも１つのＰＵＣＣＨリソースの中に少なくとも２つの第２タイプのＰＵＣＣＨリソースを更に含む場合の最初の第２タイプのＰＵＣＣＨリソース、
のうちのいずれか１つである。
【０２６６】
任意選択で、前記第１タイプのＵＣＩは、チャネル状態情報ＣＳＩ及びスケジューリング要求ＳＲのいずれか１つ又は複数を含む。
【０２６７】
任意選択で、前記第１タイプのＰＵＣＣＨリソースは、ＰＵＣＣＨフォーマット２リソース、ＰＵＣＣＨフォーマット３リソース、ＰＵＣＣＨフォーマット４リソースのいずれか１つである。
【０２６８】
任意選択で、前記第２タイプのＰＵＣＣＨリソースは、ＰＵＣＣＨフォーマット０リソース及びＰＵＣＣＨフォーマット１リソースのいずれか１つである。
【０２６９】
任意選択で、前記１つの時間単位は、１つのサブフレーム、１つのスロット、１つのミニスロットのいずれか１つである。
【０２７０】
なお、本開示の実施例に係る基地局は、図２〜図９の方法の実施例の各プロセスを実現することができ、実現の原理及び技術効果が類似であるため、本実施例では繰り返して述べない。
【０２７１】
本願で提供されるいくつかの実施例において、開示された方法及び装置は、他の方式で実施されることを理解されたい。例えば、以上に記載された装置の実施例は、単なる例示である。例えば、ユニットの区分は、単に論理機能の区分であり、実際に実現する際に別の区分方式がある。例えば、複数のユニット又はコンポーネントは、別のシステムに組み合わせられ又は一体化される。又は、一部の特徴は、無視されてもよく、又は実行されなくてもよい。また、示されており又は議論されている相互間の結合や直接結合や通信接続は、インタフェース、装置又はユニットを介した間接結合や通信接続であり、電気的、機械的、又は他の形式である。
【０２７２】
また、本開示の各実施例における各機能的ユニットは、１つの処理部に一体化されていてもよいし、別々に設けられていてもよいし、２つ以上が一体化されてもよい。上述した一体化ユニットは、ハードウェアの形態、又はハードウェアとソフトウェア機能ユニットの形態で実施することができる。
【０２７３】
上記のソフトウェア機能ユニットの形態で実施される一体化ユニットは、コンピュータ読み取り可能な記憶媒体に格納されてもよい。上記ソフトウェア機能ユニットは、記憶媒体に記憶され、本発明の各実施例の方法のステップの一部をコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど、プログラムコードを格納することができる様々な媒体を含む。
【０２７４】
以上記載されたのは、本開示の選択可能な実施形態である。当業者は、本開示に記載されている原理を逸脱せずに様々な改良や修飾をすることもできる。これらの改良や修飾も、本開示の保護範囲として見なされるべきである。
【図１】
2021534695.tif 000003
【図２】
2021534695.tif 000004
【図３】
2021534695.tif 000005
【図４】
2021534695.tif 000006
【図５】
2021534695.tif 000007
【図６】
2021534695.tif 000008
【図７】
2021534695.tif 000009
【図８】
2021534695.tif 000010
【図９】
2021534695.tif 000011
【図１０】
2021534695.tif 000012
【図１１】
2021534695.tif 000013
【図１２】
2021534695.tif 000014
【図１３】
2021534695.tif 000015
【図１４】
2021534695.tif 000016
【図１５】
2021534695.tif 000017
【図１６】
2021534695.tif 000018
【手続補正書】
【提出日】令和3年2月24日(2021.2.24)
【手続補正１】
【補正対象書類名】特許請求の範囲
【補正対象項目名】全文
【補正方法】変更
【補正の内容】
【特許請求の範囲】
【請求項１】
端末に応用されるハイブリッド自動再送要求確認ＨＡＲＱ−ＡＣＫ送信方法であって、
半持続スケジューリング物理下り共有チャネルＳＰＳ  ＰＤＳＣＨのＨＡＲＱ−ＡＣＫを伝送するための少なくとも１つの物理上り制御チャネルＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することと、
決定された前記ＰＵＣＣＨリソースで前記ＳＰＳ  ＰＤＳＣＨのＨＡＲＱ−ＡＣＫを送信することと、
を含む、ハイブリッド自動再送要求確認ＨＡＲＱ−ＡＣＫ送信方法。
【請求項２】
前記ＳＰＳ  ＰＤＳＣＨのＨＡＲＱ−ＡＣＫと第１タイプの上り制御情報ＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、以下の方法の１つを含み、
方法１：前記少なくとも１つのＰＵＣＣＨリソースの中の所定ＰＵＣＣＨリソースと、前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定し、
方法２：前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定し、
前記決定された前記ＰＵＣＣＨリソースで前記ＳＰＳ  ＰＤＳＣＨのＨＡＲＱ−ＡＣＫを送信することは、
前記ＳＰＳ  ＰＤＳＣＨのＨＡＲＱ−ＡＣＫと前記第１タイプのＵＣＩを、決定された前記第１タイプのＰＵＣＣＨリソースで送信することを含み、
方法３：前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定し、
方法４：前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定し、
前記決定された前記ＰＵＣＣＨリソースで前記ＳＰＳ  ＰＤＳＣＨのＨＡＲＱ−ＡＣＫを送信することは、
前記ＳＰＳ  ＰＤＳＣＨのＨＡＲＱ−ＡＣＫと前記第１タイプのＵＣＩを、決定された前記第１タイプのＰＵＣＣＨリソースで送信することを含み、
方法５：前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定し、
前記の決定された前記ＰＵＣＣＨリソースで前記ＳＰＳ  ＰＤＳＣＨのＨＡＲＱ−ＡＣＫを送信することは、
前記ＳＰＳ  ＰＤＳＣＨのＨＡＲＱ−ＡＣＫと前記第１タイプのＵＣＩを、決定された前記第１タイプのＰＵＣＣＨリソースで送信することを含み、
及び／又は
前記ＳＰＳ  ＰＤＳＣＨのＨＡＲＱ−ＡＣＫ伝送が存在する時間単位に第１タイプのＵＣＩが存在しない場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、以下の方法の１つを含み、
方法６：前記少なくとも１つのＰＵＣＣＨリソースの中に第２タイプのＰＵＣＣＨリソースを更に含む場合、１つの第２タイプのＰＵＣＣＨリソースを、前記ＳＰＳ  ＰＤＳＣＨのＨＡＲＱ−ＡＣＫを伝送するためのＰＵＣＣＨリソースに決定し、
方法７：前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫを伝送するためのＰＵＣＣＨリソースに決定することを含む、請求項１に記載の送信方法。
【請求項３】
前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することは、
前記少なくとも１つのＰＵＣＣＨリソースの中に少なくとも２つの第１タイプのＰＵＣＣＨリソースを含む場合、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩによって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含み、
前記１つの第２タイプのＰＵＣＣＨリソースを、前記ＳＰＳ  ＰＤＳＣＨのＨＡＲＱ−ＡＣＫを伝送するためのＰＵＣＣＨリソースに決定することは、
前記少なくとも１つのＰＵＣＣＨリソースの中に少なくとも２つの前記第２タイプのＰＵＣＣＨリソースを含む場合、前記少なくとも２つの第２タイプのＰＵＣＣＨリソースの中から、
ＳＰＳ  ＰＤＳＣＨ活性化を指示するＰＤＣＣＨの中のＰＲＩによって指示される１つの第２タイプのＰＵＣＣＨリソース、
最も番号の小さい第２タイプのＰＵＣＣＨリソース、
最初の第２タイプのＰＵＣＣＨリソース、
のうちのいずれか１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む、請求項２に記載の送信方法。
【請求項４】
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、
前記ＳＰＳ  ＰＤＳＣＨのＨＡＲＱ−ＡＣＫの伝送機会が第１タイプのＵＣＩの伝送機会と重複するかを判断することを更に含み、
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
前記ＳＰＳ  ＰＤＳＣＨのＨＡＲＱ−ＡＣＫの伝送機会が第１タイプのＵＣＩの伝送機会と重複する場合、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含み、
及び／又は
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、
ＳＰＳ  ＰＤＳＣＨのＨＡＲＱ−ＡＣＫと第１タイプのＵＣＩの同時伝送をサポートするか否かを判断することを更に含み、
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
ＳＰＳ  ＰＤＳＣＨのＨＡＲＱ−ＡＣＫと第１タイプのＵＣＩの同時伝送がサポートされる場合、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む、請求項１又は２に記載の送信方法。
【請求項５】
前記送信方法は、以下の少なくとも１つを含み、
方式１：前記少なくとも１つのＰＵＣＣＨリソースの中の所定ＰＵＣＣＨリソースは、
前記少なくとも１つのＰＵＣＣＨリソースの中の最も小さい番号のＰＵＣＣＨリソース、
前記少なくとも１つのＰＵＣＣＨリソースの中の最初のＰＵＣＣＨリソース、
ＳＰＳ  ＰＤＳＣＨ活性化を指示するＰＤＣＣＨの中のＰＲＩに基づいて決定されるＰＵＣＣＨリソース、
前記少なくとも１つのＰＵＣＣＨリソースの中に第２タイプのＰＵＣＣＨリソースを更に含む場合の第２タイプのＰＵＣＣＨリソース、
前記少なくとも１つのＰＵＣＣＨリソースの中に少なくとも２つの第２タイプのＰＵＣＣＨリソースを更に含む場合の最も小さい番号の第２タイプのＰＵＣＣＨリソース、
前記少なくとも１つのＰＵＣＣＨリソースの中に少なくとも２つの第２タイプのＰＵＣＣＨリソースを更に含む場合の最初の第２タイプのＰＵＣＣＨリソース、
のうちのいずれか１つであり、
及び／又は
方式２：前記第１タイプのＵＣＩは、
チャネル状態情報ＣＳＩ及びスケジューリング要求ＳＲのいずれか１つ又は複数を含み、
及び／又は
方式３：前記第１タイプのＰＵＣＣＨリソースは、
ＰＵＣＣＨフォーマット２リソース、ＰＵＣＣＨフォーマット３リソース、ＰＵＣＣＨフォーマット４リソースのいずれか１つであり、
及び／又は
方式４：前記第２タイプのＰＵＣＣＨリソースは、
ＰＵＣＣＨフォーマット０リソース及びＰＵＣＣＨフォーマット１リソースのいずれか１つであり、
及び／又は
方式５：前記１つの時間単位は、
１つのサブフレーム、１つのスロット、１つのミニスロットのいずれか１つである、請求項２に記載の送信方法。
【請求項６】
基地局に応用されるハイブリッド自動再送要求確認ＨＡＲＱ−ＡＣＫ受信方法であって、
半持続スケジューリング物理下り共有チャネルＳＰＳ  ＰＤＳＣＨのＨＡＲＱ−ＡＣＫを伝送するための少なくとも１つの物理上り制御チャネルＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することと、
決定された前記ＰＵＣＣＨリソースで前記ＳＰＳ  ＰＤＳＣＨのＨＡＲＱ−ＡＣＫを受信することと、
を含む、ハイブリッド自動再送要求確認ＨＡＲＱ−ＡＣＫ受信方法。
【請求項７】
前記ＳＰＳ  ＰＤＳＣＨのＨＡＲＱ−ＡＣＫと第１タイプの上り制御情報ＵＣＩとが同一の時間単位で伝送される場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、以下の方法の１つを含み、
方法１：前記少なくとも１つのＰＵＣＣＨリソースの中の所定ＰＵＣＣＨリソースと、前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定し、
方法２：前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定し、
前記決定された前記ＰＵＣＣＨリソースで前記ＳＰＳ  ＰＤＳＣＨのＨＡＲＱ−ＡＣＫを受信することは、
前記ＳＰＳ  ＰＤＳＣＨのＨＡＲＱ−ＡＣＫと前記第１タイプのＵＣＩを、決定された前記第１タイプのＰＵＣＣＨリソースで受信することを含み、
方法３：前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定し、
方法４：前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定し、
前記決定された前記ＰＵＣＣＨリソースで前記ＳＰＳ  ＰＤＳＣＨのＨＡＲＱ−ＡＣＫを受信することは、
前記ＳＰＳ  ＰＤＳＣＨのＨＡＲＱ−ＡＣＫと前記第１タイプのＵＣＩを、決定された前記第１タイプのＰＵＣＣＨリソースで受信することを含み、
方法５：前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定し、
前記の決定された前記ＰＵＣＣＨリソースで前記ＳＰＳ  ＰＤＳＣＨのＨＡＲＱ−ＡＣＫを受信することは、
前記ＳＰＳ  ＰＤＳＣＨのＨＡＲＱ−ＡＣＫと前記第１タイプのＵＣＩを、決定された前記第１タイプのＰＵＣＣＨリソースで受信することを含み、
及び／又は
前記ＳＰＳ  ＰＤＳＣＨのＨＡＲＱ−ＡＣＫ伝送が存在する時間単位に第１タイプのＵＣＩが存在しない場合、前記時間単位で、前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定することは、以下の方法の１つを含み、
方法６：前記少なくとも１つのＰＵＣＣＨリソースの中に第２タイプのＰＵＣＣＨリソースを更に含む場合、１つの第２タイプのＰＵＣＣＨリソースを、前記ＳＰＳ  ＰＤＳＣＨのＨＡＲＱ−ＡＣＫを伝送するためのＰＵＣＣＨリソースに決定し、
方法７：前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫを伝送するためのＰＵＣＣＨリソースに決定することを含む、請求項６に記載の受信方法。
【請求項８】
前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することは、
前記少なくとも１つのＰＵＣＣＨリソースの中に少なくとも２つの第１タイプのＰＵＣＣＨリソースを含む場合、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩによって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含み、
前記１つの第２タイプのＰＵＣＣＨリソースを、前記ＳＰＳ  ＰＤＳＣＨのＨＡＲＱ−ＡＣＫを伝送するためのＰＵＣＣＨリソースに決定することは、
前記少なくとも１つのＰＵＣＣＨリソースの中に少なくとも２つの前記第２タイプのＰＵＣＣＨリソースを含む場合、前記少なくとも２つの第２タイプのＰＵＣＣＨリソースの中から、
ＳＰＳ  ＰＤＳＣＨ活性化を指示するＰＤＣＣＨの中のＰＲＩによって指示される１つの第２タイプのＰＵＣＣＨリソース、
最も番号の小さい第２タイプのＰＵＣＣＨリソース、
最初の第２タイプのＰＵＣＣＨリソース、
のうちのいずれか１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む、請求項７に記載の受信方法。
【請求項９】
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、
前記ＳＰＳ  ＰＤＳＣＨのＨＡＲＱ−ＡＣＫの伝送機会が第１タイプのＵＣＩの伝送機会と重複するかを判断することを更に含み、
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
前記ＳＰＳ  ＰＤＳＣＨのＨＡＲＱ−ＡＣＫの伝送機会が第１タイプのＵＣＩの伝送機会と重複する場合、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含み、
及び／又は、
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することの前には、
ＳＰＳ  ＰＤＳＣＨのＨＡＲＱ−ＡＣＫと第１タイプのＵＣＩの同時伝送をサポートするか否かを判断することを更に含み、
前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
ＳＰＳ  ＰＤＳＣＨのＨＡＲＱ−ＡＣＫと第１タイプのＵＣＩの同時伝送がサポートされる場合、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む、請求項６又は７に記載の受信方法。
【請求項１０】
前記受信方法は、以下の少なくとも１つを含み、
方式１：前記少なくとも１つのＰＵＣＣＨリソースの中の所定ＰＵＣＣＨリソースは、
前記少なくとも１つのＰＵＣＣＨリソースの中の最も小さい番号のＰＵＣＣＨリソース、
前記少なくとも１つのＰＵＣＣＨリソースの中の最初のＰＵＣＣＨリソース、
ＳＰＳ  ＰＤＳＣＨ活性化を指示するＰＤＣＣＨの中のＰＲＩに基づいて決定されるＰＵＣＣＨリソース、
前記少なくとも１つのＰＵＣＣＨリソースの中に第２タイプのＰＵＣＣＨリソースを更に含む場合の第２タイプのＰＵＣＣＨリソース、
前記少なくとも１つのＰＵＣＣＨリソースの中に少なくとも２つの第２タイプのＰＵＣＣＨリソースを更に含む場合の最も小さい番号の第２タイプのＰＵＣＣＨリソース、
前記少なくとも１つのＰＵＣＣＨリソースの中に少なくとも２つの第２タイプのＰＵＣＣＨリソースを更に含む場合の最初の第２タイプのＰＵＣＣＨリソース、
のうちのいずれか１つであり、
及び／又は
方式２：前記第１タイプのＵＣＩは、
チャネル状態情報ＣＳＩ及びスケジューリング要求ＳＲのいずれか１つ又は複数を含み、
及び／又は
方式３：前記第１タイプのＰＵＣＣＨリソースは、
ＰＵＣＣＨフォーマット２リソース、ＰＵＣＣＨフォーマット３リソース、ＰＵＣＣＨフォーマット４リソースのいずれか１つであり、
及び／又は
方式４：前記第２タイプのＰＵＣＣＨリソースは、
ＰＵＣＣＨフォーマット０リソース及びＰＵＣＣＨフォーマット１リソースのいずれか１つであり、
及び／又は
方式５：前記１つの時間単位は、
１つのサブフレーム、１つのスロット、１つのミニスロットのいずれか１つである、請求項７に記載の受信方法。
【請求項１１】
半持続スケジューリング物理下り共有チャネルＳＰＳ  ＰＤＳＣＨのハイブリッド自動再送要求確認ＨＡＲＱ−ＡＣＫを伝送するための少なくとも１つの物理上り制御チャネルＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定する決定モジュールと、
決定された前記ＰＵＣＣＨリソースで前記ＳＰＳ  ＰＤＳＣＨのＨＡＲＱ−ＡＣＫを送信する送信モジュールと、
を含む、端末。
【請求項１２】
前記ＳＰＳ  ＰＤＳＣＨのＨＡＲＱ−ＡＣＫと第１タイプの上り制御情報ＵＣＩとが同一の時間単位で伝送される場合、前記時間単位で、前記決定モジュールは、以下の方法の１つを実行し、
方法１：前記少なくとも１つのＰＵＣＣＨリソースの中の所定ＰＵＣＣＨリソースと、前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定し、
方法２：前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定し、
前記送信モジュールは、
前記ＳＰＳ  ＰＤＳＣＨのＨＡＲＱ−ＡＣＫと前記第１タイプのＵＣＩを、決定された前記第１タイプのＰＵＣＣＨリソースで送信し、
方法３：前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定し、
方法４：前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定し、
前記送信モジュールは、
前記ＳＰＳ  ＰＤＳＣＨのＨＡＲＱ−ＡＣＫと前記第１タイプのＵＣＩを、決定された前記第１タイプのＰＵＣＣＨリソースで送信し、
方法５：前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定し、
前記送信モジュールは、
前記ＳＰＳ  ＰＤＳＣＨのＨＡＲＱ−ＡＣＫと前記第１タイプのＵＣＩを、決定された前記第１タイプのＰＵＣＣＨリソースで送信し、
及び／又は
前記ＳＰＳ  ＰＤＳＣＨのＨＡＲＱ−ＡＣＫ伝送が存在する時間単位に第１タイプのＵＣＩが存在しない場合、前記時間単位で、前記決定モジュールは、以下の方法の１つを実行し、
方法６：前記少なくとも１つのＰＵＣＣＨリソースの中に第２タイプのＰＵＣＣＨリソースを更に含む場合、１つの第２タイプのＰＵＣＣＨリソースを、前記ＳＰＳ  ＰＤＳＣＨのＨＡＲＱ−ＡＣＫを伝送するためのＰＵＣＣＨリソースに決定し、
方法７：前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫを伝送するためのＰＵＣＣＨリソースに決定する、請求項１１に記載の端末。
【請求項１３】
前記決定モジュールが、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することは、
前記少なくとも１つのＰＵＣＣＨリソースの中に少なくとも２つの第１タイプのＰＵＣＣＨリソースを含む場合、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩによって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含み、
前記決定モジュールが、１つの第２タイプのＰＵＣＣＨリソースを、前記ＳＰＳ  ＰＤＳＣＨのＨＡＲＱ−ＡＣＫを伝送するためのＰＵＣＣＨリソースに決定することは、
前記少なくとも１つのＰＵＣＣＨリソースの中に少なくとも２つの前記第２タイプのＰＵＣＣＨリソースを含む場合、前記少なくとも２つの第２タイプのＰＵＣＣＨリソースの中から、
ＳＰＳ  ＰＤＳＣＨ活性化を指示するＰＤＣＣＨの中のＰＲＩによって指示される１つの第２タイプのＰＵＣＣＨリソース、
最も番号の小さい第２タイプのＰＵＣＣＨリソース、
最初の第２タイプのＰＵＣＣＨリソース、
のうちのいずれか１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む、請求項１２に記載の端末。
【請求項１４】
前記決定モジュールは、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前には、更に、
前記ＳＰＳ  ＰＤＳＣＨのＨＡＲＱ−ＡＣＫの伝送機会が第１タイプのＵＣＩの伝送機会と重複するかを判断し、
前記決定モジュールは、
前記ＳＰＳ  ＰＤＳＣＨのＨＡＲＱ−ＡＣＫの伝送機会が第１タイプのＵＣＩの伝送機会と重複する場合、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定し、
及び／又は
前記決定モジュールは、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前には、更に、
ＳＰＳ  ＰＤＳＣＨのＨＡＲＱ−ＡＣＫと第１タイプのＵＣＩの同時伝送をサポートするか否かを判断し、
前記決定モジュールは、
ＳＰＳ  ＰＤＳＣＨのＨＡＲＱ−ＡＣＫと第１タイプのＵＣＩの同時伝送がサポートされる場合、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する、請求項１１又は１２に記載の端末。
【請求項１５】
前記決定モジュールは、以下の少なくとも１つを実行し、
方式１：前記少なくとも１つのＰＵＣＣＨリソースの中の所定ＰＵＣＣＨリソースは、
前記少なくとも１つのＰＵＣＣＨリソースの中の最も小さい番号のＰＵＣＣＨリソース、
前記少なくとも１つのＰＵＣＣＨリソースの中の最初のＰＵＣＣＨリソース、
ＳＰＳ  ＰＤＳＣＨ活性化を指示するＰＤＣＣＨの中のＰＲＩに基づいて決定されるＰＵＣＣＨリソース、
前記少なくとも１つのＰＵＣＣＨリソースの中に第２タイプのＰＵＣＣＨリソースを更に含む場合の第２タイプのＰＵＣＣＨリソース、
前記少なくとも１つのＰＵＣＣＨリソースの中に少なくとも２つの第２タイプのＰＵＣＣＨリソースを更に含む場合の最も小さい番号の第２タイプのＰＵＣＣＨリソース、
前記少なくとも１つのＰＵＣＣＨリソースの中に少なくとも２つの第２タイプのＰＵＣＣＨリソースを更に含む場合の最初の第２タイプのＰＵＣＣＨリソース、
のうちのいずれか１つであり、
及び／又は
方式２：前記第１タイプのＵＣＩは、
チャネル状態情報ＣＳＩ及びスケジューリング要求ＳＲのいずれか１つ又は複数を含み、
及び／又は
方式３：前記第１タイプのＰＵＣＣＨリソースは、
ＰＵＣＣＨフォーマット２リソース、ＰＵＣＣＨフォーマット３リソース、ＰＵＣＣＨフォーマット４リソースのいずれか１つであり、
及び／又は
方式４：前記第２タイプのＰＵＣＣＨリソースは、
ＰＵＣＣＨフォーマット０リソース及びＰＵＣＣＨフォーマット１リソースのいずれか１つであり、
及び／又は
方式５：前記１つの時間単位は、
１つのサブフレーム、１つのスロット、１つのミニスロットのいずれか１つである、請求項１２に記載の端末。
【請求項１６】
半持続スケジューリング物理下り共有チャネルＳＰＳ  ＰＤＳＣＨのハイブリッド自動再送要求確認ＨＡＲＱ−ＡＣＫを伝送するための少なくとも１つの物理上り制御チャネルＰＵＣＣＨリソースであって、２ビットを超える情報を搬送するＰＵＣＣＨリソースである第１タイプのＰＵＣＣＨリソースを少なくとも１つ含む前記少なくとも１つのＰＵＣＣＨリソースの中から、ＳＰＳ  ＰＤＳＣＨのＨＡＲＱ−ＡＣＫを伝送するための１つのＰＵＣＣＨリソースを決定する決定モジュールと、
決定された前記ＰＵＣＣＨリソースで前記ＳＰＳ  ＰＤＳＣＨのＨＡＲＱ−ＡＣＫを受信する受信モジュールと、
を含む、基地局。
【請求項１７】
前記ＳＰＳ  ＰＤＳＣＨのＨＡＲＱ−ＡＣＫと第１タイプの上り制御情報ＵＣＩとが同一の時間単位で伝送される場合、前記時間単位で、前記決定モジュールは、以下の方法の１つを実行し、
方法１：前記少なくとも１つのＰＵＣＣＨリソースの中の所定ＰＵＣＣＨリソースと、前記第１タイプのＵＣＩのリソースとが時間領域で重複しない場合、前記所定ＰＵＣＣＨリソースを、前記ＳＰＳ  ＰＤＳＣＨのＨＡＲＱ−ＡＣＫを伝送するためのＰＵＣＣＨリソースに決定し、
方法２：前記少なくとも１つのＰＵＣＣＨリソースの中の所定ＰＵＣＣＨリソースと、前記第１タイプのＵＣＩのリソースとが時間領域で重複する場合、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定し、
前記受信モジュールは、
前記ＳＰＳ  ＰＤＳＣＨのＨＡＲＱ−ＡＣＫと前記第１タイプのＵＣＩを、決定された前記第１タイプのＰＵＣＣＨリソースで受信し、
方法３：前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない少なくとも１つの第２タイプのＰＵＣＣＨリソースが前記少なくとも１つのＰＵＣＣＨリソースの中に存在すると、前記第１タイプのＵＣＩのリソースとは時間領域で重複しない１つの第２タイプのＰＵＣＣＨリソースを、前記ＳＰＳ  ＰＤＳＣＨのＨＡＲＱ−ＡＣＫを伝送するためのＰＵＣＣＨリソースに決定し、
方法４：前記少なくとも１つのＰＵＣＣＨリソースの中に、２ビットを超えない情報を搬送するＰＵＣＣＨリソースである第２タイプのＰＵＣＣＨリソースを少なくとも１つ更に含む場合、前記第１タイプのＵＣＩのリソースとは時間領域で重複しない第２タイプのＰＵＣＣＨリソースが前記少なくとも１つのＰＵＣＣＨリソースの中に存在しないと、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記ＵＣＩを伝送するためのＰＵＣＣＨリソースに決定し、
前記受信モジュールは、
前記ＳＰＳ  ＰＤＳＣＨのＨＡＲＱ−ＡＣＫと前記第１タイプのＵＣＩを、決定された前記第１タイプのＰＵＣＣＨリソースで受信し、
方法５：前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定し、
前記受信モジュールは、
前記ＳＰＳ  ＰＤＳＣＨのＨＡＲＱ−ＡＣＫと前記第１タイプのＵＣＩを、決定された前記第１タイプのＰＵＣＣＨリソースで受信し、
及び／又は
前記ＳＰＳ  ＰＤＳＣＨのＨＡＲＱ−ＡＣＫ伝送が存在する時間単位に第１タイプのＵＣＩが存在しない場合、前記時間単位で、前記決定モジュールは、以下の方法の１つを実行し、
方法６：前記少なくとも１つのＰＵＣＣＨリソースの中に第２タイプのＰＵＣＣＨリソースを更に含む場合、１つの第２タイプのＰＵＣＣＨリソースを、前記ＳＰＳ  ＰＤＳＣＨのＨＡＲＱ−ＡＣＫを伝送するためのＰＵＣＣＨリソースに決定し、
方法７：前記少なくとも１つのＰＵＣＣＨリソースの中に第１タイプのＰＵＣＣＨリソースのみを含む場合、１つの第１タイプのＰＵＣＣＨリソースを、前記ＳＰＳ  ＰＤＳＣＨのＨＡＲＱ−ＡＣＫを伝送するためのＰＵＣＣＨリソースに決定する、請求項１６に記載の基地局。
【請求項１８】
前記決定モジュールが、前記少なくとも１つのＰＵＣＣＨリソースの中から１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することは、
前記少なくとも１つのＰＵＣＣＨリソースの中に少なくとも２つの第１タイプのＰＵＣＣＨリソースを含む場合、前記少なくとも１つのＰＵＣＣＨリソースの中から、
ＳＰＳ  ＰＤＳＣＨ活性化を指示する物理下り制御チャネルＰＤＣＣＨの中のＰＵＣＣＨリソース指示フィールドＰＲＩによって指示される１つの第１タイプのＰＵＣＣＨリソース、
設定された符号化率を超えずにＳＰＳ  ＰＤＳＣＨのＨＡＲＱ−ＡＣＫと前記第１ＵＣＩをベアラすることができ、且つそれぞれ異なるベアラ容量を有する第１タイプのＰＵＣＣＨリソースのうちベアラ容量が最も小さい１つの第１タイプのＰＵＣＣＨリソース、
前記少なくとも１つのＰＵＣＣＨリソースの中の全ての第１タイプのＰＵＣＣＨリソースが、設定された符号化率を超えずにＳＰＳ  ＰＤＳＣＨのＨＡＲＱ−ＡＣＫと前記第１ＵＣＩをベアラすることができない場合に、それぞれ異なるベアラ容量を有する第１タイプのＰＵＣＣＨリソースのうちベアラ容量が最も大きい１つの第１タイプのＰＵＣＣＨリソース、
最も番号の小さい第１タイプのＰＵＣＣＨリソース、
最初の第１タイプのＰＵＣＣＨリソース、
のうちのいずれか１つの第１タイプのＰＵＣＣＨリソースを、前記ＳＰＳ  ＰＤＳＣＨのＨＡＲＱ−ＡＣＫと前記第１タイプのＵＣＩを伝送するためのＰＵＣＣＨリソースに決定することを含み、
前記決定モジュールが、１つの第２タイプのＰＵＣＣＨリソースを、前記ＳＰＳ  ＰＤＳＣＨのＨＡＲＱ−ＡＣＫを伝送するためのＰＵＣＣＨリソースに決定することは、
前記少なくとも１つのＰＵＣＣＨリソースの中に少なくとも２つの前記第２タイプのＰＵＣＣＨリソースを含む場合、前記少なくとも２つの第２タイプのＰＵＣＣＨリソースの中から、
ＳＰＳ  ＰＤＳＣＨ活性化を指示するＰＤＣＣＨの中のＰＲＩによって指示される１つの第２タイプのＰＵＣＣＨリソース、
最も番号の小さい第２タイプのＰＵＣＣＨリソース、
最初の第２タイプのＰＵＣＣＨリソース、
のうちのいずれか１つの第２タイプのＰＵＣＣＨリソースを、前記ＳＰＳ  ＰＤＳＣＨのＨＡＲＱ−ＡＣＫを伝送するためのＰＵＣＣＨリソースに決定することを含む、請求項１７に記載の基地局。
【請求項１９】
前記決定モジュールは、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前には、更に、
前記ＳＰＳ  ＰＤＳＣＨのＨＡＲＱ−ＡＣＫの伝送機会が第１タイプのＵＣＩの伝送機会と重複するかを判断し、
前記決定モジュールが、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
前記ＳＰＳ  ＰＤＳＣＨのＨＡＲＱ−ＡＣＫの伝送機会が第１タイプのＵＣＩの伝送機会と重複する場合、前記少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含み、
及び／又は
前記決定モジュールは、少なくとも１つのＰＵＣＣＨリソースの中から、ＳＰＳ  ＰＤＳＣＨのＨＡＲＱ−ＡＣＫを伝送するための１つのＰＵＣＣＨリソースに決定する前には、更に、
ＳＰＳ  ＰＤＳＣＨのＨＡＲＱ−ＡＣＫと第１タイプのＵＣＩの同時伝送をサポートするか否かを判断し、
前記決定モジュールが、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することは、
ＳＰＳ  ＰＤＳＣＨのＨＡＲＱ−ＡＣＫと第１タイプのＵＣＩの同時伝送がサポートされる場合、少なくとも１つのＰＵＣＣＨリソースの中から、ＳＰＳ  ＰＤＳＣＨのＨＡＲＱ−ＡＣＫを伝送するための１つのＰＵＣＣＨリソースに決定することを含む、請求項１６又は１７に記載の基地局。
【請求項２０】
前記決定モジュールは、以下の少なくとも１つを実行し、
方式１：前記少なくとも１つのＰＵＣＣＨリソースの中の所定ＰＵＣＣＨリソースは、
前記少なくとも１つのＰＵＣＣＨリソースの中の最も小さい番号のＰＵＣＣＨリソース、
前記少なくとも１つのＰＵＣＣＨリソースの中の最初のＰＵＣＣＨリソース、
ＳＰＳ  ＰＤＳＣＨ活性化を指示するＰＤＣＣＨの中のＰＲＩに基づいて決定されるＰＵＣＣＨリソース、
前記少なくとも１つのＰＵＣＣＨリソースの中に第２タイプのＰＵＣＣＨリソースを更に含む場合の第２タイプのＰＵＣＣＨリソース、
前記少なくとも１つのＰＵＣＣＨリソースの中に少なくとも２つの第２タイプのＰＵＣＣＨリソースを更に含む場合の最も小さい番号の第２タイプのＰＵＣＣＨリソース、
前記少なくとも１つのＰＵＣＣＨリソースの中に少なくとも２つの第２タイプのＰＵＣＣＨリソースを更に含む場合の最初の第２タイプのＰＵＣＣＨリソース、
のうちのいずれか１つであり、
及び／又は
方式２：前記第１タイプのＵＣＩは、
チャネル状態情報ＣＳＩ及びスケジューリング要求ＳＲのいずれか１つ又は複数を含み、
及び／又は
方式３：前記第１タイプのＰＵＣＣＨリソースは、
ＰＵＣＣＨフォーマット２リソース、ＰＵＣＣＨフォーマット３リソース、ＰＵＣＣＨフォーマット４リソースのいずれか１つであり、
及び／又は
方式４：前記第２タイプのＰＵＣＣＨリソースは、
ＰＵＣＣＨフォーマット０リソース及びＰＵＣＣＨフォーマット１リソースのいずれか１つであり、
及び／又は
方式５：前記１つの時間単位は、
１つのサブフレーム、１つのスロット、１つのミニスロットのいずれか１つである、請求項１７に記載の基地局。
【国際調査報告】
2021534695.tif 000019
2021534695.tif 000020
2021534695.tif 000021
2021534695.tif 000022
2021534695.tif 000023
2021534695.tif 000024